(57)【特許請求の範囲】
【請求項１】
モノのインターネット（ＩｏＴ）通信方法であって、
ネットワーク側装置が、ダウンリンクデータ伝送を実行する端末装置を決定する段階であって、前記端末装置は、ＩｏＴ端末を含む、段階と、
前記ネットワーク側装置が、ダウンリンクデータフレームを送信する段階とを備え、
前記ダウンリンクデータフレームは、レガシープリアンブルと、高効率無線ローカルエリアネットワークプリアンブル（ＨＥＷプリアンブル）と、データフィールドとを含み、
周波数領域における前記データフィールドに対応するサブキャリアリソースが、少なくとも１つのリソースユニット（ＲＵ）を含み、
前記ＲＵは、ダウンリンクＩｏＴフレームを前記ＩｏＴ端末へ送信するために用いられ、前記ダウンリンクＩｏＴフレームは、ＩｏＴプリアンブルおよびＩｏＴデータフィールドを含み、前記ＩｏＴプリアンブルは、前記ダウンリンクＩｏＴフレームの物理層制御情報を伝送するために用いられ、前記ＩｏＴデータフィールドは、前記ネットワーク側装置と前記ＩｏＴ端末との間のダウンリンクデータを伝送するために用いられ、
前記ネットワーク側装置は具体的に、
前記ＲＵの２つのエッジ位置における指定された数量のサブキャリアをガードサブキャリアとして用いる方式と、
前記ＲＵの中間位置における指定された数量のサブキャリアを直流サブキャリアとして用いる方式と、
前記ガードサブキャリアおよび前記直流サブキャリア以外の、前記ＲＵに含まれるサブキャリアを用いることによって、前記ダウンリンクＩｏＴフレームを前記ＩｏＴ端末へ送信する方式とで、
前記ＲＵを用いることによって、前記ダウンリンクＩｏＴフレームを前記ＩｏＴ端末へ送信する、
方法。
【請求項２】
前記端末装置はさらに、ステーション（ＳＴＡ）を含み、前記周波数領域において前記データフィールドに対応する前記サブキャリアリソースはさらに、前記ＲＵと異なる少なくとも１つの他のＲＵを含み、
前記少なくとも１つの他のＲＵは、前記ネットワーク側装置と前記ＳＴＡとの間のダウンリンクデータを伝送するために用いられる、
請求項１に記載の方法。
【請求項３】
前記ダウンリンクデータフレームに含まれる前記データフィールドは具体的に、
前記ネットワーク側装置により、前記ネットワーク側装置と前記ＩｏＴ端末との間の前記ダウンリンクデータに対して符号化および変調を実行して、ＩｏＴダウンリンク変調シンボルを取得し、かつ、前記ＩｏＴダウンリンク変調シンボルを前記少なくとも１つのＲＵに含まれるサブキャリアへマッピングする方式と、
前記ネットワーク側装置により、前記ネットワーク側装置と前記端末装置に含まれるステーション（ＳＴＡ）との間の前記ダウンリンクデータに対して符号化および変調を実行して、無線ローカルエリアネットワークダウンリンク変調シンボル（ＷＬＡＮダウンリンク変調シンボル）を取得し、かつ、前記ＷＬＡＮダウンリンク変調シンボルを前記少なくとも１つの他のＲＵに含まれるサブキャリアへマッピングする方式と、
前記ネットワーク側装置により、前記少なくとも１つのＲＵに対応するサブキャリアと、前記少なくとも１つの他のＲＵに対応するサブキャリアとを含む周波数領域信号に対して、逆高速フーリエ変換ＩＦＦＴを実行し、サイクリックプリフィクスを付加して、ＩｏＴおよびＷＬＡＮのハイブリッド伝送のためのダウンリンクベースバンド信号を生成する方式とで、
生成される、請求項２に記載の方法。
【請求項４】
モノのインターネット（ＩｏＴ）通信方法であって、
ＩｏＴ端末が、ダウンリンク受信信号からダウンリンクＩｏＴフレームを取得する段階であって、前記ダウンリンク受信信号は、ネットワーク側装置により送信されたダウンリンクデータフレームを含み、前記ダウンリンクデータフレームは、レガシープリアンブルと、高効率無線ローカルエリアネットワークＨＥＷプリアンブルと、データフィールドとを含み、周波数領域において前記データフィールドに対応するサブキャリアリソースが、少なくとも１つのリソースユニット（ＲＵ）を含み、前記少なくとも１つのＲＵは、ダウンリンクＩｏＴフレームを送信するために用いられ、前記ダウンリンクＩｏＴフレームは、ＩｏＴプリアンブルおよびＩｏＴデータフィールドを含み、前記ＩｏＴプリアンブルは、前記ダウンリンクＩｏＴフレームの物理層制御情報を伝送するために用いられ、前記ＩｏＴデータフィールドは、前記ネットワーク側装置と前記ＩｏＴ端末との間のダウンリンクデータを伝送するために用いられる、段階と、
前記ＩｏＴ端末が、前記ダウンリンクＩｏＴフレームを処理して、前記ネットワーク側装置と前記ＩｏＴ端末との間の前記ダウンリンクデータを取得する段階と
を備え、
前記ＩｏＴ端末の受信チャネルの帯域幅は、前記ＲＵの帯域幅を超えず、
前記ＩｏＴ端末の前記受信チャネルにより用いられるキャリア周波数がｆ０＋ｆｒであり、ｆ０は、前記ダウンリンクＩｏＴフレームのキャリア周波数であり、ｆｒは、前記ＲＵの中心周波数と、ゼロ周波数との間の周波数差である、
方法。
【請求項５】
前記ＩｏＴ端末が、前記ダウンリンクＩｏＴフレームを処理して、前記ネットワーク側装置と前記ＩｏＴ端末との間の前記ダウンリンクデータを取得する前記段階は、
前記ＩｏＴ端末が、前記ダウンリンクＩｏＴフレームの各シングルキャリアシンボルからサイクリックプリフィクス（ＣＰ）を除去し、周波数領域等化を実行して、前記ＲＵに対応する周波数帯域へマッピングされたＩｏＴ変調信号を取得する段階と、
前記ＩｏＴ端末が、ＩｏＴ変調信号に対して復調および復号を実行して、前記ネットワーク側装置と前記ＩｏＴ端末との間の前記ダウンリンクデータを取得する段階とを含む、請求項４に記載の方法。
【請求項６】
前記ＩｏＴプリアンブルにより伝送された、前記ダウンリンクＩｏＴフレームの前記物理層制御情報は、
前記ダウンリンクＩｏＴフレームのタイミング同期および周波数同期を取得するために、前記ＩｏＴ端末により用いられる同期シーケンス、または、
前記ダウンリンクＩｏＴフレームを復調するために必要とされるチャネル推定を取得するために、前記ＩｏＴ端末により用いられるトレーニングシーケンス
のうちの１つまたは任意の組み合わせを含む、請求項４または５に記載の方法。
【請求項７】
モノのインターネット（ＩｏＴ）通信方法であって、
ＩｏＴ端末が、ダウンリンク受信信号からダウンリンクＩｏＴフレームを取得する段階であって、前記ダウンリンク受信信号は、ネットワーク側装置により送信されたダウンリンクデータフレームを含み、前記ダウンリンクデータフレームは、レガシープリアンブルと、高効率無線ローカルエリアネットワークＨＥＷプリアンブルと、データフィールドとを含み、周波数領域において前記データフィールドに対応するサブキャリアリソースが、少なくとも１つのリソースユニット（ＲＵ）を含み、前記少なくとも１つのＲＵは、ダウンリンクＩｏＴフレームを送信するために用いられ、前記ダウンリンクＩｏＴフレームは、ＩｏＴプリアンブルおよびＩｏＴデータフィールドを含み、前記ＩｏＴプリアンブルは、前記ダウンリンクＩｏＴフレームの物理層制御情報を伝送するために用いられ、前記ＩｏＴデータフィールドは、前記ネットワーク側装置と前記ＩｏＴ端末との間のダウンリンクデータを伝送するために用いられる、段階と、
前記ＩｏＴ端末が、前記ダウンリンクＩｏＴフレームを処理して、前記ネットワーク側装置と前記ＩｏＴ端末との間の前記ダウンリンクデータを取得する段階と
を備え、
前記ＩｏＴ端末が、前記ダウンリンクＩｏＴフレームを処理して、前記ネットワーク側装置と前記ＩｏＴ端末との間の前記ダウンリンクデータを取得する前記段階は、
前記ＩｏＴ端末が、前記ダウンリンクＩｏＴフレームの各シングルキャリアシンボルからサイクリックプリフィクス（ＣＰ）を除去し、周波数領域等化を実行して、前記ＲＵに対応する周波数帯域へマッピングされたＩｏＴ変調信号を取得する段階と、
前記ＩｏＴ端末が、ＩｏＴ変調信号に対して復調および復号を実行して、前記ネットワーク側装置と前記ＩｏＴ端末との間の前記ダウンリンクデータを取得する段階とを含む、
方法。
【請求項８】
モノのインターネット（ＩｏＴ）通信方法であって、
ＩｏＴ端末が、ダウンリンク受信信号からダウンリンクＩｏＴフレームを取得する段階であって、前記ダウンリンク受信信号は、ネットワーク側装置により送信されたダウンリンクデータフレームを含み、前記ダウンリンクデータフレームは、レガシープリアンブルと、高効率無線ローカルエリアネットワークＨＥＷプリアンブルと、データフィールドとを含み、周波数領域において前記データフィールドに対応するサブキャリアリソースが、少なくとも１つのリソースユニット（ＲＵ）を含み、前記少なくとも１つのＲＵは、ダウンリンクＩｏＴフレームを送信するために用いられ、前記ダウンリンクＩｏＴフレームは、ＩｏＴプリアンブルおよびＩｏＴデータフィールドを含み、前記ＩｏＴプリアンブルは、前記ダウンリンクＩｏＴフレームの物理層制御情報を伝送するために用いられ、前記ＩｏＴデータフィールドは、前記ネットワーク側装置と前記ＩｏＴ端末との間のダウンリンクデータを伝送するために用いられる、段階と、
前記ＩｏＴ端末が、前記ダウンリンクＩｏＴフレームを処理して、前記ネットワーク側装置と前記ＩｏＴ端末との間の前記ダウンリンクデータを取得する段階と
を備え、
前記ＩｏＴプリアンブルにより伝送された、前記ダウンリンクＩｏＴフレームの前記物理層制御情報は、
前記ダウンリンクＩｏＴフレームのタイミング同期および周波数同期を取得するために、前記ＩｏＴ端末により用いられる同期シーケンス、または、
前記ダウンリンクＩｏＴフレームを復調するために必要とされるチャネル推定を取得するために、前記ＩｏＴ端末により用いられるトレーニングシーケンス
のうちの１つまたは任意の組み合わせを含む、
方法。
【請求項９】
ネットワーク側装置であって、
ダウンリンクデータ伝送を実行する端末装置を決定する決定ユニットであって、前記端末装置はＩｏＴ端末を含む、決定ユニットと、
ダウンリンクデータフレームを送信する送信ユニットとを備え、
前記ダウンリンクデータフレームは、レガシープリアンブルと、高効率無線ローカルエリアネットワークＨＥＷプリアンブルと、データフィールドとを含み、周波数領域において前記データフィールドに対応するサブキャリアリソースが、少なくとも１つのリソースユニット（ＲＵ）を含み、
前記ＲＵは、ダウンリンクＩｏＴフレームを前記ＩｏＴ端末へ送信するために用いられ、前記ダウンリンクＩｏＴフレームは、ＩｏＴプリアンブルおよびＩｏＴデータフィールドを含み、前記ＩｏＴプリアンブルは、前記ダウンリンクＩｏＴフレームの物理層制御情報を伝送するために用いられ、前記ＩｏＴデータフィールドは、前記ネットワーク側装置と前記ＩｏＴ端末との間のダウンリンクデータを伝送するために用いられる、
前記送信ユニットは具体的に、
前記ＲＵの２つのエッジ位置における指定された数量のサブキャリアをガードサブキャリアとして用いる方式と、
前記ＲＵの中間位置における指定された数量のサブキャリアを直流サブキャリアとして用いる方式と、
前記ガードサブキャリアおよび前記直流サブキャリア以外の、前記ＲＵに含まれるサブキャリアを用いることによって、前記ダウンリンクＩｏＴフレームを前記ＩｏＴ端末へ送信する方式とで、
前記ＲＵを用いることによって、前記ダウンリンクＩｏＴフレームを前記ＩｏＴ端末へ送信する、
ネットワーク側装置。
【請求項１０】
前記端末装置はさらに、ステーション（ＳＴＡ）を備え、
前記周波数領域において前記データフィールドに対応する前記サブキャリアリソースはさらに、前記ＲＵと異なる少なくとも１つの他のＲＵを含み、
前記少なくとも１つの他のＲＵは、前記ネットワーク側装置と前記ＳＴＡとの間のダウンリンクデータを伝送するために用いられる、請求項９に記載のネットワーク側装置。
【請求項１１】
モノのインターネット端末（ＩｏＴ端末）であって、
ダウンリンク受信信号からダウンリンクＩｏＴフレームを取得する取得ユニットであって、前記ダウンリンク受信信号は、ネットワーク側装置により送信されたダウンリンクデータフレームを含み、前記ダウンリンクデータフレームは、レガシープリアンブルと、高効率無線ローカルエリアネットワークプリアンブル（ＨＥＷプリアンブル）と、データフィールドとを含み、周波数領域において前記データフィールドに対応するサブキャリアリソースが、少なくとも１つのリソースユニット（ＲＵ）を含み、前記少なくとも１つのＲＵは、ダウンリンクＩｏＴフレームを送信するために用いられ、前記ダウンリンクＩｏＴフレームは、ＩｏＴプリアンブルおよびＩｏＴデータフィールドを含み、前記ＩｏＴプリアンブルは、前記ダウンリンクＩｏＴフレームの物理層制御情報を伝送するために用いられ、前記ＩｏＴデータフィールドは、前記ネットワーク側装置と前記ＩｏＴ端末との間のダウンリンクデータを伝送するために用いられる、取得ユニットと、
前記取得ユニットにより取得された前記ダウンリンクＩｏＴフレームを処理して、前記ネットワーク側装置と前記ＩｏＴ端末との間の前記ダウンリンクデータを取得する処理ユニットと
を備え、
前記ＩｏＴ端末の受信チャネルの帯域幅は、前記ＲＵの帯域幅を超えず、
前記ＩｏＴ端末の前記受信チャネルにより用いられるキャリア周波数がｆ０＋ｆｒであり、ｆ０は、前記ダウンリンクＩｏＴフレームのキャリア周波数であり、ｆｒは、前記ＲＵの中心周波数と、ゼロ周波数との間の周波数差である、
ＩｏＴ端末。
【請求項１２】
前記処理ユニットは具体的に、
前記ダウンリンクＩｏＴフレームの各直交周波数分割多重化ＯＦＤＭシンボルから、サイクリックプリフィクス（ＣＰ）を除去し、アップサンプリングおよび高速フーリエ変換ＦＦＴを実行して、前記ＲＵに含まれるサブキャリアへマッピングされたＩｏＴ変調信号を取得する方式と、
前記ＩｏＴ変調信号に対して復調および復号を実行して、前記ネットワーク側装置と前記ＩｏＴ端末との間に前記ダウンリンクデータを取得する方式とで、
前記ダウンリンクＩｏＴフレームを処理して、前記ネットワーク側装置と前記ＩｏＴ端末との間の前記ダウンリンクデータを取得する、請求項１１に記載のＩｏＴ端末。
【請求項１３】
前記処理ユニットは具体的に、
前記ダウンリンクＩｏＴフレームの各シングルキャリアシンボルからサイクリックプリフィクス（ＣＰ）を除去し、周波数領域等化を実行して、前記ＲＵに対応する周波数帯域へマッピングされたＩｏＴ変調信号を取得する方式と、
前記ＩｏＴ変調信号に対して復調および復号を実行して、前記ネットワーク側装置と前記ＩｏＴ端末との間の前記ダウンリンクデータを取得する方式とで、
前記ダウンリンクＩｏＴフレームを処理して、前記ネットワーク側装置と前記ＩｏＴ端末との間の前記ダウンリンクデータを取得する、請求項１１に記載のＩｏＴ端末。
【請求項１４】
モノのインターネット端末（ＩｏＴ端末）であって、
ダウンリンク受信信号からダウンリンクＩｏＴフレームを取得する取得ユニットであって、前記ダウンリンク受信信号は、ネットワーク側装置により送信されたダウンリンクデータフレームを含み、前記ダウンリンクデータフレームは、レガシープリアンブルと、高効率無線ローカルエリアネットワークプリアンブル（ＨＥＷプリアンブル）と、データフィールドとを含み、周波数領域において前記データフィールドに対応するサブキャリアリソースが、少なくとも１つのリソースユニット（ＲＵ）を含み、前記少なくとも１つのＲＵは、ダウンリンクＩｏＴフレームを送信するために用いられ、前記ダウンリンクＩｏＴフレームは、ＩｏＴプリアンブルおよびＩｏＴデータフィールドを含み、前記ＩｏＴプリアンブルは、前記ダウンリンクＩｏＴフレームの物理層制御情報を伝送するために用いられ、前記ＩｏＴデータフィールドは、前記ネットワーク側装置と前記ＩｏＴ端末との間のダウンリンクデータを伝送するために用いられる、取得ユニットと、
前記取得ユニットにより取得された前記ダウンリンクＩｏＴフレームを処理して、前記ネットワーク側装置と前記ＩｏＴ端末との間の前記ダウンリンクデータを取得する処理ユニットと
を備え、
前記処理ユニットは具体的に、
前記ダウンリンクＩｏＴフレームの各直交周波数分割多重化ＯＦＤＭシンボルから、サイクリックプリフィクス（ＣＰ）を除去し、アップサンプリングおよび高速フーリエ変換ＦＦＴを実行して、前記ＲＵに含まれるサブキャリアへマッピングされたＩｏＴ変調信号を取得する方式と、
前記ＩｏＴ変調信号に対して復調および復号を実行して、前記ネットワーク側装置と前記ＩｏＴ端末との間に前記ダウンリンクデータを取得する方式とで、
前記ダウンリンクＩｏＴフレームを処理して、前記ネットワーク側装置と前記ＩｏＴ端末との間の前記ダウンリンクデータを取得する、
ＩｏＴ端末。
【請求項１５】
モノのインターネット端末（ＩｏＴ端末）であって、
ダウンリンク受信信号からダウンリンクＩｏＴフレームを取得する取得ユニットであって、前記ダウンリンク受信信号は、ネットワーク側装置により送信されたダウンリンクデータフレームを含み、前記ダウンリンクデータフレームは、レガシープリアンブルと、高効率無線ローカルエリアネットワークプリアンブル（ＨＥＷプリアンブル）と、データフィールドとを含み、周波数領域において前記データフィールドに対応するサブキャリアリソースが、少なくとも１つのリソースユニット（ＲＵ）を含み、前記少なくとも１つのＲＵは、ダウンリンクＩｏＴフレームを送信するために用いられ、前記ダウンリンクＩｏＴフレームは、ＩｏＴプリアンブルおよびＩｏＴデータフィールドを含み、前記ＩｏＴプリアンブルは、前記ダウンリンクＩｏＴフレームの物理層制御情報を伝送するために用いられ、前記ＩｏＴデータフィールドは、前記ネットワーク側装置と前記ＩｏＴ端末との間のダウンリンクデータを伝送するために用いられる、取得ユニットと、
前記取得ユニットにより取得された前記ダウンリンクＩｏＴフレームを処理して、前記ネットワーク側装置と前記ＩｏＴ端末との間の前記ダウンリンクデータを取得する処理ユニットと
を備え、
前記処理ユニットは具体的に、
前記ダウンリンクＩｏＴフレームの各シングルキャリアシンボルからサイクリックプリフィクス（ＣＰ）を除去し、周波数領域等化を実行して、前記ＲＵに対応する周波数帯域へマッピングされたＩｏＴ変調信号を取得する方式と、
前記ＩｏＴ変調信号に対して復調および復号を実行して、前記ネットワーク側装置と前記ＩｏＴ端末との間の前記ダウンリンクデータを取得する方式とで、
前記ダウンリンクＩｏＴフレームを処理して、前記ネットワーク側装置と前記ＩｏＴ端末との間の前記ダウンリンクデータを取得する、
ＩｏＴ端末。
【発明の詳細な説明】
【技術分野】
【０００１】
本出願は、２０１５年９月２日に中国特許庁宛に出願された、「モノのインターネット通信方法、ネットワーク側装置、およびモノのインターネット端末」と題する中国特許出願第２０１５１０５５９５９１．０号に基づく優先権を主張し、該出願の全体が参照により本明細書に組み込まれている。
【０００２】
本願発明は、通信技術分野に関し、特に、モノのインターネット通信方法、ネットワーク側装置、およびモノのインターネット端末に関する。
【背景技術】
【０００３】
人と物との間の通信、および物と物との間の通信のネットワークであるモノのインターネット（ＩｏＴ）が、新世代情報技術の重要な部分である。
【０００４】
ＩｏＴにおいて、物理的な世界から情報を取得するために、または物理的な世界の物を制御するために、ＩｏＴ端末を大量で広範囲に配置する必要がある。ＩｏＴ端末は、検知、コンピューティング、実行、および通信性能を有する様々な装置である。さらに、ネットワークを用いることによって、情報伝送、情報調整、および情報処理が実現される。
【０００５】
ＩｏＴ端末を大規模で広範囲に配置することは、ＩｏＴ端末の比較的低コスト、比較的低複雑性、および極めて低い消費電力を要求する。消費電力およびコストを低減するために、ＩｏＴ端末は通常、通信のために１ＭＨｚから２ＭＨｚだけのチャネル帯域幅を用い、該チャネル帯域幅は、ステーション（ＳＴＡ）などの無線ローカルエリアネットワーク（ＷＬＡＮ）装置により用いられるチャネル帯域幅よりはるかに小さい。ＷＬＡＮ標準規格は、８０２．１１ａ、８０２．１１ｎ、および８０２．１１ａｃなどの、徐々に進化したリリースを含む。現在、ＩＥＥＥ８０２．１１標準規格組織では、高効率無線ローカルエリアネットワーク（ＨＥＷ）と称される、新世代のＷＬＡＮ標準規格である８０２．１１ａｘの標準化作業を始動している。８０２．１１ａｘをサポートするＷＬＡＮ装置は、少なくとも２０ＭＨｚのチャネル帯域幅を用いる。従って、一般的に、ＩｏＴ端末は、ＷＬＡＮ信号を直接受信または送信することができない。すなわち、アクセスポイント（ＡＰ）などのＷＬＡＮネットワーク側装置は、ＩｏＴ通信をスケジューリングする、または調整することができない。その結果、現在の通信ネットワークにおいて、ＩｏＴ端末の間の、およびＩｏＴ端末とＷＬＡＮ装置との間の衝突が不可避的に発生する。
【発明の概要】
【０００６】
本願発明の実施形態は、ＩｏＴ通信方法、ネットワーク側装置、およびＩｏＴ端末を提供し、これにより、ネットワーク側装置は、ＩｏＴ通信過程においてＩｏＴ端末に対してスケジューリングすることができ、ＩｏＴ通信伝送過程における衝突のリスクを低減する。
【０００７】
第１の態様によれば、モノのインターネットＩｏＴ通信方法が提供され、該方法は、ネットワーク側装置が、ダウンリンクデータ伝送を実行する端末装置を決定する段階であって、端末装置は、ＩｏＴ端末を含む、段階と、ネットワーク側装置が、ダウンリンクデータフレームを送信する段階であって、ダウンリンクデータフレームは、レガシープリアンブルと、高効率無線ローカルエリアネットワークＨＥＷプリアンブルと、データフィールドとを含み、周波数領域においてデータフィールドに対応するサブキャリアリソースが、少なくとも１つのリソースユニットＲＵを含み、ＲＵは、ダウンリンクＩｏＴフレームをＩｏＴ端末へ送信するために用いられる、段階とを備え、ここで、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置とＩｏＴ端末との間のダウンリンクデータを伝送するために用いられる。
【０００８】
第１の態様に関連して、第１の実装方式において、端末装置はさらに、ステーションＳＴＡを含み、周波数領域においてデータフィールドに対応するサブキャリアリソースはさらに、ＲＵと異なる少なくとも１つの他のＲＵを含み、少なくとも１つの他のＲＵは、ネットワーク側装置とＳＴＡとの間のダウンリンクデータを伝送するために用いられる。
【０００９】
第１の態様または第１の態様の第１の実装方式に関連して、第２の実装方式において、ネットワーク側装置は具体的に、以下の方式で、ＲＵを用いることによって、ダウンリンクＩｏＴフレームをＩｏＴ端末へ送信する。ＲＵの２つのエッジ位置における指定された数量のサブキャリアをガードサブキャリアとして用いる方式、ＲＵの中間位置における指定された数量のサブキャリアを直流サブキャリアとして用いる方式、および、ガードサブキャリアおよび直流サブキャリア以外の、ＲＵに含まれるサブキャリアを用いることによって、ダウンリンクＩｏＴフレームをＩｏＴ端末へ送信する方式である。
【００１０】
第１の態様の第２の実装方式に関連して、第３の実装方式において、ダウンリンクデータフレームに含まれるデータフィールドは具体的に、以下の方式で生成される。ネットワーク側装置により、ネットワーク側装置とＩｏＴ端末との間のダウンリンクデータに対して符号化および変調を実行して、ＩｏＴダウンリンク変調シンボルを取得し、かつ、ＩｏＴダウンリンク変調シンボルを少なくとも１つのＲＵに含まれるサブキャリアへマッピングする方式、ネットワーク側装置により、ネットワーク側装置とＳＴＡとの間のダウンリンクデータに対して符号化および変調を実行して、無線ローカルエリアネットワークＷＬＡＮダウンリンク変調シンボルを取得し、かつ、ＷＬＡＮダウンリンク変調シンボルを少なくとも１つの他のＲＵに含まれるサブキャリアへマッピングする方式、および、ネットワーク側装置により、少なくとも１つのＲＵに対応するサブキャリアと、少なくとも１つの他のＲＵに対応するサブキャリアとを含む周波数領域信号に対して逆高速フーリエ変換ＩＦＦＴを実行し、サイクリックプリフィクスを付加して、ＩｏＴおよびＷＬＡＮのハイブリッド伝送のためのダウンリンクベースバンド信号を生成する方式である。
【００１１】
第１の態様または第１の態様の第１の実装方式に関連して、第４の実装方式において、ネットワーク側装置は具体的に、以下の方式で、ＲＵを用いることによって、ダウンリンクＩｏＴフレームをＩｏＴ端末へ送信する。ＲＵの２つのエッジ位置における指定された数量のサブキャリアをガードサブキャリアとして用いる方式、および、ガードサブキャリア以外の、ＲＵに含まれるサブキャリアに対応する周波数帯域において、シングルキャリア方式でダウンリンクＩｏＴフレームをＩｏＴ端末へ送信する方式である。
【００１２】
第１の態様の第４の実装方式に関連して、第５の実装方式において、ダウンリンクデータフレームに含まれるデータフィールドは具体的に、以下の方式で生成される。ネットワーク側装置により、ネットワーク側装置とＳＴＡとの間のダウンリンクデータに対して符号化および変調を実行して、無線ローカルエリアネットワークＷＬＡＮダウンリンク変調シンボルを取得し、かつ、ＷＬＡＮダウンリンク変調シンボルを少なくとも１つの他のＲＵに含まれるサブキャリアへマッピングする方式、ネットワーク側装置により、少なくとも１つの他のＲＵに対応するサブキャリアを含む周波数領域信号に対して逆高速フーリエ変換ＩＦＦＴを実行し、サイクリックプリフィクスＣＰを付加して、ＷＬＡＮダウンリンクベースバンド信号を生成する方式、ネットワーク側装置により、ネットワーク側装置とＩｏＴ端末との間のダウンリンクデータに対して符号化および変調を実行し、ＣＰを付加して、ＩｏＴダウンリンクシングルキャリアシンボルを生成する方式、ネットワーク側装置により、ＩｏＴダウンリンクシングルキャリアシンボルに対して波形整形フィルタリングを実行して、ＩｏＴダウンリンクベースバンド信号を取得する方式、ネットワーク側装置により、ＩｏＴダウンリンクベースバンド信号に対して周波数変換を実行して、ＩｏＴダウンリンク帯域通過信号を取得する方式であって、ＩｏＴダウンリンク帯域通過信号の中心周波数がｆｒであり、ｆｒは、ゼロ周波数と、ダウンリンクＩｏＴフレームを送信するために用いられるＲＵの中心周波数との間の周波数差である、方式、および、ネットワーク側装置により、ＩｏＴダウンリンク帯域通過信号とＷＬＡＮダウンリンクベースバンド信号とを加算して、ＩｏＴおよびＷＬＡＮのハイブリッド伝送のためのダウンリンクベースバンド信号を取得する方式である。
【００１３】
第１の態様の第５の実装方式に関連して、第６の実装方式において、ＩｏＴダウンリンクシングルキャリアシンボルと、ＷＬＡＮダウンリンクベースバンド信号のＯＦＤＭシンボルとは、同じ長さのＣＰを用い、ＩｏＴダウンリンクシングルキャリアシンボルの長さは、ＷＬＡＮダウンリンクベースバンド信号のＯＦＤＭシンボルの長さと同じである。
【００１４】
第１の態様の第５の実装方式または第６の実装方式に関連して、第７の実装方式において、ＩｏＴダウンリンクシングルキャリアシンボルは、Ｋ個の変調シンボルを含み、各変調シンボルの期間がＴ１＝Ｔ０／Ｋである。Ｋは、ダウンリンクＩｏＴフレームを送信するために用いられるＲＵに含まれるサブキャリアの数量を超えない正の整数であり、Ｔ１は、各変調シンボルの期間であり、Ｔ０は、ＷＬＡＮダウンリンクベースバンド信号のＯＦＤＭシンボルの長さである。
【００１５】
第１の態様または第１の態様の任意の実装方式に関連して、第８の実装方式において、ダウンリンクＩｏＴフレームを送信するために用いられるＲＵは、少なくとも１つのベーシックＲＵを含み、方法はさらに、ネットワーク側装置が、ベーシックＲＵにおいてチャネル指示情報を送信する段階であって、チャネル指示情報は、ＩｏＴ端末が、ベーシックＲＵから、ベーシックＲＵ以外の、ダウンリンクＩｏＴフレームを送信するために用いられるＲＵへハンドオーバされることを示すために用いられる、段階を備える。
【００１６】
第１の態様または第１の態様の任意の実装方式に関連して、第９の実装方式において、ＩｏＴプリアンブルにより伝送された、ダウンリンクＩｏＴフレームの物理層制御情報は、以下のシーケンスのうちの１つまたは任意の組み合わせを含む。ダウンリンクＩｏＴフレームのタイミング同期および周波数同期を取得するために、ＩｏＴ端末により用いられる同期シーケンス、または、ダウンリンクＩｏＴフレームを復調するために必要とされるチャネル推定を取得するために、ＩｏＴ端末により用いられるトレーニングシーケンスである。
【００１７】
第１の態様または第１の態様の任意の実装方式に関連して、第１０の実装方式において、ＩｏＴデータフィールドは、少なくとも１つのサブフレームを含み、ＩｏＴデータフィールドは、少なくとも２つのＩｏＴ端末のダウンリンクデータを含み、ここで、各ＩｏＴ端末のダウンリンクデータは、少なくとも１つのサブフレームを占有する、または、各ＩｏＴ端末のダウンリンクデータは、少なくとも１つのサブフレームの少なくとも１つのタイムスロットを占有する、または、各ＩｏＴ端末のダウンリンクデータは、少なくとも１つのサブフレームと、該少なくとも１つのサブフレームの少なくとも１つのタイムスロットとを占有する。
【００１８】
第２の態様によれば、モノのインターネットＩｏＴ通信方法が提供され、該方法は、ＩｏＴ端末が、ダウンリンク受信信号からダウンリンクＩｏＴフレームを取得する段階であって、ダウンリンク受信信号は、ネットワーク側装置により送信されたダウンリンクデータフレームを含み、ダウンリンクデータフレームは、レガシープリアンブルと、高効率無線ローカルエリアネットワークＨＥＷプリアンブルと、データフィールドとを含み、周波数領域においてデータフィールドに対応するサブキャリアリソースが、少なくとも１つのリソースユニットＲＵを含み、少なくとも１つのＲＵは、ダウンリンクＩｏＴフレームを送信するために用いられ、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置とＩｏＴ端末との間のダウンリンクデータを伝送するために用いられる、段階と、ＩｏＴ端末が、ダウンリンクＩｏＴフレームを処理して、ネットワーク側装置とＩｏＴ端末との間のダウンリンクデータを取得する段階とを備える。
【００１９】
第２の態様に関連して、第１の実装方式において、ＩｏＴ端末の受信チャネルの帯域幅は、ＲＵの帯域幅を超えず、ＩｏＴ端末の受信チャネルにより用いられるキャリア周波数がｆ０＋ｆｒであり、ここで、ｆｒは、ダウンリンクＩｏＴフレームのキャリア周波数であり、ｆ０は、ＲＵの中心周波数とゼロ周波数との間の周波数差である。
【００２０】
第２の態様または第２の態様の第１の実装方式に関連して、第２の実装方式において、ＩｏＴ端末が、ダウンリンクＩｏＴフレームを処理して、ネットワーク側装置とＩｏＴ端末との間のダウンリンクデータを取得する段階は、ＩｏＴ端末が、ダウンリンクＩｏＴフレームの各直交周波数分割多重化ＯＦＤＭシンボルからサイクリックプリフィクスＣＰを除去し、アップサンプリングおよび高速フーリエ変換ＦＦＴを実行して、ＲＵに含まれるサブキャリアへマッピングされたＩｏＴ変調信号を取得する段階と、ＩｏＴ端末が、ＩｏＴ変調信号に対して復調および復号を実行して、ネットワーク側装置とＩｏＴ端末との間のダウンリンクデータを取得する段階とを含む。
【００２１】
第２の態様または第２の態様の第１の実装方式に関連して、第３の実装方式において、ＩｏＴ端末が、ダウンリンクＩｏＴフレームを処理して、ネットワーク側装置とＩｏＴ端末との間のダウンリンクデータを取得する段階は、ＩｏＴ端末が、ダウンリンクＩｏＴフレームの各シングルキャリアシンボルからサイクリックプリフィクスＣＰを除去し、周波数領域等化を実行して、ＲＵに対応する周波数帯域へマッピングされたＩｏＴ変調信号を取得する段階と、ＩｏＴ端末が、ＩｏＴ変調信号に対して復調および復号を実行して、ネットワーク側装置とＩｏＴ端末との間のダウンリンクデータを取得する段階とを含む。
【００２２】
第２の態様または第２の態様の任意の実装方式に関連して、第４の実装方式において、ＩｏＴプリアンブルにより伝送された、ダウンリンクＩｏＴフレームの物理層制御情報は、以下のシーケンスのうちの１つまたは任意の組み合わせを含む。ダウンリンクＩｏＴフレームのタイミング同期および周波数同期を取得するために、ＩｏＴ端末により用いられる同期シーケンス、または、ダウンリンクＩｏＴフレームを復調するために必要とされるチャネル推定を取得するために、ＩｏＴ端末により用いられるトレーニングシーケンスである。
【００２３】
第３の態様によれば、モノのインターネットＩｏＴ通信方法が提供され、該方法は、ＩｏＴ端末が、ネットワーク側装置により送信されたアップリンク伝送スケジューリング要求を受信する段階であって、アップリンク伝送スケジューリング要求は、ＩｏＴ端末に対してアップリンクＩｏＴフレームを送信するようスケジューリングするために用いられ、アップリンクＩｏＴフレームは、アップリンクデータフレームのデータフィールドに位置し、周波数領域においてアップリンクデータフレームのデータフィールドに対応するサブキャリアリソースが、少なくとも１つのリソースユニットＲＵを含み、少なくとも１つのＲＵは、アップリンクＩｏＴフレームを送信するために用いられる、段階と、ＩｏＴ端末が、アップリンク伝送スケジューリング要求に従って、アップリンクＩｏＴフレームを送信する段階であって、アップリンクＩｏＴフレームは、ＩｏＴプリアンブルおよびＩｏＴデータフィールドを含み、ＩｏＴプリアンブルは、アップリンクＩｏＴフレームの物理層制御情報を伝送するために用いられ、ＩｏＴデータフィールドは、ネットワーク側装置とＩｏＴ端末との間のアップリンクデータを伝送するために用いられる、段階とを備える。
【００２４】
第３の態様に関連して、第１の実装方式において、ＩｏＴ端末は具体的に、以下の方式でアップリンクＩｏＴフレームを送信する。ＲＵの２つのエッジ位置における指定された数量のサブキャリアをガードサブキャリアとして用いる方式、ＲＵの中間位置における指定された数量のサブキャリアを直流サブキャリアとして用いる方式、および、ガードサブキャリアおよび直流サブキャリア以外の、ＲＵに含まれるサブキャリアにおいて、アップリンクＩｏＴフレームをネットワーク側装置へ送信する方式である。
【００２５】
第３の態様の第１の実装方式に関連して、第２の実装方式において、ＩｏＴ端末は具体的に、以下の方式で、ＲＵを用いることによって、アップリンクＩｏＴフレームを送信する。ＩｏＴ端末により、ネットワーク側装置とＩｏＴ端末との間のアップリンクデータに対して符号化および変調を実行して、ＩｏＴアップリンク変調シンボルを取得し、かつ、ＩｏＴアップリンク変調シンボルをＲＵに含まれるサブキャリアへマッピングする方式、ＩｏＴ端末により、ＲＵに対応するサブキャリアを含む周波数領域信号に対して逆高速フーリエ変換ＩＦＦＴおよびダウンサンプリングを実行し、サイクリックプリフィクスを付加して、第１のＩｏＴアップリンクベースバンド信号を取得する方式、および、アップリンク伝送チャネルを用いることによって、第１のＩｏＴアップリンクベースバンド信号を送信する方式であって、アップリンク伝送チャネルのキャリア周波数がｆ０＋ｆｒであり、ｆ０は、ＲＵが位置するアップリンクデータフレームを伝送するためのチャネルのキャリア周波数であり、ｆｒは、第２のＲＵの中心周波数とゼロ周波数との間の周波数差である、方式である。
【００２６】
第３の態様に関連して、第３の実装方式において、ＩｏＴ端末は具体的に、以下の方式で、アップリンクＩｏＴフレームを送信する。ＲＵの２つのエッジ位置における指定された数量のサブキャリアをガードサブキャリアとして用いる方式、および、ガードサブキャリア以外の、第２のＲＵに含まれるサブキャリアに対応する周波数帯域において、シングルキャリア方式でアップリンクＩｏＴフレームをネットワーク側装置へ送信する方式である。
【００２７】
第３の態様の第３の実装方式に関連して、第４の実装方式において、ＩｏＴ端末は具体的に、以下の方式で、アップリンクＩｏＴフレームをシングルキャリア方式で送信する。ＩｏＴ端末が、ネットワーク側装置とＩｏＴ端末との間のアップリンクデータに対して符号化および変調を実行し、サイクリックプリフィクスＣＰを付加して、ＩｏＴアップリンクシングルキャリアシンボルを生成する方式、ＩｏＴ端末が、ＩｏＴアップリンクシングルキャリアシンボルに対して波形整形フィルタリングを実行して、第２のＩｏＴアップリンクベースバンド信号を取得する方式、および、ＩｏＴ端末が、アップリンク伝送チャネルを用いることによって、第２のＩｏＴアップリンクベースバンド信号を送信する方式であって、アップリンク伝送チャネルのキャリア周波数がｆ０＋ｆｒであり、ｆ０は、ＲＵが位置するアップリンクデータフレームを伝送するためのチャネルのキャリア周波数であり、ｆｒは、ＲＵの中心周波数とゼロ周波数との間の周波数差である、方式である。
【００２８】
第３の態様の第４の実装方式に関連して、第５の実装方式において、ＩｏＴアップリンクシングルキャリアシンボルと、ＳＴＡにより送信されたＷＬＡＮアップリンクベースバンド信号のＯＦＤＭシンボルとは、同じ長さのＣＰを用い、ＩｏＴアップリンクシングルキャリアシンボルの長さは、ＳＴＡにより送信されたＷＬＡＮアップリンクベースバンド信号のＯＦＤＭシンボルの長さと同じである。
【００２９】
第３の態様の第４の実装方式または第５の実装方式に関連して、第６の実装方式において、ＩｏＴアップリンクシングルキャリアシンボルは、Ｋ個の変調シンボルを含み、各変調シンボルの期間がＴ１＝Ｔ０／Ｋであり、ここで、Ｋは、ＲＵに含まれるサブキャリアの数量を超えない正の整数であり、Ｔ１は、各変調シンボルの期間であり、Ｔ０は、ＳＴＡにより送信されたＷＬＡＮアップリンクベースバンド信号のＯＦＤＭシンボルの長さである。
【００３０】
第３の態様または第３の態様の任意の実装方式に関連して、第７の実装方式において、ＩｏＴプリアンブルにより伝送された、アップリンクＩｏＴフレームの物理層制御情報は、以下のシーケンスのうちの１つまたは任意の組み合わせを含む。アップリンクＩｏＴフレームのタイミング同期および周波数同期を取得するためにネットワーク側装置により用いられる同期シーケンス、または、アップリンクＩｏＴフレームを復調するために必要とされるチャネル推定を取得するためにネットワーク側装置により用いられるトレーニングシーケンスである。
【００３１】
第３の態様または第３の態様の任意の実装方式に関連して、第８の実装方式において、アップリンクＩｏＴフレームは、少なくとも２つのＩｏＴ端末により送信されたアップリンクＩｏＴサブフレームを含み、各ＩｏＴ端末により送信されたアップリンクＩｏＴサブフレームは、ＩｏＴプリアンブルおよびＩｏＴデータフィールドを含む。
【００３２】
第３の態様または第３の態様の任意の実装方式に関連して、第９の実装方式において、アップリンク伝送スケジューリング要求は、ネットワーク側装置により送信されたダウンリンクデータフレームを用いることによって送信され、ダウンリンクデータフレームは、レガシープリアンブルと、高効率無線ローカルエリアネットワークＨＥＷプリアンブルと、データフィールドとを含み、周波数領域においてダウンリンクデータフレームのデータフィールドに対応するサブキャリアリソースが、アップリンク伝送スケジューリング要求を送信するために用いられる少なくとも１つのＲＵを含む。
【００３３】
第４の態様によれば、モノのインターネットＩｏＴ通信方法が提供され、該方法は、ネットワーク側装置が、アップリンク伝送スケジューリング要求をＩｏＴ端末へ送信する段階であって、アップリンク伝送スケジューリング要求は、ＩｏＴ端末に対してアップリンクＩｏＴフレームを送信するようスケジューリングするために用いられる、段階と、ネットワーク側装置が、ＩｏＴ端末によりアップリンク伝送スケジューリング要求に従って送信されたアップリンクＩｏＴフレームを取得する段階であって、アップリンクＩｏＴフレームは、アップリンクデータフレームのデータフィールドに位置し、周波数領域においてアップリンクデータフレームのデータフィールドに対応するサブキャリアリソースが、少なくとも１つのリソースユニットＲＵを含み、少なくとも１つのＲＵは、アップリンクＩｏＴフレームを送信するために用いられ、アップリンクＩｏＴフレームは、ＩｏＴプリアンブルおよびＩｏＴデータフィールドを含み、ＩｏＴプリアンブルは、アップリンクＩｏＴフレームの物理層制御情報を伝送するために用いられ、ＩｏＴデータフィールドは、ネットワーク側装置とＩｏＴ端末との間のアップリンクデータを伝送するために用いられる、段階とを備える。
【００３４】
第４の態様に関連して、第１の実装方式において、ネットワーク側装置は具体的に、以下の方式で、アップリンク伝送スケジューリング要求に従ってＩｏＴ端末により送信されたアップリンクＩｏＴフレームを受信する。ネットワーク側装置が、アップリンク受信信号を取得する方式であって、アップリンク受信信号は、ＩｏＴ端末により送信されたアップリンクＩｏＴフレームを含む、方式、ネットワーク側装置が、アップリンク受信信号からサイクリックプリフィクスＣＰを除去し、高速フーリエ変換ＦＦＴを実行して、周波数領域受信信号を取得する方式、ネットワーク側装置が、周波数領域受信信号からＲＵに対応するサブキャリアにおける信号を取得して、ＩｏＴ周波数領域信号を取得する方式、ネットワーク側装置が、ＩｏＴ周波数領域信号に対して、周波数領域等化と、逆高速フーリエ変換ＩＦＦＴと、復調および復号とを実行して、ネットワーク側装置とＩｏＴ端末との間のアップリンクデータを取得する方式である。
【００３５】
第４の態様または第４の態様の第１の実装方式に関連して、第２の実装方式において、ネットワーク側装置が、アップリンク伝送スケジューリング要求をＩｏＴ端末へ送信する段階は、ネットワーク側装置が、ダウンリンクデータフレームを用いることによって、アップリンク伝送スケジューリング要求を送信する段階であって、ダウンリンクデータフレームは、レガシープリアンブルと、高効率無線ローカルエリアネットワークＨＥＷプリアンブルと、データフィールドとを含み、周波数領域においてダウンリンクデータフレームのデータフィールドに対応するサブキャリアリソースが、アップリンク伝送スケジューリング要求を送信するために用いられる少なくとも１つのＲＵを含む、段階を含む。
【００３６】
第４の態様または第４の態様の任意の実装方式に関連して、第３の実装方式において、ＩｏＴプリアンブルにより伝送された、アップリンクＩｏＴフレームの物理層制御情報は、以下のシーケンスのうちの１つまたは任意の組み合わせを含む。アップリンクＩｏＴフレームのタイミング同期および周波数同期を取得するために、ネットワーク側装置により用いられる同期シーケンス、または、アップリンクＩｏＴフレームを復調するために必要とされるチャネル推定を取得するために、ネットワーク側装置により用いられるトレーニングシーケンスである。
【００３７】
第５の態様によれば、ネットワーク側装置が提供され、該ネットワーク側装置は、ダウンリンクデータ伝送を実行する端末装置を決定するよう構成される決定ユニットであって、端末装置は、ＩｏＴ端末を含む、決定ユニットと、ダウンリンクデータフレームを送信するよう構成される送信ユニットであって、ダウンリンクデータフレームは、レガシープリアンブルと、高効率無線ローカルエリアネットワークＨＥＷプリアンブルと、データフィールドとを含み、周波数領域においてデータフィールドに対応するサブキャリアリソースが、少なくとも１つのリソースユニットＲＵを含み、ＲＵは、ダウンリンクＩｏＴフレームをＩｏＴ端末へ送信するために用いられ、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置とＩｏＴ端末との間のダウンリンクデータを伝送するために用いられる、送信ユニットとを備える。
【００３８】
第５の態様に関連して、第１の実装方式において、端末装置はさらに、ステーションＳＴＡを含み、周波数領域においてデータフィールドに対応するサブキャリアリソースはさらに、ＲＵと異なる少なくとも１つの他のＲＵを含み、少なくとも１つの他のＲＵは、ネットワーク側装置とＳＴＡとの間のダウンリンクデータを伝送するために用いられる。
【００３９】
第５の態様または第５の態様の第１の実装方式に関連して、第２の実装方式において、送信ユニットは具体的に、以下の方式で、ＲＵを用いることによって、ダウンリンクＩｏＴフレームをＩｏＴ端末へ送信する。ＲＵの２つのエッジ位置における指定された数量のサブキャリアをガードサブキャリアとして用いる方式、ＲＵの中間位置における指定された数量のサブキャリアを直流サブキャリアとして用いる方式、および、ガードサブキャリアおよび直流サブキャリア以外の、ＲＵに含まれるサブキャリアを用いることによって、ダウンリンクＩｏＴフレームをＩｏＴ端末へ送信する方式である。
【００４０】
第５の態様の第２の実装方式に関連して、第３の実装方式において、送信ユニットは具体的に、以下の方式で、ダウンリンクデータフレームに含まれるデータフィールドを生成する。ネットワーク側装置とＩｏＴ端末との間のダウンリンクデータに対して符号化および変調を実行して、ＩｏＴダウンリンク変調シンボルを取得し、かつ、ＩｏＴダウンリンク変調シンボルを少なくとも１つのＲＵに含まれるサブキャリアへマッピングする方式、ネットワーク側装置とＳＴＡとの間のダウンリンクデータに対して符号化および変調を実行して、無線ローカルエリアネットワークＷＬＡＮダウンリンク変調シンボルを取得し、かつ、ＷＬＡＮダウンリンク変調シンボルを少なくとも１つの他のＲＵに含まれるサブキャリアへマッピングする方式、および、少なくとも１つのＲＵに対応するサブキャリアと、少なくとも１つの他のＲＵに対応するサブキャリアとを含む周波数領域信号に対して逆高速フーリエ変換ＩＦＦＴを実行し、サイクリックプリフィクスを付加して、ＩｏＴおよびＷＬＡＮのハイブリッド伝送のためのダウンリンクベースバンド信号を生成する方式である。
【００４１】
第５の態様または第５の態様の第１の実装方式に関連して、第４の実装方式において、送信ユニットは具体的に、以下の方式で、ＲＵを用いることによって、ダウンリンクＩｏＴフレームをＩｏＴ端末へ送信する。ＲＵの２つのエッジ位置における指定された数量のサブキャリアをガードサブキャリアとして用いる方式、かつ、ガードサブキャリア以外の、ＲＵに含まれるサブキャリアに対応する周波数帯域において、シングルキャリア方式で、ダウンリンクＩｏＴフレームをＩｏＴ端末へ送信する方式である。
【００４２】
第５の態様の第４の実装方式に関連して、第５の実装方式において、送信ユニットは具体的に、以下の方式で、ダウンリンクデータフレームに含まれるデータフィールドを生成する。ネットワーク側装置とＳＴＡとの間のダウンリンクデータに対して符号化および変調を実行して、無線ローカルエリアネットワークＷＬＡＮダウンリンク変調シンボルを取得し、かつ、ＷＬＡＮダウンリンク変調シンボルを少なくとも１つの他のＲＵに含まれるサブキャリアへマッピングする方式、少なくとも１つの他のＲＵに対応するサブキャリアを含む周波数領域信号に対して逆高速フーリエ変換ＩＦＦＴを実行し、サイクリックプリフィクスＣＰを付加して、ＷＬＡＮダウンリンクベースバンド信号を生成する方式、ネットワーク側装置とＩｏＴ端末との間のダウンリンクデータに対して符号化および変調を実行し、ＣＰを付加してＩｏＴダウンリンクシングルキャリアシンボルを生成する方式、ＩｏＴダウンリンクシングルキャリアシンボルに対して波形整形フィルタリングを実行して、ＩｏＴダウンリンクベースバンド信号を取得する方式、ＩｏＴダウンリンクベースバンド信号に対して周波数変換を実行して、ＩｏＴダウンリンク帯域通過信号を取得する方式であって、ＩｏＴダウンリンク帯域通過信号の中心周波数がｆｒであり、ｆｒは、ゼロ周波数と、ダウンリンクＩｏＴフレームを送信するために用いられるＲＵの中心周波数との間の周波数差である、方式、および、ＩｏＴダウンリンク帯域通過信号とＷＬＡＮダウンリンクベースバンド信号とを加算して、ＩｏＴおよびＷＬＡＮのハイブリッド伝送のためのダウンリンクベースバンド信号を取得する方式である。
【００４３】
第５の態様の第５の実装方式に関連して、第６の実装方式において、ＩｏＴダウンリンクシングルキャリアシンボルと、ＷＬＡＮダウンリンクベースバンド信号のＯＦＤＭシンボルとは、同じ長さのＣＰを用い、ＩｏＴダウンリンクシングルキャリアシンボルの長さは、ＷＬＡＮダウンリンクベースバンド信号のＯＦＤＭシンボルの長さと同じである。
【００４４】
第５の実装方式または第５の態様の第６の実装方式に関連して、第７の実装方式において、ＩｏＴダウンリンクシングルキャリアシンボルは、Ｋ個の変調シンボルを含み、各変調シンボルの期間がＴ１＝Ｔ０／Ｋであり、ここで、Ｋは、ダウンリンクＩｏＴフレームを送信するために用いられるＲＵに含まれるサブキャリアの数量を超えない正の整数であり、Ｔ１は、各変調シンボルの期間であり、Ｔ０は、ＷＬＡＮダウンリンクベースバンド信号のＯＦＤＭシンボルの長さである。
【００４５】
第５の態様または第５の態様の任意の実装方式に関連して、第８の実装方式において、ダウンリンクＩｏＴフレームを送信するために用いられるＲＵは、少なくとも１つのベーシックＲＵを含み、送信ユニットはさらに、ベーシックＲＵにおいてチャネル指示情報を送信するよう構成され、ここで、チャネル指示情報は、ＩｏＴ端末が、ベーシックＲＵから、ベーシックＲＵ以外の、ダウンリンクＩｏＴフレームを送信するために用いられるＲＵへハンドオーバされることを示すために用いられる。
【００４６】
第５の態様または第５の態様の任意の実装方式に関連して、第９の実装方式において、ＩｏＴプリアンブルにより伝送された、ダウンリンクＩｏＴフレームの物理層制御情報は、以下のシーケンスのうちの１つまたは任意の組み合わせを含む。ダウンリンクＩｏＴフレームのタイミング同期および周波数同期を取得するために、ＩｏＴ端末により用いられる同期シーケンス、または、ダウンリンクＩｏＴフレームを復調するために必要とされるチャネル推定を取得するために、ＩｏＴ端末により用いられるトレーニングシーケンスである。
【００４７】
第５の態様または第５の態様の任意の実装方式に関連して、第１０の実装方式において、ＩｏＴデータフィールドは、少なくとも１つのサブフレームを含み、ＩｏＴデータフィールドは、少なくとも２つのＩｏＴ端末のダウンリンクデータを含み、ここで、各ＩｏＴ端末のダウンリンクデータは、少なくとも１つのサブフレームを占有する、または、各ＩｏＴ端末のダウンリンクデータは、少なくとも１つのサブフレームの少なくとも１つのタイムスロットを占有する、または、各ＩｏＴ端末のダウンリンクデータは、少なくとも１つのサブフレームと、該少なくとも１つのサブフレームの少なくとも１つのタイムスロットとを占有する。
【００４８】
第６の態様によれば、ＩｏＴ端末が提供され、該ＩｏＴ端末は、ダウンリンク受信信号からダウンリンクＩｏＴフレームを取得するよう構成される取得ユニットであって、ダウンリンク受信信号は、ネットワーク側装置により送信されたダウンリンクデータフレームを含み、ダウンリンクデータフレームは、レガシープリアンブルと、高効率無線ローカルエリアネットワークＨＥＷプリアンブルと、データフィールドとを含み、周波数領域においてデータフィールドに対応するサブキャリアリソースが、少なくとも１つのリソースユニットＲＵを含み、少なくとも１つのＲＵは、ダウンリンクＩｏＴフレームを送信するために用いられ、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置とＩｏＴ端末との間のダウンリンクデータを伝送するために用いられる、取得ユニットと、取得ユニットにより取得されたダウンリンクＩｏＴフレームを処理して、ネットワーク側装置とＩｏＴ端末との間のダウンリンクデータを取得するよう構成される処理ユニットとを備える。
【００４９】
第６の態様に関連して、第１の実装方式において、ＩｏＴ端末の受信チャネルの帯域幅は、ＲＵの帯域幅を超えず、ＩｏＴ端末の受信チャネルにより用いられるキャリア周波数がｆ０＋ｆｒであり、ここで、ｆ０は、ダウンリンクＩｏＴフレームのキャリア周波数であり、ｆｒは、ＲＵの中心周波数とゼロ周波数との間の周波数差である。
【００５０】
第６の態様または第６の態様の第１の実装方式に関連して、第２の実装方式において、処理ユニットは具体的に、以下の方式で、ダウンリンクＩｏＴフレームを処理して、ネットワーク側装置とＩｏＴ端末との間のダウンリンクデータを取得するよう構成される。ダウンリンクＩｏＴフレームの各直交周波数分割多重化ＯＦＤＭシンボルからサイクリックプリフィクスＣＰを除去し、アップサンプリングおよび高速フーリエ変換ＦＦＴを実行して、ＲＵに含まれるサブキャリアへマッピングされたＩｏＴ変調信号を取得する方式、および、ＩｏＴ変調信号に対して復調および復号を実行して、ネットワーク側装置とＩｏＴ端末との間のダウンリンクデータを取得する方式である。
【００５１】
第６の態様または第６の態様の第１の実装方式に関連して、第３の実装方式において、処理ユニットは具体的に、以下の方式で、ダウンリンクＩｏＴフレームを処理して、ネットワーク側装置とＩｏＴ端末との間のダウンリンクデータを取得するよう構成される。ダウンリンクＩｏＴフレームの各シングルキャリアシンボルからサイクリックプリフィクスＣＰを除去し、周波数領域等化を実行して、ＲＵに対応する周波数帯域へマッピングされたＩｏＴ変調信号を取得する方式、および、ＩｏＴ変調信号に対して復調および復号を実行して、ネットワーク側装置とＩｏＴ端末との間のダウンリンクデータを取得する方式である。
【００５２】
第６の態様または第６の態様の任意の実装方式に関連して、第４の実装方式において、ＩｏＴプリアンブルにより伝送された、ダウンリンクＩｏＴフレームの物理層制御情報は、以下のシーケンスのうちの１つまたは任意の組み合わせを含む。ダウンリンクＩｏＴフレームのタイミング同期および周波数同期を取得するために、ＩｏＴ端末により用いられる同期シーケンス、または、ダウンリンクＩｏＴフレームを復調するために必要とされるチャネル推定を取得するために、ＩｏＴ端末により用いられるトレーニングシーケンスである。
【００５３】
第７の態様によれば、ＩｏＴ端末が提供され、該ＩｏＴ端末は、ネットワーク側装置により送信されたアップリンク伝送スケジューリング要求を受信するよう構成される受信ユニットであって、アップリンク伝送スケジューリング要求は、ＩｏＴ端末に対して、アップリンクＩｏＴフレームを送信するようスケジューリングするために用いられ、アップリンクＩｏＴフレームは、アップリンクデータフレームのデータフィールドに位置し、周波数領域においてアップリンクデータフレームのデータフィールドに対応するサブキャリアリソースが、少なくとも１つのリソースユニットＲＵを含み、少なくとも１つのＲＵは、アップリンクＩｏＴフレームを送信するために用いられる、受信ユニットと、受信ユニットにより受信されたアップリンク伝送スケジューリング要求に従って、アップリンクＩｏＴフレームを送信するよう構成される送信ユニットであって、アップリンクＩｏＴフレームは、ＩｏＴプリアンブルおよびＩｏＴデータフィールドを含み、ＩｏＴプリアンブルは、アップリンクＩｏＴフレームの物理層制御情報を伝送するために用いられ、ＩｏＴデータフィールドは、ネットワーク側装置とＩｏＴ端末との間のアップリンクデータを伝送するために用いられる、送信ユニットとを備える。
【００５４】
第７の態様に関連して、第１の実装方式において、送信ユニットは具体的に、以下の方式で、アップリンクＩｏＴフレームを送信する。ＲＵの２つのエッジ位置における指定された数量のサブキャリアをガードサブキャリアとして用いる方式、ＲＵの中間位置における指定された数量のサブキャリアを直流サブキャリアとして用いる方式、かつ、ガードサブキャリアおよび直流サブキャリア以外の、ＲＵに含まれるサブキャリアにおいて、アップリンクＩｏＴフレームをネットワーク側装置へ送信する方式。
【００５５】
第７の態様の第１の実装方式に関連して、第２の実装方式において、送信ユニットは具体的に、以下の方式で、ＲＵを用いることによって、アップリンクＩｏＴフレームを送信する。ネットワーク側装置とＩｏＴ端末との間のアップリンクデータに対して符号化および変調を実行して、ＩｏＴアップリンク変調シンボルを取得し、かつ、ＩｏＴアップリンク変調シンボルをＲＵに含まれるサブキャリアへマッピングする方式、ＲＵに対応するサブキャリアを含む周波数領域信号に対して逆高速フーリエ変換ＩＦＦＴおよびダウンサンプリングを実行し、サイクリックプリフィクスを付加して、第１のＩｏＴアップリンクベースバンド信号を取得する方式、および、アップリンク伝送チャネルを用いることによって、第１のＩｏＴアップリンクベースバンド信号を送信する方式であって、アップリンク伝送チャネルのキャリア周波数がｆ０＋ｆｒであり、ｆ０は、ＲＵが位置するアップリンクデータフレームを伝送するためのチャネルのキャリア周波数であり、ｆｒは、第２のＲＵの中心周波数とゼロ周波数との間の周波数差である、方式である。
【００５６】
第７の態様に関連して、第３の実装方式において、送信ユニットは具体的に、以下の方式で、アップリンクＩｏＴフレームを送信する。ＲＵの２つのエッジ位置における指定された数量のサブキャリアをガードサブキャリアとして用いる方式、および、ガードサブキャリア以外の、第２のＲＵに含まれるサブキャリアに対応する周波数帯域において、シングルキャリア方式で、アップリンクＩｏＴフレームをネットワーク側装置へ送信する方式である。
【００５７】
第７の態様の第３の実装方式に関連して、第４の実装方式において、送信ユニットは具体的に、以下の方式で、アップリンクＩｏＴフレームをシングルキャリア方式で送信する。ネットワーク側装置とＩｏＴ端末との間のアップリンクデータに対して符号化および変調を実行し、サイクリックプリフィクスＣＰを付加して、ＩｏＴアップリンクシングルキャリアシンボルを生成する方式、ＩｏＴアップリンクシングルキャリアシンボルに対して波形整形フィルタリングを実行して、第２のＩｏＴアップリンクベースバンド信号を取得する方式、および、アップリンク伝送チャネルを用いることによって、第２のＩｏＴアップリンクベースバンド信号を送信する方式であって、アップリンク伝送チャネルのキャリア周波数がｆ０＋ｆｒであり、ｆ０は、ＲＵが位置するアップリンクデータフレームを伝送するためのチャネルのキャリア周波数であり、ｆｒは、ＲＵの中心周波数とゼロ周波数との間の周波数差である、方式である。
【００５８】
第７の態様の第４の実装方式に関連して、第５の実装方式において、ＩｏＴアップリンクシングルキャリアシンボルと、ＳＴＡにより送信されたＷＬＡＮアップリンクベースバンド信号のＯＦＤＭシンボルとは、同じ長さのＣＰを用い、ＩｏＴアップリンクシングルキャリアシンボルの長さは、ＳＴＡにより送信されたＷＬＡＮアップリンクベースバンド信号のＯＦＤＭシンボルの長さ同じである。
【００５９】
第７の態様の第４の実装方式または第５の実装方式に関連して、第６の実装方式において、ＩｏＴアップリンクシングルキャリアシンボルは、Ｋ個の変調シンボルを含み、各変調シンボルの期間がＴ１＝Ｔ０／Ｋであり、ここで、Ｋは、ＲＵに含まれるサブキャリアの数量を超えない正の整数であり、Ｔ１は、各変調シンボルの期間であり、Ｔ０は、ＳＴＡにより送信されたＷＬＡＮアップリンクベースバンド信号のＯＦＤＭシンボルの長さである。
【００６０】
第７の態様または第７の態様の任意の実装方式に関連して、第７の実装方式において、ＩｏＴプリアンブルにより伝送された、アップリンクＩｏＴフレームの物理層制御情報は、以下のシーケンスのうちの１つまたは任意の組み合わせを含む。アップリンクＩｏＴフレームのタイミング同期および周波数同期を取得するために、ネットワーク側装置により用いられる同期シーケンス、または、アップリンクＩｏＴフレームを復調するために必要とされるチャネル推定を取得するために、ネットワーク側装置により用いられるトレーニングシーケンスである。
【００６１】
第７の態様または第７の態様の任意の実装方式に関連して、第８の実装方式において、アップリンクＩｏＴフレームは、少なくとも２つのＩｏＴ端末により送信されたアップリンクＩｏＴサブフレームを含み、各ＩｏＴ端末により送信されたアップリンクＩｏＴサブフレームは、ＩｏＴプリアンブルおよびＩｏＴデータフィールドを含む。
【００６２】
第７の態様または第７の態様の任意の実装方式に関連して、第９の実装方式において、アップリンク伝送スケジューリング要求は、ネットワーク側装置により送信されたダウンリンクデータフレームを用いることによって送信され、ダウンリンクデータフレームは、レガシープリアンブルと、高効率無線ローカルエリアネットワークＨＥＷプリアンブルと、データフィールドとを含み、周波数領域においてダウンリンクデータフレームのデータフィールドに対応するサブキャリアリソースが、アップリンク伝送スケジューリング要求を送信するために用いられる少なくとも１つのＲＵを含む。
【００６３】
第８の態様によれば、ネットワーク側装置が提供され、該ネットワーク側装置は、アップリンク伝送スケジューリング要求をＩｏＴ端末へ送信するよう構成される送信ユニットであって、アップリンク伝送スケジューリング要求は、ＩｏＴ端末に対して、アップリンクＩｏＴフレームを送信するようスケジューリングするために用いられる、送信ユニットと、送信ユニットにより送信されたアップリンク伝送スケジューリング要求に従って、ＩｏＴ端末により送信されたアップリンクＩｏＴフレームを取得するよう構成される取得ユニットであって、アップリンクＩｏＴフレームは、アップリンクデータフレームのデータフィールドに位置し、周波数領域においてアップリンクデータフレームのデータフィールドに対応するサブキャリアリソースが、少なくとも１つのリソースユニットＲＵを含み、少なくとも１つのＲＵは、アップリンクＩｏＴフレームを送信するために用いられ、アップリンクＩｏＴフレームは、ＩｏＴプリアンブルおよびＩｏＴデータフィールドを含み、ＩｏＴプリアンブルは、アップリンクＩｏＴフレームの物理層制御情報を伝送するために用いられ、ＩｏＴデータフィールドは、ネットワーク側装置とＩｏＴ端末との間のアップリンクデータを伝送するために用いられる、取得ユニットとを備える。
【００６４】
第８の態様に関連して、第１の実装方式において、取得ユニットは具体的に、以下の方式で、アップリンク伝送スケジューリング要求に従って、ＩｏＴ端末により送信されたアップリンクＩｏＴフレームを取得する。アップリンク受信信号を取得する方式であって、アップリンク受信信号は、ＩｏＴ端末により送信されたアップリンクＩｏＴフレームを含む、方式、アップリンク受信信号からサイクリックプリフィクスＣＰを除去し、高速フーリエ変換ＦＦＴを実行して、周波数領域受信信号を取得する方式、周波数領域受信信号からＲＵに対応するサブキャリアにおける信号を取得して、ＩｏＴ周波数領域信号を取得する方式、および、ＩｏＴ周波数領域信号に対して、周波数領域等化と、逆高速フーリエ変換ＩＦＦＴと、復調および復号とを実行して、ネットワーク側装置とＩｏＴ端末との間のアップリンクデータを取得する方式である。
【００６５】
第８の態様または第８の態様の第１の実装方式に関連して、第２の実装方式において、送信ユニットは具体的に、以下の方式で、アップリンク伝送スケジューリング要求をＩｏＴ端末へ送信する。ダウンリンクデータフレームを用いることによって、アップリンク伝送スケジューリング要求を送信する方式であって、ダウンリンクデータフレームは、レガシープリアンブルと、高効率無線ローカルエリアネットワークＨＥＷプリアンブルと、データフィールドとを含み、周波数領域においてダウンリンクデータフレームのデータフィールドに対応するサブキャリアリソースが、アップリンク伝送スケジューリング要求を送信するために用いられる少なくとも１つのＲＵを含む、方式である。
【００６６】
第８の態様または第８の態様の任意の実装方式に関連して、第３の実装方式において、ＩｏＴプリアンブルにより伝送された、アップリンクＩｏＴフレームの物理層制御情報は、以下のシーケンスのうちの１つまたは任意の組み合わせを含む。アップリンクＩｏＴフレームのタイミング同期および周波数同期を取得するために、ネットワーク側装置により用いられる同期シーケンス、または、アップリンクＩｏＴフレームを復調するために必要とされるチャネル推定を取得するために、ネットワーク側装置により用いられるトレーニングシーケンスである。
【００６７】
本願発明の実施形態において提供されているＩｏＴ通信方法、ネットワーク側装置、およびＩｏＴ端末によれば、周波数領域においてＷＬＡＮデータフレームのデータフィールドに対応するサブキャリアリソースが、ネットワーク側装置とＩｏＴ端末との間のダウンリンクデータまたはアップリンクデータを伝送するために用いられるＲＵと、ネットワーク側装置とＳＴＡとの間のダウンリンクデータまたはアップリンクデータを伝送するために用いられるＲＵとを含み、これにより、ＩｏＴ端末およびＳＴＡは、データ送信または受信のためのＷＬＡＮネットワークにおいて、データフレームを共有することができ、さらに、ＷＬＡＮにおけるネットワーク側装置は、ＩｏＴ端末に対してスケジューリングすることができ、それにより、ＩｏＴ通信過程における衝突のリスクを低減する。
【図面の簡単な説明】
【００６８】
【図１】ＷＬＡＮネットワークアーキテクチャの概略図である。
【００６９】
【図２】８０２．１１ａｘ物理層データフレームのパケット構造である。
【００７０】
【図３】周波数領域における８０２．１１ａｘデータフレームのデータフィールドに対応するサブキャリアリソースの区分の概略図である。
【００７１】
【図４】本願発明の実施形態に係るデータフレームの模式的構造図である。
【００７２】
【図５】本願発明の実施形態に係る第１のＩｏＴ通信方法の実装フローチャートである。
【００７３】
【図６】本願発明の実施形態に係るダウンリンクデータフレームの模式的構造図である。
【００７４】
【図７】本願発明の実施形態に係るＩｏＴデータを伝送するためのサブキャリアの模式図である。
【００７５】
【図８】本願発明の実施形態に係るＯＦＤＭ方式でデータフィールドを生成するための方法である。
【００７６】
【図９】本願発明の実施形態に係るＯＦＤＭ方式でＩｏＴ端末がダウンリンクデータを取得する過程の模式図である。
【００７７】
【図１０】本願発明の実施形態に係るシングルキャリア方式でデータフィールドを生成するための方法である。
【００７８】
【図１１】本願発明の実施形態に係るシングルキャリア方式でＩｏＴ端末がダウンリンクデータを取得する過程の模式図である。
【００７９】
【図１２】本願発明の実施形態に係るダウンリンクＩｏＴフレームの時分割多重の模式的構造図である。
【００８０】
【図１３】本願発明の実施形態に係る第２のＩｏＴ通信方法の実装フローチャートである。
【００８１】
【図１４】本願発明の実施形態に係る第３のＩｏＴ通信方法の実装フローチャートである。
【００８２】
【図１５】本願発明の実施形態に係るアップリンクデータフレームの模式的構造図である。
【００８３】
【図１６】本願発明の実施形態に係るアップリンクデータフレームの他の模式的構造図である。
【００８４】
【図１７】本願発明の実施形態に係るアップリンクデータ伝送のための物理層フレームの模式的構造図である。
【００８５】
【図１８】本願発明の実施形態に係るアップリンクデータ伝送のための物理層フレームの他の模式的構造図である。
【００８６】
【図１９】本願発明の実施形態に係るＯＦＤＭ方式でアップリンクＩｏＴフレームが送信される過程の模式図である。
【００８７】
【図２０】本願発明の実施形態に係るシングルキャリア方式でアップリンクＩｏＴフレームが送信される過程の模式図である。
【００８８】
【図２１】本願発明の実施形態に係る同じ長さのアップリンクシングルキャリアシンボルおよび８０２．１１ａｘ  ＯＦＤＭシンボルの模式図である。
【００８９】
【図２２】本願発明の実施形態に係るアップリンクＩｏＴフレームの時分割多重の模式的構造図である。
【００９０】
【図２３】本願発明の実施形態に係る第４のＩｏＴ通信方法の実装フローチャートである。
【００９１】
【図２４】本願発明の実施形態に係るネットワーク側装置がアップリンクデータフレームを受信する過程の模式図である。
【００９２】
【図２５】本願発明の実施形態に係るネットワーク側装置がアップリンクデータを受信する過程の模式図である。
【００９３】
【図２６】本願発明の実施形態に係るＯＦＤＭベースＩｏＴフレームの模式的構造図である。
【００９４】
【図２７】本願発明の実施形態に係るシングルキャリアベースのＩｏＴフレームの模式的構造図である。
【００９５】
【図２８】本願発明の実施形態に係る第１のネットワーク側装置の模式的構造図である。
【００９６】
【図２９】本願発明の実施形態に係る第１のネットワーク側装置の他の模式的構造図である。
【００９７】
【図３０】本願発明の実施形態に係る第１のＩｏＴ端末の模式的構造図である。
【００９８】
【図３１】本願発明の実施形態に係る第１のＩｏＴ端末の他の模式的構造図である。
【００９９】
【図３２】本願発明の実施形態に係る第２のＩｏＴ端末の模式的構造図である。
【０１００】
【図３３】本願発明の実施形態に係る第２のＩｏＴ端末の他の模式的構造図である。
【０１０１】
【図３４】本願発明の実施形態に係る第２のネットワーク側装置の模式的構造図である。
【０１０２】
【図３５】本願発明の実施形態に係る第２のネットワーク側装置の他の模式的構造図である。
【０１０３】
【図３６】本願発明の実施形態に係る通信システムの模式的組成図である。
【発明を実施するための形態】
【０１０４】
以下では、本願発明の実施形態の添付図面を参照して、本願発明の実施形態における技術的解決手段を明確に説明する。
【０１０５】
本願発明の実施形態において提供されているＩｏＴ通信方法は、図１に示されている無線ローカルアクセスネットワーク（Ｗｉｒｅｌｅｓｓ  ｌｏｃａｌ  Ａｃｃｅｓｓ  Ｎｅｔｗｏｒｋ、ＷＬＡＮ）のネットワークアーキテクチャに適用されてよい。図１の、アクセスポイント（Ａｃｃｅｓｓ  Ｐｏｉｎｔ、ＡＰ）などのＷＬＡＮネットワーク装置は、複数のステーション（Ｓｔａｔｉｏｎ、ＳＴＡ）などのＷＬＡＮ装置との双方向通信を担う。すなわち、ＡＰは、ダウンリンクデータをＳＴＡへ送信し得る。図１に示されているように、ＡＰは、ダウンリンクデータを、ＳＴＡ１およびＳＴＡ２へ送信し得る。ＡＰはまた、ＳＴＡからアップリンクデータを受信し得る。図１に示されているように、ＡＰは、ＳＴＡ３からアップリンクデータを受信し得る。
【０１０６】
ＷＬＡＮは、ＩＥＥＥ８０２．１１標準規格組織により提案された８０２．１１ａ、８０２．１１ｎ、８０２．１１ａｃ、および８０２．１１ａｘ標準規格をサポートする。容易に説明するために、以下では、ＷＬＡＮによりサポートされる８０２．１１ａｘ標準規格を例として用いて、本願発明の実施形態を説明する。本願発明の実施形態に関する８０２．１１ａｘはＷＬＡＮであることが、留意されるべきである。８０２．１１ａｘは、直交周波数分割多重化（ＯＦＤＭ）技術をサポートする。ＯＦＤＭＡにおいて、帯域幅チャネルは、周波数領域において複数の直交サブキャリアに分割され、異なるサブキャリアは、異なるユーザに割り当てられ、これにより、マルチユーザ直交多重伝送を実現する。
【０１０７】
本願発明の実施形態において、ＩｏＴ端末およびＳＴＡは、周波数領域において、８０２．１１ａｘ物理層データフレームに対応するサブキャリアリソースに対して、周波数分割多重化を実行することができ、これにより、８０２．１１ａｘにおいてＩｏＴをサポートする。
【０１０８】
図２は、８０２．１１ａｘ物理層データフレームのパケット構造を示す。図２に示されているように、８０２．１１ａｘ物理層データフレームは、レガシープリアンブルと、ＨＥＷプリアンブルと、データフィールドとを含む。８０２．１１ａｘ物理層データフレームの最初の部分は、レガシープリアンブルであり、最後の部分は、データフィールドであり、８０２．１１ａｘプロトコル固有のプリアンブル、すなわち、ＨＥＷプリアンブルは、レガシープリアンブルとデータフィールドとの間に位置する。レガシープリアンブルは、レガシショートトレーニングフィールド（Ｌｅｇａｃｙ  Ｓｈｏｒｔ  Ｔｒａｉｎｉｎｇ  ｆｉｅｌｄ、Ｌ−ＳＴＦ）と、レガシロングトレーニングフィールド（Ｌｅｇａｃｙ  Ｌｏｎｇ  Ｔｒａｉｎｉｎｇ  ｆｉｅｌｄ、Ｌ−ＬＴＦ）と、レガシ信号フィールド（Ｌｅｇａｃｙ  Ｓｉｇｎａｌ  ｆｉｅｌｄ、略してＬ−ＳＩＧ）とを含む。ＨＥＷフィールドは、繰り返しレガシ信号フィールド（Ｒｅｐｅａｔｅｄ  Ｌｅｇａｃｙ  Ｓｉｇｎａｌ  ｆｉｅｌｄ、ＲＬ−ＳＩＧ）、高効率信号Ａフィールド（Ｈｉｇｈ  Ｅｆｆｉｃｉｅｎｃｙ  Ｓｉｇｎａｌ−Ａ  ｆｉｅｌｄ、ＨＥ−ＳＩＧ−Ａ）、高効率信号Ｂフィールド（Ｈｉｇｈ  Ｅｆｆｉｃｉｅｎｃｙ  Ｓｉｇｎａｌ−Ｂ  ｆｉｅｌｄ、ＨＥ−ＳＩＧ−Ｂ）、高効率ショートトレーニングフィールド（Ｈｉｇｈ  Ｅｆｆｉｃｉｅｎｃｙ  Ｓｈｏｒｔ  Ｔｒａｉｎｉｎｇ  ｆｉｅｌｄ、ＨＥ−ＳＴＦ）、高効率ロングトレーニングフィールド（Ｈｉｇｈ  Ｅｆｆｉｃｉｅｎｃｙ  Ｌｏｎｇ  Ｔｒａｉｎｉｎｇ  ｆｉｅｌｄ、ＨＥ−ＬＴＦ）、および同様のものを含む。データフィールドは、データ伝送のために用いられる。Ｌ−ＳＩＧ、ＲＬ−ＳＩＧ、ＨＥ−ＳＩＧ−Ａ、ＨＥ−ＳＩＧ−Ｂ、および同様のものは、異なる種類の物理層シグナリングを伝送するために別々に用いられる。Ｌ−ＳＴＦ、Ｌ−ＬＴＦ、ＨＥ−ＳＴＦ、ＨＥ−ＬＴＦ、および同様のものは主に、タイミング同期、周波数同期、自動利得制御、チャネル推定、および同様のもののために用いられる。
【０１０９】
周波数領域において８０２．１１ａｘ物理層データフレームのデータフィールドに対応するサブキャリアリソースが、少なくとも１つのリソースユニット（Ｒｅｓｏｕｒｃｅ  Ｕｎｉｔ、ＲＵ）に分割される。２０ＭＨｚのチャネルの例において、２０ＭＨｚのチャネルは、周波数領域において２５６個のサブキャリアリソースに対応している。図３に示されているように、２５６個のサブキャリアリソースはそれぞれ、−１２８、−１２７、...、１２６、および１２７と番号付けられる。中間位置におけるサブキャリア、すなわち、サブキャリア−１、サブキャリア０、およびサブキャリア１は、直流サブキャリアと称される。該３つのサブキャリアがトランシーバシステムにおいて直流オフセットに影響されやすいので、該３つのサブキャリアは、データ伝送のために使用されない。２つのエッジ位置におけるサブキャリア、すなわち、−１２８〜−１２３と番号付けられた左側の６個のサブキャリアと、１２３〜１２７と番号付けられた右側の５つのサブキャリアとは、ガードサブキャリアと称される。ガードサブキャリアは、伝送信号の帯域外漏洩を低減するために用いられ、これにより、隣接チャネルの干渉を回避する。従って、ガードサブキャリアも、データ伝送のために使用されない。言い換えれば、２０ＭＨｚのチャネルにおいてデータ伝送のために利用可能なサブキャリアは、−１２２〜−２と番号付けられたサブキャリアと、２〜１２２と番号付けられたサブキャリアとを含む、合計で２４２個のサブキャリアである。該２４２個の、データ伝送のために利用可能なサブキャリアはさらに、異なる数量のサブキャリアを含むＲＵ、例えば、２６個、５２個、１０６個、および２４２個のサブキャリアを含むＲＵに分割される。従って、図３に示されているように、２０ＭＨｚのチャネルは最大で、それぞれが２６個のサブキャリアを含む９つのＲＵ、それぞれが５２個のサブキャリアを含む４つのＲＵ、それぞれが１０６個のサブキャリアを含む２つのＲＵ、または２４２個のサブキャリアを含む１つのＲＵを含んでよい。同様に、４０ＭＨｚのチャネルは最大で、それぞれが２６個のサブキャリアを含む１８個のＲＵ、それぞれが５２個のサブキャリアを含む８個のＲＵ、それぞれが１０６個のサブキャリアを含む４つのＲＵ、それぞれが２４２個のサブキャリアを含む２つのＲＵ、または４８４個のサブキャリアを含む１つのＲＵを含んでよい。８０ＭＨｚのチャネルは最大で、それぞれが２６個のサブキャリアを含む３７個のＲＵ、それぞれが５２個のサブキャリアを含む１６個のＲＵ、それぞれが１０６個のサブキャリアを含む８個のＲＵ、それぞれが２４２個のサブキャリアを含む４つのＲＵ、それぞれが４８４個のサブキャリアを含む２つのＲＵ、または９９６個のサブキャリアを含む１つのＲＵを含んでよい。
【０１１０】
本願発明の実施形態において、ＩｏＴ端末およびＳＴＡは、周波数領域において８０２．１１ａｘ物理層データフレームのデータフィールドに対応するサブキャリアリソースに対して周波数分割多重化を実行する。本願発明の実施形態において、周波数領域において８０２．１１ａｘ物理層データフレームのデータフィールドに対応するサブキャリアリソースは、ＩｏＴ−ＲＵと非ＩｏＴ−ＲＵとを含む。ＩｏＴ−ＲＵは、ネットワーク側装置とＩｏＴ端末との間のダウンリンクデータまたはアップリンクデータを伝送するために用いられる。非ＩｏＴ−ＲＵは、ネットワーク側装置とＳＴＡとの間のダウンリンクデータまたはアップリンクデータを伝送するために用いられる。
【０１１１】
さらに、本願発明の実施形態において、８０２．１１ａｘ物理層データフレームに含まれるレガシープリアンブルおよびＨＥＷプリアンブルは、ＩｏＴ通信において周波数分割多重化のために使用されない。すなわち、レガシープリアンブルおよびＨＥＷプリアンブルは依然として、ネットワーク側装置とステーションＳＴＡとの間の通信のために用いられる。
【０１１２】
図４は、本願発明の実施形態に係る、データ伝送のためのデータフレームの模式的構造図を示し、ここで、ＩｏＴ端末およびＳＴＡは、周波数領域において８０２．１１ａｘ物理層データフレームのデータフィールドに対応するサブキャリアリソースに対して多重化を実行し、これにより、データ伝送を実行する。図４において、ＩｏＴ−ＲＵは、ＡＰとＩｏＴ端末との間のダウンリンクデータまたはアップリンクデータを伝送するために用いられ、非ＩｏＴ−ＲＵは、ＡＰとＳＴＡとの間のダウンリンクデータまたはアップリンクデータを伝送するために用いられる。
【０１１３】
本願発明の実施形態において、図４のデータフレームの構造は、ＩｏＴ通信のために用いられ、これにより、８０２．１１ａｘにおいてＩｏＴ端末とネットワーク側装置との間の通信を実行する。すなわち、ネットワーク側装置は、ＩｏＴ通信に対してスケジューリングおよび調整することができ、それにより、ＩｏＴ端末の間の衝突と、ＩｏＴ端末とＷＬＡＮ装置との間の衝突とを回避する。
【０１１４】
本願発明の実施形態において、以下では、８０２．１１ａｘにおいてＩｏＴ端末とネットワーク側装置との間の通信をどのように実現するかを具体的に説明する。
【０１１５】
図５は、本願発明の実施形態に係る第１のＩｏＴ通信方法の実装フローチャートである。図５の方法は、ネットワーク側装置により実行され、ネットワーク側装置は、例えば、ＡＰであってよい。このことは、本願発明のこの実施形態に限定されない。図５に示されているように、本願発明のこの実施形態において提供されている第１のＩｏＴ通信方法の実装フローチャートは、以下の段階を含む。
【０１１６】
Ｓ１０１：ネットワーク側装置が、ダウンリンクデータ伝送を実行する端末装置を決定する段階である。
【０１１７】
本願発明のこの実施形態において、ネットワーク側装置が、８０２．１１ａｘをサポートするＳＴＡを、ダウンリンクデータ伝送を実行する端末装置として決定する従来技術と異なり、本願発明のこの実施形態おけるネットワーク側装置はさらに、ＩｏＴ端末を、ダウンリンクデータ伝送を実行する端末装置として決定し得る。すなわち、ネットワーク側装置により決定されたダウンリンクデータ伝送を実行する端末装置は、８０２．１１ａｘをサポートするＳＴＡ、またはＩｏＴ端末であってよい。言い換えれば、本願発明のこの実施形態における、ダウンリンクデータ伝送を実行する、決定された端末装置は、８０２．１１ａｘをサポートするＳＴＡおよびＩｏＴ端末を含んでよく、または、ＩｏＴ端末のみを含んでよい。
【０１１８】
本願発明のこの実施形態におけるダウンリンクデータ伝送は、ネットワーク側装置がダウンリンクデータを送信し、端末装置がダウンリンクデータを受信する通信プロセスであってよいことが留意されるべきである。
【０１１９】
Ｓ１０２：ネットワーク側装置が、ダウンリンクデータフレームを送信する段階である。
【０１２０】
本願発明のこの実施形態において、ダウンリンクデータ伝送を実行する端末装置を決定した後に、ネットワーク側装置は、ダウンリンクデータフレームを送信してよい。
【０１２１】
図６は、本願発明のこの実施形態に関するダウンリンクデータフレームの模式的構造図である。図６に示されているダウンリンクデータフレームは、レガシープリアンブルと、ＨＥＷプリアンブルと、データフィールドとを含む。図６に示されているレガシープリアンブルは、図２に示されているＬ−ＳＴＦ、Ｌ−ＬＴＦ、およびＬ−ＳＩＧなどのフィールドを含み、図６に示されているＨＥＷプリアンブルは、図２に示されているＲＬ−ＳＩＧ、ＨＥ−ＳＩＧ−Ａ、ＨＥ−ＳＩＧ−Ｂ、ＨＥ−ＳＴＦ、およびＨＥ−ＬＴＦなどのフィールドを含む。すなわち、本願発明のこの実施形態に関するダウンリンクデータフレームに含まれるレガシープリアンブルおよびＨＥＷプリアンブルは、８０２．１１ａｘにおけるレガシープリアンブルおよびＨＥＷプリアンブルと同じ機能および同じ構造を有し、両方とも、ネットワーク側装置とステーションＳＴＡとの間の通信のために用いられる。
【０１２２】
本願発明のこの実施形態において、図６に示されているダウンリンクデータフレームに含まれるデータフィールドは、図２に示されている８０２．１１ａｘデータフレーム構造のデータフィールドと異なる。本願発明のこの実施形態において、周波数領域において図６に示されているダウンリンクデータフレームのデータフィールドに対応するサブキャリアリソースが、ダウンリンクＩｏＴフレームをＩｏＴ端末へ送信するために用いられる少なくとも１つのＲＵを含む。
【０１２３】
本願発明のこの実施形態において、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置とＩｏＴ端末との間のダウンリンクデータを伝送するために用いられる。
【０１２４】
本願発明のこの実施形態において、ネットワーク側装置により決定された端末装置がＳＴＡを含む場合、周波数領域においてデータフィールドに対応するサブキャリアリソースはさらに、ＩｏＴダウンリンクデータフレームを伝送するために用いられるＲＵと異なる少なくとも１つの他のＲＵを含み、少なくとも１つの他のＲＵは、ネットワーク側装置とＳＴＡとの間のダウンリンクデータを伝送するために用いられる。
【０１２５】
本願発明のこの実施形態において、容易に説明するために、ＩｏＴダウンリンクデータフレームを伝送するために用いられるＲＵは、第１のＲＵと称され、ネットワーク側装置とＳＴＡとの間のダウンリンクデータを伝送するために用いられるＲＵは、第２のＲＵと称される。本願発明のこの実施形態において、第１のＲＵは、図４のＩｏＴ−ＲＵと同等であり、ダウンリンクＩｏＴフレームをＩｏＴ端末へ送信するために用いられる。第２のＲＵは、図４の非ＩｏＴ−ＲＵと同等であり、ネットワーク側装置とＳＴＡとの間のダウンリンクデータをＳＴＡへ送信するために用いられる。
【０１２６】
本願発明のこの実施形態において、図６に示されている第１のＲＵを用いることによって送信されたダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置とＩｏＴ端末との間のダウンリンクデータを伝送するために用いられる。
【０１２７】
本願発明のこの実施形態において、ＩｏＴプリアンブルにより伝送された、ダウンリンクＩｏＴフレームの物理層制御情報は、以下のシーケンスのうちの１つまたは任意の組み合わせを含む。ダウンリンクＩｏＴフレームのタイミング同期および周波数同期を取得するために、ＩｏＴ端末により用いられる同期シーケンス、または、ダウンリンクＩｏＴフレームを復調するために必要とされるチャネル推定を取得するために、ＩｏＴ端末により用いられるトレーニングシーケンスである。
【０１２８】
本願発明のこの実施形態において、ダウンリンクＩｏＴフレームは、データフィールドの第１のＲＵにおいて送信され、これにより、ＩｏＴ端末は、ダウンリンクＩｏＴフレームのプリアンブル部分をパースすることができ、８０２．１１ａｘにおけるプリアンブル部分をパースする必要がなく、ＩｏＴ端末により実行されるタイミング同期に関する情報、周波数同期、およびチャネル推定を取得する。すなわち、ＩｏＴ端末は、２０／４０／８０ＭＨｚの高帯域幅をサポートする必要がなく、制限された帯域幅を有する狭帯域ＩｏＴ端末が有効にサポートされ、それにより、ＩｏＴ装置の低複雑性、かつ低消費電力の要求が満たされる。
【０１２９】
本願発明のこの実施形態において提供されているＩｏＴダウンリンク通信方法によれば、ネットワーク側装置は、ダウンリンクデータ伝送を実行する端末装置がＩｏＴ端末を含むことを決定する。すなわち、ネットワーク側装置は、ダウンリンクデータをＩｏＴ端末へ送信してよく、これにより、ネットワーク側装置は、ＩｏＴ端末に対してスケジューリングおよび調整することができる。さらに、本願発明のこの実施形態における、ネットワーク側で送信されたダウンリンクデータフレームにおけるレガシープリアンブルおよびＨＥＷプリアンブルは、８０２．１１ａｘにおけるプリアンブルと同じ構造を有し、これにより、ＳＴＡは、本願発明のこの実施形態における、ネットワーク側で送信されたダウンリンクデータフレームにおけるレガシープリアンブルおよびＨＥＷプリアンブルを受信することができ、ネットワーク側装置によりスケジューリングおよび調整されることができる。従って、ＳＴＡは、チャネルのためにＩｏＴ端末と競合することなく、それにより、ＩｏＴ端末と、ＳＴＡなどのＷＬＡＮ装置との間の衝突を回避する。ＩｏＴ端末およびＳＴＡは、本願発明のこの実施形態における、ネットワーク側で送信されたダウンリンクデータフレームにおいてデータフィールドに対して周波数分割多重化を実行し、これにより、ＳＴＡおよびＩｏＴ端末は、ＷＬＡＮチャネルリソースを共有することができ、ダウンリンク伝送過程において互いに干渉しない。
【０１３０】
本願発明のこの実施形態において、以下では、ネットワーク側装置が、第１のＲＵを用いることによってダウンリンクＩｏＴフレームをＩｏＴ端末へ送信する実装過程を具体的に説明する。
【０１３１】
実装方式１：ネットワーク側装置が、ＯＦＤＭ方式で、第１のＲＵを用いてダウンリンクＩｏＴフレームをＩｏＴ端末へ送信する。
【０１３２】
ＩｏＴ装置は、８０２．１１ａｘにおいて２０ＭＨｚの高帯域幅のダウンリンク受信信号を直接受信することができない。代わりに、ＩｏＴ装置は、受信チャネルのアナログフィルタを用いることによって、ダウンリンク受信信号における、第１のＲＵの帯域外の８０２．１１ａｘ信号をフィルタリングして除外する。すなわち、ＩｏＴ装置は、第１のＲＵの帯域内のＩｏＴ信号のみを受信する。従って、本願発明のこの実施形態において、第１のＲＵの帯域外の８０２．１１ａｘ信号から第１のＲＵの帯域内のＩｏＴ信号への干渉を回避するために、第１のＲＵの２つのエッジ位置における指定された数量のサブキャリアが、ガードサブキャリアとして用いられ、第１のＲＵの中間位置における指定された数量のサブキャリアは、直流サブキャリアとして用いられる。ガードサブキャリアおよび直流サブキャリアのどちらも、ダウンリンクＩｏＴフレームのデータ伝送のために用いられ、ダウンリンクＩｏＴフレームは、ガードサブキャリアおよび直流サブキャリア以外の、第１のＲＵに含まれるサブキャリアを用いることによって、ＩｏＴ端末へ送信される。
【０１３３】
例えば、２６個のサブキャリアを含むＲＵが第１のＲＵとして用いられる場合、該２６個のサブキャリアのうちの１６個のみが、ＩｏＴデータ伝送のために用いられる。図７に示されているように、第１のＲＵの２６個のサブキャリアは左から右へ順次に、−１３、−１２、...、１１、および１２と番号付けられ、サブキャリア−１３、−１２、−１１、および−１０と、サブキャリア１０、１１、および１２は、ガードサブキャリアとして用いられ、サブキャリア−１、０、および１は、直流サブキャリアとして用いられる。同様に、５２個のサブキャリアを含むＲＵがＩｏＴ−ＲＵとして用いられる場合、５２個のサブキャリアのうちの３８個のみが、ＩｏＴデータ伝送のために用いられてよい。ＲＵの５２個のサブキャリアが左から右へ順次に、−２６、−２５、...、２４、および２５と番号付けられた場合、−２６〜−２１と番号付けられた６個のサブキャリアと、２１〜２５と番号付けられた５つのサブキャリアとは、ＩｏＴガードサブキャリアとして用いられ、サブキャリア−１、０、および１は、ＩｏＴ直流サブキャリアとして用いられる。
【０１３４】
本願発明のこの実施形態において、ダウンリンクデータフレームに含まれるデータフィールドは、図８に示されている方法を用いることによって生成され得る。図８において、ネットワーク側装置は、ネットワーク側装置とＩｏＴ端末との間のダウンリンクデータ、すなわち、図８において説明されているＩｏＴダウンリンクデータに対して符号化および変調を実行し、ＩｏＴダウンリンク変調シンボルを取得する。ＩｏＴダウンリンク変調シンボルが取得された後に、ＩｏＴダウンリンク変調シンボルは、第１のＲＵに含まれるサブキャリアへマッピングされる。すなわち、データフィールドにおける、ＩｏＴダウンリンク変調シンボルの伝送位置が、第１のＲＵに含まれるサブキャリアの位置である。ネットワーク側装置は、ネットワーク側装置とＳＴＡとの間のダウンリンクデータ、すなわち、図８に示されている８０２．１１ａｘダウンリンクデータに対して符号化および変調を実行し、ＷＬＡＮダウンリンク変調シンボルを取得する。ＷＬＡＮダウンリンク変調シンボルが取得された後に、ＷＬＡＮダウンリンク変調シンボルは、第２のＲＵに含まれるサブキャリアへマッピングされ、すなわち、データフィールドにおけるＷＬＡＮダウンリンク変調シンボルの伝送位置は、第２のＲＵに含まれるサブキャリアの位置である。ネットワーク側装置は、第１のＲＵに対応するサブキャリアと、第２のＲＵに対応するサブキャリアとを含む周波数領域信号に対して、逆高速フーリエ変換（ＩＦＦＴ）を実行し、サイクリックプリフィクス（ＣＰ）を付加して、ＩｏＴおよびＷＬＡＮのハイブリッド伝送のためのダウンリンクベースバンド信号を生成する。
【０１３５】
それに対応して、ＩｏＴ端末は、受信チャネルを用いることによって、ネットワーク側装置により送信されたダウンリンクデータフレームを含むダウンリンク受信信号から、ＩｏＴダウンリンク信号を取得してよい。本願発明のこの実施形態において、ＩｏＴ端末の受信チャネルの帯域幅は、第１のＲＵの帯域幅を超えない。ＩｏＴ端末の受信チャネルにより用いられるキャリア周波数がｆ０＋ｆｒに設定され、ここで、ｆ０は、ダウンリンク受信信号のキャリア周波数であり、ｆｒは、第１のＲＵの中心周波数と、ゼロ周波数（例えば、図７の０と番号付けられたサブキャリアに対応する周波数）との間の周波数差である。本願発明のこの実施形態において、ダウンリンク受信信号が、動作周波数がキャリア周波数として設定されたＩｏＴ端末の受信チャネルを通過した後に、第１のＲＵの帯域外のＷＬＡＮダウンリンク信号がフィルタリングされて除外される。従って、ＩｏＴ端末は、フィルタリング後に取得されたＩｏＴダウンリンク信号を処理し得てネットワーク側装置とＩｏＴ端末との間のダウンリンクデータを取得し得る。
【０１３６】
図９は、本願発明の実施形態に係るＯＦＤＭ方式でＩｏＴ端末がＩｏＴダウンリンク信号を処理し、ネットワーク側装置とＩｏＴ端末との間のダウンリンクデータを取得する過程の模式図である。図９において、ＩｏＴ端末は、ＩｏＴダウンリンク信号の各ＯＦＤＭシンボルからＣＰを除去し、かつ、アップサンプリングおよび対応するポイント数のＦＦＴを実行して、第１のＲＵに含まれるサブキャリアへマッピングされたＩｏＴ変調信号を取得する。例えば、２５６ポイントのＦＦＴ、５１２ポイントＦＦＴ、および１０２４ポイントのＦＦＴはそれぞれ、２０ＭＨｚのチャネル帯域幅、４０ＭＨｚのチャネル帯域幅、および８０ＭＨｚのチャネル帯域幅に対して実行され、第１のＲＵに含まれるサブキャリアへマッピングされたＩｏＴ変調信号を取得する。ＩｏＴ変調信号が取得された後に、ＩｏＴ端末は、ＩｏＴ変調信号に対して復調および復号を実行し、ネットワーク側装置とＩｏＴ端末との間のダウンリンクデータを取得する。
【０１３７】
実装方式２：ネットワーク側装置は、シングルキャリア（Ｓｉｎｇｌｅ  Ｃａｒｒｉｅｒ、ＳＣ）方式で、第１のＲＵを用いることによって、ダウンリンクＩｏＴフレームをＩｏＴ端末へ送信する。
【０１３８】
本願発明のこの実施形態において、第１のＲＵの帯域外の８０２．１１ａｘ信号から第１のＲＵの帯域内のＩｏＴ信号への干渉を回避するために、ＯＦＤＭ方式でのダウンリンクＩｏＴフレーム伝送と同様に、第１のＲＵの２つのエッジ位置における指定された数量のサブキャリアをガードサブキャリアとして用いてよい。ＯＦＤＭ方式でのダウンリンクＩｏＴフレーム伝送が受信機の直流オフセットに影響されやすい状況と異なり、受信機の直流オフセットの影響は、シングルキャリア方式では比較的軽減される。従って、直流サブキャリアを保留する必要がない。本願発明のこの実施形態において、ダウンリンクＩｏＴフレームは、ガードサブキャリア以外の、第１のＲＵに含まれるサブキャリアに対応する周波数帯域において、シングルキャリア方式でＩｏＴ端末へ送信されてよい。
【０１３９】
例えば、２６個のサブキャリアを含むＲＵが第１のＲＵとして用いられる場合、２６個のサブキャリアのうちの２０個が、シングルキャリア方式でダウンリンクＩｏＴフレーム伝送のために用いられ、−１３、−１２、−１１、１０、１１、および１２と番号付けられた６個のサブキャリアは、ガードサブキャリアとして用いられる。５２個のサブキャリアを含むＲＵが、第１のＲＵとして用いられる場合、５２個のサブキャリアのうちの４２個のみが、シングルキャリア方式でダウンリンクＩｏＴフレーム伝送のために用いられ、−２６〜−２２および２１〜２５と番号付けられた１０個のサブキャリアは、ガードサブキャリアとして用いられる。
【０１４０】
本願発明のこの実施形態において、ダウンリンクデータフレームに含まれるデータフィールドは、図１０に示されている方法を用いることによって生成されてよい。図１０において、ネットワーク側装置は、ネットワーク側装置とＳＴＡとの間のダウンリンクデータ、すなわち、図１０に示されている８０２．１１ａｘダウンリンクデータに対して符号化および変調を実行し、ＷＬＡＮダウンリンク変調シンボルを取得する。ＷＬＡＮダウンリンク変調シンボルが取得された後に、ＷＬＡＮダウンリンク変調シンボルは、第２のＲＵに含まれるサブキャリアへマッピングされ、すなわち、データフィールドにおけるＷＬＡＮダウンリンク変調シンボルの伝送位置は、第２のＲＵに含まれるサブキャリアの位置である。ネットワーク側装置は、第２のＲＵに対応するサブキャリアを含む周波数領域信号に対してＩＦＦＴを実行し、ＣＰを付加して、ＷＬＡＮダウンリンクベースバンド信号を生成する。ネットワーク側装置は、ネットワーク側装置とＩｏＴ端末との間のダウンリンクデータ、すなわち、図１０に示されているＩｏＴダウンリンクデータに対して符号化および変調を実行し、ＣＰを付加して、ＩｏＴダウンリンクシングルキャリアシンボルを生成する。ネットワーク側装置は、ＩｏＴダウンリンクシングルキャリアシンボルに対して波形整形フィルタリングを実行し、ＩｏＴダウンリンクベースバンド信号を取得する。ネットワーク側装置は、ＩｏＴダウンリンクベースバンド信号に対して周波数変換を実行する。すなわち、図１０に示されているように、ＩｏＴダウンリンクベースバンド信号は、ｅｊ２πｆｒｔに乗算され、ＩｏＴダウンリンク帯域通過信号を取得し、ここで、ｔは、時間変数であり、ＩｏＴダウンリンク帯域通過信号の中心周波数がｆｒであり、ｆｒは、第１のＲＵの中心周波数とゼロ周波数との間の周波数差である。ネットワーク側装置は、ＩｏＴダウンリンク帯域通過信号とＷＬＡＮダウンリンクベースバンド信号とを加算し、ＩｏＴおよびＷＬＡＮのハイブリッド伝送のためのダウンリンクベースバンド信号を取得する。
【０１４１】
それに対応して、本願発明のこの実施形態において、ＩｏＴ端末は、受信チャネルを用いることによって、ネットワーク側装置により送信されたダウンリンクデータフレームを含むダウンリンク受信信号からＩｏＴダウンリンク信号を取得してよい。本願発明のこの実施形態において、ＩｏＴ端末の受信チャネルの帯域幅は、第１のＲＵの帯域幅を超えない。ＩｏＴ端末の受信チャネルにより用いられるキャリア周波数がｆ０＋ｆｒに設定され、ここで、ｆ０は、ダウンリンク受信信号のキャリア周波数であり、ｆｒは、第１のＲＵの中心周波数とゼロ周波数（例えば、図７の０と番号付けられたサブキャリアに対応する周波数）との間の周波数差である。本願発明のこの実施形態において、ダウンリンク受信信号が、動作周波数がキャリア周波数として設定されたＩｏＴ端末の受信チャネルを通過した後に、第１のＲＵの帯域外のＷＬＡＮダウンリンク信号がフィルタリングされて除外される。従って、ＩｏＴ端末は、フィルタリング後に取得されたＩｏＴダウンリンク信号を処理し得てネットワーク側装置とＩｏＴ端末との間のダウンリンクデータを取得し得る。
【０１４２】
図１１は、本願発明の実施形態に係るシングルキャリア方式でＩｏＴ端末がＩｏＴダウンリンク信号を処理し、ネットワーク側装置とＩｏＴ端末との間のダウンリンクデータを取得する過程の模式図である。図１１において、ＩｏＴ端末は、ＩｏＴダウンリンク信号の各シングルキャリアシンボルからＣＰを除去し、周波数領域等化を実行して、第１のＲＵに対応する周波数帯域へマッピングされたＩｏＴ変調信号を取得する。ＩｏＴ端末は、ＩｏＴ変調信号に対して復調および復号を実行し、ネットワーク側装置とＩｏＴ端末との間のダウンリンクデータを取得する。
【０１４３】
本願発明のこの実施形態において、ネットワーク側装置はデュアルモード方式の代わりに周波数領域処理方式で、ＩｏＴ信号と８０２．１１ａｘ信号とを同時に受信および送信してよく、それにより、ネットワーク側装置により実行されるＩｏＴ通信の実装複雑性を低減する。
【０１４４】
本願発明のこの実施形態において、シングルキャリア伝送において用いられるＩｏＴダウンリンクシングルキャリア変調シンボルは、周波数シフトキーイング（ＦＳＫ）、差動位相シフトキーイング（ＤＰＳＫ）、四位相シフトキーイング（ＱＰＳＫ）、またはガウス型周波数シフトキーイング（ＧＦＳＫ）、もしくは直角位相振幅変調（ＱＡＭ）のようなより上位の変調方式などの定包絡変調方式で変調されてよいことが留意されるべきである。典型的には、用いられる波形整形フィルタは、ガウス型フィルタ、平方根レイズドコサインフィルタ、または同様のものであってよい。
【０１４５】
任意選択的に、本願発明のこの実施形態の具体的な実装過程において、ＩｏＴダウンリンクシングルキャリアシンボルが、ＣＰに加えて、Ｋ個の変調シンボルを含む場合、各変調シンボルの期間がＴ１＝Ｔ０／Ｋであり、ここで、Ｋは、第１のＲＵに含まれるサブキャリアの数量を超えない正の整数であり、Ｔ１は、各変調シンボルの期間であり、Ｔ０は、ＷＬＡＮダウンリンクベースバンド信号のＯＦＤＭシンボルの長さである。本願発明のこの実施形態において、各ＩｏＴダウンリンクシングルキャリア変調シンボルの帯域幅（約１／Ｔ１）は、用いられる第１のＲＵの帯域幅を超えない。  例えば、第１のＲＵが２６個のサブキャリアを含むＲＵである場合、
【数１】
0006556336.tif 000002
である。
【０１４６】
従って、Ｋ≦２６であり、すなわち、各ＩｏＴダウンリンクシングルキャリアシンボルは、ＣＰに加えて、最大で２６個の変調シンボルを含む。同様に、第１のＲＵが５２個のサブキャリアを含むＲＵである場合、各ＩｏＴダウンリンクシングルキャリアシンボルは、ＣＰに加えて、最大で５２個の変調シンボルを含む。
【０１４７】
任意選択的に、本願発明のこの実施形態の具体的な実装過程において、ＩｏＴ端末が比較的小さい帯域幅をサポートするので、第１のＲＵは典型的には、２６個または５２個のサブキャリアを含むＲＵである。従って、本願発明のこの実施形態において、少なくとも１つのベーシックＲＵが、２０ＭＨｚ、４０ＭＨｚ、または８０ＭＨｚのチャネルのそれぞれの第１のＲＵにおいて設定されてよく、ＩｏＴ端末はまず、ベーシックＲＵを用いてネットワーク側装置と通信する。
【０１４８】
具体的には、ＩｏＴ端末はまず、ダウンリンクデータフレームのベーシックＲＵにおいてＩｏＴダウンリンク信号を受信し、これにより、ＡＰなどのネットワーク側装置とアップリンクまたはダウンリンク通信を実行する。ネットワーク側装置は、ベーシックＲＵにおいてチャネル指示情報を送信してよく、ここで、チャネル指示情報は、ＩｏＴ端末が、ベーシックＲＵから、ベーシックＲＵ以外の、ダウンリンクＩｏＴフレームを送信するために用いられるＲＵへハンドオーバされることを示すために用いられる。
【０１４９】
一般的に、単一ＩｏＴ端末により伝送されるデータの量は、比較的小さい。しかしながら、多数のＩｏＴ端末がＩｏＴに配置されているので、１つのＩｏＴ−ＲＵ、すなわち、第１のＲＵは、複数のＩｏＴ端末との通信を同時にサポートする必要がある。従って、本願発明のこの実施形態において、ＩｏＴデータフィールドはさらに、時分割多重（ＴＤＭ）構造に分割されてよく、すなわち、ＩｏＴデータフィールドは、少なくとも１つのサブフレームを含む。
【０１５０】
本願発明のこの実施形態において、ＩｏＴデータフィールドは、少なくとも２つのＩｏＴ端末のダウンリンクデータを含み、各ＩｏＴ端末のダウンリンクデータは、少なくとも１つのサブフレームを占有する、または、少なくとも１つのサブフレームの少なくとも１つのタイムスロットを占有する、または、少なくとも１つのサブフレームと、該少なくとも１つのサブフレームの少なくとも１つのタイムスロットとを占有する。例えば、図１２に示されているように、ＩｏＴデータフィールドは、Ｐ個のサブフレームに均等に分割される。各サブフレームはさらに、Ｑ個のタイムスロットに分割されてよく、または当然ながら、タイムスロットに分割されなくてよい。このように、異なるＩｏＴ端末は、ＩｏＴデータフィールドの異なるサブフレームまたは異なるタイムスロットを用いてよい。すなわち、ＩｏＴ−ＲＵが、時分割多重アクセス（Ｔｉｍｅ  Ｄｉｖｉｓｉｏｎ  Ｍｕｌｔｉｐｌｅ  Ａｃｃｅｓｓ、ＴＤＭＡ）方式で、ネットワーク側装置と複数のＩｏＴ端末との間の通信を実行するために用いられる。従って、ＩｏＴ端末のデータ処理速度が低く、ＩｏＴ端末が多数あって広範囲に分散されるＩｏＴ通信において、遠隔ＩｏＴ端末をカバーすることができ、大量のＩｏＴ端末のマルチユーザ多重化をサポートすることができる。
【０１５１】
時間領域においてＯＦＤＭＡ信号の最小単位がＯＦＤＭシンボルである。１倍（略して１ｘ）、２倍（略して２ｘ）、および４倍（略して４ｘ）などの異なる時間の長さのＯＦＤＭシンボルが、８０２．１１ａｘに導入され、サイクリックプリフィクス（Ｃｙｃｌｉｃ  Ｐｒｅｆｉｘ、ＣＰ）は含まれない。１ｘシンボル長、２ｘシンボル長、および４ｘシンボル長はそれぞれ、３．２マイクロ秒、６．４マイクロ秒、および１２．８マイクロ秒である。８０２．１１ａｘにおける１ｘおよび２ｘシンボル長は主に、プリアンブルのために用いられる。例えば、８０２．１１ａ、８０２．１１ｎ、８０２．１１ａｃ、および他のリリースとの後方互換性を実行するために、レガシープリアンブル、ＲＬ−ＳＩＧ、ＨＥ−ＳＩＧ−Ａ、およびＨＥ−ＳＩＧ−Ｂは、１ｘシンボル長のＯＦＤＭシンボルを用い、６４ポイントのＦＦＴ処理が２０ＭＨｚのチャネル帯域幅の場合に実行される。１ｘシンボル長のＯＦＤＭシンボルは、周波数領域において６４個のサブキャリアに対応している。より長いＯＦＤＭシンボルは、より小さいＣＰオーバーヘッドに対応している。従って、効率性を向上するために、データフィールドは、４ｘシンボル長を用い、２５６ポイントのＦＦＴ処理が、２０ＭＨｚのチャネル帯域幅の場合に実行される。４ｘシンボル長のＯＦＤＭシンボルは、周波数領域において２５６個のサブキャリアに対応している。
【０１５２】
本願発明のこの実施形態において、ネットワーク側装置がＩｏＴおよびＷＬＡＮのハイブリッド伝送のためのダウンリンクベースバンド信号に対してジョイント送信および受信を実行することを助けるために、ダウンリンクデータフレームに含まれるデータフィールドにおいて、ＩｏＴダウンリンク変調シンボルのＯＦＤＭシンボルの長さは、８０２．１１ａｘにおけるＯＦＤＭシンボルの長さと同じであり、すなわち、ＣＰ長さは同じであることが留意されるべきである。本願発明のこの実施形態において、ＩｏＴダウンリンクデータフレームがＯＦＤＭ方式で伝送されたとき、ＩｏＴダウンリンク変調シンボルの長さは、８０２．１１ａｘにおけるＯＦＤＭシンボルの長さと同じである。言い換えれば、ＩｏＴダウンリンク変調シンボルと８０２．１１ａｘにおけるＯＦＤＭシンボルとの上部境界が揃い、すなわち、４ｘシンボル長である。
【０１５３】
ＩｏＴダウンリンクデータフレームがシングルキャリア方式で伝送されたとき、ＩｏＴシングルキャリアシンボルは、８０２．１１ａｘデータフィールドのＯＦＤＭシンボルと揃わない場合があり、すなわち、ＩｏＴシングルキャリアシンボルの長さは、８０２．１１ａｘデータフィールドのＯＦＤＭシンボルの長さと異なる場合があり、ＩｏＴシングルキャリアシンボルのＣＰ長さもＯＦＤＭシンボルのＣＰ長さと異なる場合があることがさらに留意されるべきである。
【０１５４】
本願発明のこの実施形態において提供されているＩｏＴ通信方法によれば、ネットワーク側装置は、ダウンリンクデータ伝送を実行する端末装置がＩｏＴ端末を含むことを決定し、ネットワーク側装置は、ダウンリンクデータフレームを送信する。ダウンリンクデータフレームにおいて、周波数分割多重化が、ダウンリンクＩｏＴフレームを用いることによって、８０２．１１ａｘデータフレームのデータフィールドに対して実行され、これにより、ネットワーク側装置は、ＩｏＴ端末に対してスケジューリングおよび調整することができ、それにより、ＩｏＴ伝送における干渉リスクが低減される。ダウンリンクデータフレームを伝送する過程において、ＳＴＡは、レガシープリアンブルおよびＨＥＷプリアンブルをパースし、タイミング同期、周波数同期、およびチャネル推定に関する情報を取得する。ＩｏＴ端末は、ダウンリンクＩｏＴフレームのプリアンブル部分をパースし、８０２．１１ａｘにおけるプリアンブル部分をパースする必要がなく、ＩｏＴ端末により実行されるタイミング同期、周波数同期、およびチャネル推定に関する情報を取得し、これにより、ＩｏＴ端末およびＳＴＡは、８０２．１１ａｘにおけるチャネルリソースに対して周波数分割を実行し、８０２．１１ａｘにおけるチャネルリソースを共有する過程において互いに干渉しない。先述の方式では、ＩｏＴ端末は、２０／４０／８０ＭＨｚの高帯域幅をサポートする必要がなく、制限された帯域幅を有する狭帯域ＩｏＴ端末が有効にサポートされ、それにより、ＩｏＴ装置の低複雑性、かつ低消費電力の要求を満す。
【０１５５】
先述の実施形態において提供されているネットワーク側装置によりダウンリンクデータフレームを送信するための実装方法に基づき、本願発明の実施形態は、別のＩｏＴ通信方法を提供する。
【０１５６】
図１３は、本願発明の実施形態に係る第２のＩｏＴ通信方法の実装フローチャートである。図１３に示されている方法手順は、ＩｏＴ端末により実行される。図１３に示されているように、ＩｏＴ通信方法の実装過程は、以下の段階を含む。
【０１５７】
Ｓ２０１：ＩｏＴ端末がダウンリンク受信信号からダウンリンクＩｏＴフレームを取得する段階である。
【０１５８】
本願発明のこの実施形態において、ダウンリンク受信信号は、ネットワーク側装置により送信されたダウンリンクデータフレームを含む。ダウンリンクデータフレームは、レガシープリアンブルと、ＨＥＷプリアンブルと、データフィールドとを含む。レガシープリアンブルおよびＨＥＷプリアンブルは、ネットワーク側装置とステーションＳＴＡとの間の通信のために用いられ、周波数領域においてデータフィールドに対応するサブキャリアリソースが、少なくとも１つのＲＵを含む。少なくとも１つのＲＵは、ダウンリンクＩｏＴフレームを送信するために用いられ、ダウンリンクＩｏＴフレームは、ＩｏＴプリアンブルおよびＩｏＴデータフィールドを含む。ＩｏＴプリアンブルは、ダウンリンクＩｏＴフレームの物理層制御情報を伝送するために用いられ、ＩｏＴデータフィールドは、ネットワーク側装置とＩｏＴ端末との間のダウンリンクデータを伝送するために用いられる。
【０１５９】
本願発明のこの実施形態において、ネットワーク側装置により送信された周波数領域においてダウンリンクデータフレームのデータフィールドに対応するサブキャリアリソースはさらに、ＩｏＴダウンリンクデータフレームを伝送するために用いられるＲＵと異なる少なくとも１つの他のＲＵを含み、少なくとも１つの他のＲＵは、ネットワーク側装置とＳＴＡとの間のダウンリンクデータを伝送するために用いられる。
【０１６０】
本願発明のこの実施形態において、容易に説明するために、ＩｏＴダウンリンクデータフレームを伝送するために用いられるＲＵは、第１のＲＵと称され、ネットワーク側装置とＳＴＡとの間のダウンリンクデータを伝送するために用いられるＲＵは、第２のＲＵと称される。本願発明のこの実施形態において、第１のＲＵは、ダウンリンクＩｏＴフレームをＩｏＴ端末へ送信するためにネットワーク側装置により用いられ、第２のＲＵは、ネットワーク側装置とＳＴＡとの間のダウンリンクデータをＳＴＡへ送信するためにネットワーク側装置により用いられる。
【０１６１】
本願発明のこの実施形態において、ＩｏＴ端末の受信チャネルの帯域幅は、第１のＲＵの帯域幅を超えない。ＩｏＴ端末の受信チャネルにより用いられるキャリア周波数がｆ０＋ｆｒであり、ここで、ｆ０は、ダウンリンク受信信号のキャリア周波数であり、ｆｒは、第１のＲＵの中心周波数とゼロ周波数との間の周波数差である。
【０１６２】
本願発明のこの実施形態において、ダウンリンク受信信号に含まれるダウンリンクデータフレームの具体的な構造について、先述の実施形態の図６に関連する説明を参照されたい。詳細はここでは再び説明されない。
【０１６３】
Ｓ２０２：ＩｏＴ端末は、ダウンリンクＩｏＴフレームを処理し、ネットワーク側装置とＩｏＴ端末との間のダウンリンクデータを取得する。
【０１６４】
本願発明のこの実施形態において、ＩｏＴ端末がダウンリンクＩｏＴフレームを処理し、ネットワーク側装置とＩｏＴ端末との間のダウンリンクデータを取得する具体的な実装過程について、先述の実施形態の図９および図１１に関連する説明を参照されたい。詳細はここでは再び説明されない。
【０１６５】
本願発明のこの実施形態において提供されるＩｏＴ通信方法によれば、ＩｏＴ端末により受信されたＩｏＴダウンリンク信号は、ネットワーク側装置により送信されたダウンリンクデータフレームを含み、周波数分割多重化は、８０２．１１ａｘデータフレームのダウンリンクデータフレームおよびデータフィールドにおけるダウンリンクＩｏＴフレームに対して実行され、これにより、ネットワーク側装置はＩｏＴ端末をスケジューリングおよび調整することができ、それにより、ＩｏＴ伝送における干渉リスクを低減する。ダウンリンクデータフレームを伝送する過程において、ＳＴＡは、レガシープリアンブルおよびＨＥＷプリアンブルをパースし、タイミング同期、周波数同期、およびチャネル推定に関する情報を取得する。ＩｏＴ端末は、ダウンリンクＩｏＴフレームのプリアンブル部分をパースし、８０２．１１ａｘにおけるプリアンブル部分をパースする必要がなく、ＩｏＴ端末により実行されるタイミング同期、周波数同期、およびチャネル推定に関する情報を取得し、これにより、ＩｏＴ端末およびＳＴＡは、８０２．１１ａｘにおけるチャネルリソースに対して周波数分割を実行し、８０２．１１ａｘにおけるチャネルリソースを共有する過程において、互いに干渉しない。先述の方式では、ＩｏＴ端末は、２０／４０／８０ＭＨｚの高帯域幅をサポートする必要がなく、制限された帯域幅を有する狭帯域ＩｏＴ端末が有効にサポートされ、それにより、ＩｏＴ装置の低複雑性、かつ低消費電力の要求が満たされる。
【０１６６】
先述の本願発明の実施形態は主に、ＡＰなどのネットワーク側装置がダウンリンクデータを送信し、ＩｏＴ端末がダウンリンクデータを受信する過程を説明している。本願発明の以下の実施形態では、ＩｏＴ端末がアップリンクデータを送信し、ＡＰなどのネットワーク側装置が本願発明の実施形態において提供されるＩｏＴ通信方式でアップリンクデータを受信する過程を説明する。
【０１６７】
図１４は、本願発明の実施形態に係る第３のＩｏＴ通信方式の実装フローチャートである。図１４に示されている方法手順は、ＩｏＴ端末により実行され、ＩｏＴ端末は、アップリンクデータを送信する。図１４に示されているように、方法手順は、以下の段階を含む。
【０１６８】
Ｓ３０１：ＩｏＴ端末は、ネットワーク側装置により送信されたアップリンク伝送スケジューリング要求を受信する。
【０１６９】
本願発明のこの実施形態において、ＩｏＴ端末がアップリンクデータをＡＰなどのネットワーク側装置へ送信するとき、ネットワーク側装置は、アップリンク伝送スケジューリング要求を送る必要がある。アップリンク伝送スケジューリング要求は、ＩｏＴ端末に対して、アップリンクＩｏＴフレームを送信するようスケジューリングするために用いられ、これにより、アップリンクデータ伝送を実行する。アップリンクＩｏＴフレームは、アップリンクデータフレームのデータフィールドに位置し、周波数領域においてアップリンクデータフレームのデータフィールドに対応するサブキャリアリソースが、少なくとも１つのＲＵを含み、少なくとも１つのＲＵは、アップリンクＩｏＴフレームを送信するために用いられる。
【０１７０】
本願発明のこの実施形態において、アップリンク伝送スケジューリング要求は、アップリンクデータ伝送を実行するようスケジューリングされるＩｏＴ端末の識別子、アップリンクデータ伝送を実行するＩｏＴ端末に割り当てられたアップリンク伝送リソース、および符号化および変調方式などの情報を含んでよい。アップリンク伝送スケジューリング要求を受信することにより、アップリンクデータ伝送を実行するようスケジューリングされたＩｏＴ端末は、アップリンク伝送スケジューリング要求を受信するＩｏＴ端末がアップリンクデータを送信することをネットワーク側装置が可能にするかどうかを知り、リソース伝送およびアップリンクデータを伝送するために用いられる伝送形式などの情報を取得し、これにより、アップリンクデータ伝送を実行するようスケジューリングされたＩｏＴ端末は、情報に従って、アップリンクデータを送信する。
【０１７１】
本願発明のこの実施形態において、アップリンク伝送スケジューリング要求は、ダウンリンクデータフレームを用いることによって、送信されてよい。ダウンリンクデータフレームは、レガシープリアンブルと、ＨＥＷプリアンブルと、データフィールドとを含む。レガシープリアンブルおよびＨＥＷプリアンブルは、ネットワーク側装置とステーションＳＴＡとの間の通信のために用いられ、周波数領域においてデータフィールドに対応するサブキャリアリソースが、アップリンク伝送スケジューリング要求を送信するために用いられる少なくとも１つのＲＵを含む。本願発明のこの実施形態において、アップリンク伝送スケジューリング要求を送信するために用いられるＲＵは、第１のＲＵとも称されてよい。
【０１７２】
本願発明のこの実施形態において、ネットワーク側装置により送信されたアップリンク伝送スケジューリング要求は、別個のダウンリンクトリガフレームであってよく、ダウンリンクトリガフレームは、図６に示されているダウンリンクデータフレームのフレーム構造を用いてよいことが留意されるべきである。ネットワーク側装置はさらに、ダウンリンクデータおよびダウンリンクトリガフレームを送信し、ＩｏＴ端末に対してアップリンクデータ伝送を実行するようスケジューリングする。すなわち、アップリンク伝送スケジューリング要求の送信に加えて、第１のＲＵは、ダウンリンクデータをＩｏＴ端末へ送信するためにネットワーク側装置により用いられてよい。ダウンリンクデータに対応するＩｏＴ端末は、アップリンクデータ伝送を実行するようスケジューリングされたＩｏＴ端末であってよく、または、別のＩｏＴ端末であってよい。
【０１７３】
Ｓ３０２：ＩｏＴ端末は、アップリンク伝送スケジューリング要求に従って、アップリンクＩｏＴフレームを送信する。
【０１７４】
本願発明のこの実施形態において、ＩｏＴ端末により送信されたアップリンクＩｏＴフレームは、ＩｏＴプリアンブルおよびＩｏＴデータフィールドを含む。ＩｏＴプリアンブルは、アップリンクＩｏＴフレームの物理層制御情報を伝送するために用いられ、ＩｏＴデータフィールドは、ネットワーク側装置とＩｏＴ端末との間のアップリンクデータを伝送するために用いられる。
【０１７５】
ＩｏＴプリアンブルにより伝送された、アップリンクＩｏＴフレームの物理層制御情報は、以下のシーケンスのうちの１つまたは任意の組み合わせを含む。アップリンクＩｏＴフレームのタイミング同期および周波数同期を取得するために、ネットワーク側装置により用いられる同期シーケンス、または、アップリンクＩｏＴフレームを復調するために必要とされるチャネル推定を取得するために、ネットワーク側装置により用いられるトレーニングシーケンスである。
【０１７６】
具体的には、本願発明のこの実施形態において、アップリンクＩｏＴフレームは、アップリンクデータフレームのデータフィールドに位置し、アップリンクデータフレームは、レガシープリアンブルと、ＨＥＷプリアンブルと、データフィールドとを含む。レガシープリアンブルおよびＨＥＷプリアンブルは、ネットワーク側装置とステーションＳＴＡとの間の通信のために用いられ、周波数領域においてデータフィールドに対応するサブキャリアリソースが、第３のＲＵを含む。本願発明のこの実施形態において、アップリンクＩｏＴフレームは、第３のＲＵに位置する。言い換えれば、本願発明のこの実施形態において、アップリンクＩｏＴフレームは、第３のＲＵを用いることによって送信される。
【０１７７】
従って、本願発明のこの実施形態において、アップリンク伝送スケジューリング要求はさらに、ＩｏＴ端末により送信されたアップリンクＩｏＴフレームの位置情報を含み、位置情報は、アップリンクデータフレームのデータフィールドの開始時点と、アップリンクＩｏＴフレームを送信するための第３のＲＵの識別子とを含む。このように、ＩｏＴ端末は、アップリンク伝送スケジューリング要求に従って、アップリンクデータフレームのデータフィールドの開始時点で、第３のＲＵにおいてアップリンクＩｏＴフレームを送信することができる。
【０１７８】
本願発明のこの実施形態において提供されるアップリンクデータフレームの構造について、図１５および図１６を参考されたい。図１５および図１６において、第３のＲＵは、ネットワーク側装置とＩｏＴ端末との間のアップリンクデータを伝送するために用いられるＲＵであり、ＩｏＴ−ＲＵとも称されてよい。非ＩｏＴ−ＲＵは、ネットワーク側装置とＳＴＡとの間のアップリンクデータを伝送するために用いられるＲＵである。
【０１７９】
図１５に示されているアップリンクデータフレームの構造において、ＩｏＴ端末およびＳＴＡは、データフレームのデータフィールドにおけるサブキャリアリソースに対して周波数分割多重化を実行する。アップリンクデータフレームは、レガシープリアンブルと、ＨＥＷプリアンブルと、データフィールドとを含む。図１５に示されているレガシープリアンブルは、図２に示されているＬ−ＳＴＦ、Ｌ−ＬＴＦ、およびＬ−ＳＩＧなどのフィールドを含み、図１５に示されているＨＥＷプリアンブルは、図２に示されているＲＬ−ＳＩＧ、ＨＥ−ＳＩＧ−Ａ、ＨＥ−ＳＩＧ−Ｂ、ＨＥ−ＳＴＦ、およびＨＥ−ＬＴＦなどのフィールドを含む。すなわち、本願発明のこの実施形態におけるアップリンクデータフレームに含まれるレガシープリアンブルおよびＨＥＷプリアンブルは、８０２．１１ａｘにおけるレガシープリアンブルおよびＨＥＷプリアンブルと同じ機能および同じ構造を有し、両方とも、ネットワーク側装置とステーションＳＴＡとの間の通信のために用いられる。
【０１８０】
本願発明のこの実施形態における図１５に示されているアップリンクデータフレームに含まれるデータフィールドは、図２に示されている８０２．１１ａｘデータフレーム構造のデータフィールドと異なる。本願発明のこの実施形態において、周波数領域において図１５に示されているアップリンクデータフレームのデータフィールドに対応するサブキャリアリソースが、第３のＲＵと非ＩｏＴ−ＲＵとを含む。第３のＲＵは、アップリンクＩｏＴフレームを送信するために用いられる。非ＩｏＴ−ＲＵは、ネットワーク側装置とＳＴＡとの間のアップリンクデータをネットワーク側装置へ送信するためにＳＴＡにより用いられる。
【０１８１】
本願発明のこの実施形態において、第３のＲＵに位置するアップリンクＩｏＴフレームは、ＩｏＴプリアンブルおよびＩｏＴデータフィールドを含み、ＩｏＴプリアンブルは、アップリンクＩｏＴフレームの物理層制御情報を伝送するために用いられ、ＩｏＴデータフィールドは、ネットワーク側装置とＩｏＴ端末との間のアップリンクデータを伝送するために用いられる。
【０１８２】
ＩｏＴプリアンブルにより伝送された、アップリンクＩｏＴフレームの物理層制御情報は、以下のシーケンスのうちの１つまたは任意の組み合わせを含む。アップリンクＩｏＴフレームのタイミング同期および周波数同期を取得するために、ネットワーク側装置により用いられる同期シーケンス、または、アップリンクＩｏＴフレームを復調するために必要とされるチャネル推定を取得するために、ネットワーク側装置により用いられるトレーニングシーケンスである。
【０１８３】
本願発明のこの実施形態において、第３のＲＵに位置するアップリンクＩｏＴフレームに対して、ネットワーク側装置は、アップリンクＩｏＴフレームのプリアンブル部分をパースし、ＩｏＴ端末と実行されたタイミング同期、周波数同期、またはチャネル推定に関する情報を取得する。すなわち、ＩｏＴ端末は、狭帯域アップリンクＩｏＴフレームだけを送信する必要があり、２０／４０／８０ＭＨｚの高帯域幅をサポートする必要がない。従って、本願発明において、制限された帯域幅を有する狭帯域ＩｏＴ端末を有効にサポートすることができ、それにより、ＩｏＴ装置の低複雑性、かつ低消費電力の要求が満たされる。
【０１８４】
図１６に示されているアップリンクデータフレームの構造において、データフィールドの全てのサブキャリアリソースは、アップリンクＩｏＴフレームを伝送するために用いられる。図１６に示されているように、データフィールドの全てのＲＵがアップリンクＩｏＴフレームを伝送するために用いられるとき、アップリンクデータフレームは、レガシープリアンブルまたはＨＥＷプリアンブルを含まなくてよく、データフィールドは、第３のＲＵを含む。
【０１８５】
本願発明のこの実施形態において、ＩｏＴ端末は、アップリンクトリガー要求を受信し、すなわち、ダウンリンクデータフレームの構造を用いることによってダウンリンクデータフレームを送信した後に、ＩｏＴ端末は、予め設定された間隔の後のアップリンクデータフレームを伝送し始める。予め設定された間隔は、ダウンリンクデータフレームをスケジューリングされたＩｏＴ端末により復調および復号するため、および、アップリンクデータフレームの伝送（例えば、アップリンクおよびダウンリンク伝送における無線周波数チャネルの変換）を準備するために必要とされる時間より長いはずである。
【０１８６】
本願発明のこの実施形態において、図１７は、図１５に示されているアップリンクデータフレームを用いることによって、アップリンクＩｏＴフレームを送信することに対応するアップリンクデータ伝送の物理層フレーム構造を示す。図１８は、図１６に示されているアップリンクデータフレームを用いることによって、アップリンクＩｏＴフレームを送信することに対応するアップリンクデータ伝送の物理層フレーム構造を示す。
【０１８７】
本願発明のこの実施形態において、以下では、ＩｏＴ端末がアップリンクデータフレームにおける第３のＲＵを用いることによってアップリンクＩｏＴフレームを送信する実装過程を具体的に説明する。
【０１８８】
実装方式１：ＩｏＴ端末は、ＯＦＤＭ方式で第３のＲＵを用いることによってアップリンクＩｏＴフレームを送信する。
【０１８９】
本願発明のこの実施形態において、第３のＲＵの帯域外の８０２．１１ａｘ信号から第３のＲＵの帯域内のＩｏＴ信号への干渉を回避するために、ＩｏＴ端末は具体的に、以下の方式でアップリンクＩｏＴフレームを送信する。Ａ：第３のＲＵの２つのエッジ位置における指定された数量のサブキャリアが、ガードサブキャリアとして用いられる。Ｂ：第３のＲＵの中間位置における指定された数量のサブキャリアが、直流サブキャリアとして用いられる。Ｃ：アップリンクＩｏＴフレームは、ガードサブキャリアおよび直流サブキャリア以外の、第３のＲＵに含まれるサブキャリアにおいてネットワーク側装置へ送信される。
【０１９０】
任意選択的に、本願発明のこの実施形態において、アップリンクＩｏＴフレームは、第３のＲＵを用いることによって、かつ、図１９に示されている方法を用いることによって、送信されてよい。図１９において、ＩｏＴ端末は、ネットワーク側装置とＩｏＴ端末との間のアップリンクデータ、すなわち、図１９に示されているＩｏＴアップリンクデータに対して符号化および変調を実行して、ＩｏＴアップリンク変調シンボルを取得し、かつ、ＩｏＴアップリンク変調シンボルを第３のＲＵに含まれるサブキャリアへマッピングする。ＩｏＴ端末は、第３のＲＵに対応するサブキャリアを含む周波数領域信号に対してＩＦＦＴおよびダウンサンプリングを実行し、ＣＰを付加して、第１のＩｏＴアップリンクベースバンド信号を取得し、かつ、アップリンク伝送チャネルを用いることによって第１のＩｏＴアップリンクベースバンド信号を送信する。
【０１９１】
本願発明のこの実施形態において、第１のＩｏＴアップリンクベースバンド信号を伝送するためのアップリンク伝送チャネルのキャリア周波数がｆ０＋ｆｒであり、ここで、ｆ０は、第３のＲＵが位置するアップリンクデータフレームを伝送するためのチャネルのキャリア周波数であり、ｆｒは、第３のＲＵの中心周波数とゼロ周波数との間の周波数差である。
【０１９２】
実装方式２：ＩｏＴ端末は、シングルキャリア方式で第３のＲＵを用いることによってアップリンクＩｏＴフレームを送信する。
【０１９３】
本願発明のこの実施形態において、第３のＲＵの帯域外の８０２．１１ａｘ信号から第３のＲＵの帯域内のＩｏＴ信号への干渉を回避するために、ＩｏＴ端末は具体的に、以下の方式でアップリンクＩｏＴフレームを送信する。Ａ：ＩｏＴ端末は、第３のＲＵの２つのエッジ位置における指定された数量のサブキャリアをガードサブキャリアとして用いる。Ｂ：ＩｏＴ端末は、ガードサブキャリア以外の、第３のＲＵに含まれるサブキャリアに対応する周波数帯域においてシングルキャリア方式でアップリンクＩｏＴフレームをネットワーク側装置へ送信する。
【０１９４】
本願発明のこの実施形態において、ＩｏＴ端末は、シングルキャリア方式で、および図２０に示されている方式で、アップリンクＩｏＴフレームを送信してよい。図２０において、ＩｏＴ端末は、図２０に示されているＩｏＴアップリンクデータである、ネットワーク側装置とＩｏＴ端末との間のアップリンクデータに対して符号化および変調を実行し、サイクリックプリフィクスを付加して、ＩｏＴアップリンクシングルキャリアシンボルを生成する。ＩｏＴ端末は、ＩｏＴアップリンクシングルキャリアシンボルに対して波形整形フィルタリングを実行し、第２のＩｏＴアップリンクベースバンド信号を取得する。ＩｏＴ端末は、アップリンク伝送チャネルを用いることによって第２のＩｏＴアップリンクベースバンド信号を送信する。
【０１９５】
本願発明のこの実施形態において、アップリンク伝送チャネルのキャリア周波数がｆ０＋ｆｒであり、ここで、ｆ０は、第３のＲＵが位置するアップリンクデータフレームを伝送するためのチャネルのキャリア周波数であり、ｆｒは、第３のＲＵの中心周波数と、ゼロ周波数との間の周波数差である。
【０１９６】
本願発明のこの実施形態において、ＡＰなどのネットワーク側装置がＩｏＴ信号および８０２．１１ａｘ信号に対してジョイント受信を実行することを助けるために、シングルキャリア方式でアップリンクＩｏＴフレームを送信する過程において、ＩｏＴアップリンクシングルキャリアシンボルの長さは、８０２．１１ａｘにおけるＯＦＤＭシンボルの長さと同じである。すなわち、ＩｏＴアップリンクシングルキャリアシンボルと、ＳＴＡにより送信されたＷＬＡＮアップリンクベースバンド信号のＯＦＤＭシンボルとは、同じ長さのＣＰを用い、ＩｏＴアップリンクシングルキャリアシンボルの長さは、ＳＴＡにより送信されたＷＬＡＮアップリンクベースバンド信号のＯＦＤＭシンボルの長さと同じである。言い換えれば、図２１に示されているように、ＩｏＴアップリンクシングルキャリアシンボルと、８０２．１１ａｘにおけるＯＦＤＭシンボルとの上部境界が揃い、すなわち、４ｘシンボル長である。
【０１９７】
本願発明のこの実施形態において、アップリンクＩｏＴフレームがＯＦＤＭ方式で伝送されるとき、ＩｏＴアップリンク変調シンボルの長さは、８０２．１１ａｘにおけるＯＦＤＭシンボルの長さと同じであることが留意されるべきである。言い換えれば、ＩｏＴアップリンク変調シンボルと、８０２．１１ａｘにおけるＯＦＤＭシンボルとの上部境界が揃い、すなわち、４ｘシンボル長である。
【０１９８】
本願発明のこの実施形態の図２１において、ＩｏＴ−ＲＵは、ＩｏＴ端末とネットワーク側装置との間のアップリンクデータを伝送するために用いられる第３のＲＵであり、非ＩｏＴ−ＲＵは、ＳＴＡとネットワーク側装置との間のアップリンクデータを伝送するために用いられるＲＵであることが留意されるべきである。
【０１９９】
本願発明のこの実施形態において、ＩｏＴ端末により第３のＲＵを用いることによってアップリンクＩｏＴフレームを送信する方式は、ネットワーク側装置によりダウンリンクＩｏＴフレームを送信する方式に限定されないことがさらに留意されるべきである。例えば、ネットワーク側装置がＯＦＤＭ方式でダウンリンクＩｏＴフレームを送信する場合、ＩｏＴ端末は、シングルキャリア方式でアップリンクＩｏＴフレームを送信し得る。
【０２００】
任意選択的に、本願発明のこの実施形態において、ＩｏＴアップリンクシングルキャリアシンボルは、Ｋ個の変調シンボルを含む、各変調シンボルの期間がＴ１＝Ｔ０／Ｋであり、ここで、Ｋは、第３のＲＵに含まれるサブキャリアの数量を超えない正の整数であり、Ｔ１は、各変調シンボルの期間であり、Ｔ０は、ＳＴＡにより送信されたＷＬＡＮアップリンクベースバンド信号のＯＦＤＭシンボルの長さである。
【０２０１】
任意選択的に、本願発明のこの実施形態において提供されるＩｏＴ通信方法を実装する具体的な過程において、アップリンクＩｏＴフレームは、少なくとも２つのＩｏＴ端末により送信されたアップリンクＩｏＴサブフレームを含み、各ＩｏＴ端末により送信されたアップリンクＩｏＴサブフレームは、ＩｏＴプリアンブルおよびＩｏＴデータフィールドを含む。言い換えれば、アップリンクデータフレームにおけるアップリンクＩｏＴフレームは、少なくとも１つのサブフレームを含む。各ＩｏＴ端末は、少なくとも１つのサブフレームを用いて各ＩｏＴ端末のアップリンクＩｏＴサブフレームを送信し、各ＩｏＴ端末により送信されたアップリンクＩｏＴサブフレームは、ＩｏＴプリアンブルおよびＩｏＴデータフィールドを含む。例えば、図２２に示されているように、アップリンクＩｏＴフレームはＰ個のサブフレームに均等に分割され、異なるＩｏＴ端末は、アップリンクＩｏＴフレームの異なるサブフレームを用いてよい。すなわち、ＩｏＴ−ＲＵがＴＤＭＡ方式で用いられ、ネットワーク側装置および複数のＩｏＴ端末との間の通信を実行する。従って、ＩｏＴ通信において、ＩｏＴ端末のデータ処理速度が低く、ＩｏＴ端末は多数あり、広範囲に分散され、遠隔ＩｏＴ端末をカバーすることができ、大量のＩｏＴ端末のマルチユーザ多重化をサポートすることができる。
【０２０２】
本願発明のこの実施形態において、図２２に示されているアップリンクＩｏＴフレームのＰ個のサブフレームは、均等な分割によって取得される、または、アップリンクＩｏＴフレームに含まれるサブフレームは、均等な分割によって取得されなくてよいことが留意されるべきである。このことは、具体的な実装方式に限定されない。
【０２０３】
任意選択的に、定包絡変調方法が、最小のピーク対平均電力比（Ｐｅａｋ  ｔｏ  ａｖｅｒａｇｅ  Ｐｏｗｅｒ  Ｒａｔｉｏ、ＰＡＰＲ）を有するので、ＩｏＴ端末は、低電圧の電力供給を実行することができ、伝送電力は、比較的小さく、アップリンクＰＡＰＲを可能な限り低減することができる。本願発明のこの実施形態において、定包絡変調方法は、ＩｏＴ端末によりアップリンクＩｏＴフレームを送信する過程において用いられてよい。例えば、ＧＦＳＫ変調が用いられる。
【０２０４】
本願発明のこの実施形態は、定包絡変調方法に限定されないことが留意されるべきである。例えば、ＱＡＭ変調方式が用いられてよい。ＱＡＭ変調方式のＰＡＰＲは、定包絡変調のＰＡＰＲより僅かに大きいが、ＯＦＤＭ方式のＰＡＰＲよりはるかに小さく、従って、比較的高い伝送速度を実現することができる。
【０２０５】
本願発明のこの実施形態に提供されているＩｏＴ通信方法によれば、    ＩｏＴ端末により送信されたアップリンクＩｏＴフレームは、アップリンクデータフレームの第３のＲＵに位置し、アップリンクデータフレームにおいて、ＩｏＴ端末およびＳＴＡは、８０２．１１ａｘデータフレームのデータフィールドに対して周波数分割多重化を実行し、これにより、ネットワーク側装置は、ＩｏＴ端末をスケジューリングおよび調整することができ、それにより、ＩｏＴ通信における干渉リスクを低減する。アップリンクデータフレームを伝送する過程において、ＩｏＴ端末は、狭帯域アップリンクＩｏＴフレームだけを送信する必要がある。ＩｏＴ端末およびＳＴＡは、８０２．１１ａｘにおけるチャネルリソースに対して周波数分割多重化を実行し、互いに干渉しない。先述の方式では、ＩｏＴ端末は、２０／４０／８０ＭＨｚの高帯域幅をサポートする必要がなく、制限された帯域幅を有する狭帯域ＩｏＴ端末が有効にサポートされ、それにより、ＩｏＴ装置の低複雑性、かつ低消費電力の要求が満たされる。
【０２０６】
ＩｏＴ端末がアップリンクデータを送信する先述の実施形態に基づき、本願発明の実施形態はさらに、ＩｏＴ通信方法を提供する。図２３は、本願発明の実施形態に係る第４のＩｏＴ通信方法の実装フローチャートである。図２３の方法は、ネットワーク側装置により実行される。図２３に示されているように、方法は、以下の段階を含む。
【０２０７】
Ｓ４０１：ネットワーク側装置は、アップリンク伝送スケジューリング要求をＩｏＴ端末へ送信する。
【０２０８】
本願発明のこの実施形態において、アップリンク伝送スケジューリング要求は、ＩｏＴ端末に対してアップリンクＩｏＴフレームを送信するようスケジューリングするために用いられ、これにより、アップリンクデータ伝送を実行する。
【０２０９】
本願発明のこの実施形態において、アップリンク伝送スケジューリング要求は、ダウンリンクデータフレームを用いることによって、送信されてよい。ダウンリンクデータフレームは、レガシープリアンブルと、ＨＥＷプリアンブルと、データフィールドとを含む。レガシープリアンブルおよびＨＥＷプリアンブルは、ネットワーク側装置とステーションＳＴＡとの間の通信のために用いられ、周波数領域においてデータフィールドに対応するサブキャリアリソースが、アップリンク伝送スケジューリング要求を送信するために用いられる少なくとも１つのＲＵを含む。本願発明のこの実施形態において、アップリンク伝送スケジューリング要求を送信するために用いられるＲＵは、第１のＲＵとも称されてよい。
【０２１０】
Ｓ４０２：ネットワーク側装置は、ＩｏＴ端末によりアップリンク伝送スケジューリング要求に従って送信されたアップリンクＩｏＴフレームを取得する。
【０２１１】
アップリンクＩｏＴフレームは、アップリンクデータフレームのデータフィールドに位置し、周波数領域においてアップリンクデータフレームのデータフィールドに対応するサブキャリアリソースが、少なくとも１つのＲＵを含み、少なくとも１つのＲＵは、アップリンクＩｏＴフレームを送信するために用いられる。容易に説明するために、本願発明のこの実施形態において、アップリンクＩｏＴフレームを送信するために用いられるＲＵは、第３のＲＵと称され、またはもちろん、ＩｏＴ−ＲＵと称されてよい。
【０２１２】
アップリンクＩｏＴフレームは、ＩｏＴプリアンブルおよびＩｏＴデータフィールドを含み、ＩｏＴプリアンブルは、アップリンクＩｏＴフレームの物理層制御情報を伝送するために用いられ、ＩｏＴデータフィールドは、ネットワーク側装置とＩｏＴ端末との間のアップリンクデータを伝送するために用いられる。
【０２１３】
具体的には、ネットワーク側装置は、図２４に示されている方式で、ＩｏＴ端末によりアップリンク伝送スケジューリング要求に従って送信されたアップリンクデータフレームを受信してよい。図２４において、ネットワーク側装置は、アップリンク受信信号を取得する。アップリンク受信信号は、ＩｏＴ端末により送信されたアップリンクＩｏＴフレームを含み、アップリンクＩｏＴフレームは、アップリンクデータフレームの第３のＲＵに位置する。ネットワーク側装置は、アップリンク受信信号からＣＰを除去し、ＦＦＴを実行し、周波数領域受信信号を取得する。ネットワーク側装置は、周波数領域受信信号から、第３のＲＵに対応するサブキャリアにおける信号を取得して、ＩｏＴ周波数領域信号を取得する。ネットワーク側装置は、ＩｏＴ周波数領域信号に対して、周波数領域等化と、ＩＦＦＴと、復調および復号とを実行し、ＩｏＴフレームを用いることによって送信された、ネットワーク側装置とＩｏＴ端末との間のアップリンクデータを取得する。
【０２１４】
本願発明のこの実施形態において提供されるＩｏＴ通信方法によれば、ネットワーク側装置は、ダウンリンクデータフレームを用いることによって、アップリンクスケジューリング要求をＩｏＴ端末へ送信し、周波数分割多重化は、ダウンリンクデータフレームにおけるダウンリンクＩｏＴフレーム、および８０２．１１ａｘデータフレームのデータフィールドに対して実行され、これにより、ネットワーク側装置は、ＩｏＴ端末に対してスケジューリングおよび調整することがででき、それにより、ＩｏＴ伝送における干渉リスクを低減する。ネットワーク側装置は、ＩｏＴ端末によりアップリンク伝送スケジューリング要求に従って送信されたアップリンクデータフレームを受信する。アップリンクデータフレームは、レガシープリアンブルと、ＨＥＷプリアンブルと、データフィールドとを含み、データフィールドは、ＩｏＴ端末とネットワーク側装置との間のアップリンクデータを伝送するために用いられる第３のＲＵを含む。従って、本願発明のこの実施形態において、ＩｏＴ端末は、狭帯域アップリンクＩｏＴフレームだけを送信する必要がある。ＩｏＴ端末およびＳＴＡは、８０２．１１ａｘにおけるチャネルリソースに対して周波数分割多重化を実行し、互いに干渉しない。先述の方式では、ＩｏＴ端末は、２０／４０／８０ＭＨｚの高帯域幅をサポートする必要がなく、制限された帯域幅を有する狭帯域ＩｏＴ端末が有効にサポートされ、それにより、ＩｏＴ装置の低複雑性、かつ低消費電力の要求が満たされる。
【０２１５】
本願発明のこの実施形態において、ネットワーク側装置は、ダウンリンクデータフレームを送信し、ダウンリンクデータフレームは、レガシープリアンブルと、ＨＥＷプリアンブルと、データフィールドとを含む。レガシープリアンブルおよびＨＥＷプリアンブルは、ネットワーク側装置とステーションＳＴＡとの間の通信のために用いられる。周波数領域においてデータフィールドに対応するサブキャリアリソースは、第１のＲＵおよび第２のＲＵを含む。第１のＲＵは、ダウンリンクＩｏＴフレームをＩｏＴ端末へ送信するために用いられ、ここで、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置とＩｏＴ端末との間のダウンリンクデータを伝送するために用いられる。第２のＲＵは、ネットワーク側装置とＳＴＡとの間のダウンリンクデータをＳＴＡへ送信するために用いられる。
【０２１６】
ＳＴＡは、ダウンリンクデータフレームを用いることによってレガシープリアンブルおよびＨＥＷプリアンブルをパースし、ＳＴＡにより実行されるタイミング同期、周波数同期、チャネル推定、または同様のものに関する情報を取得し、データフィールドにおける第２のＲＵを用いることによってネットワーク側装置とＳＴＡとの間のダウンリンクデータを取得する。
【０２１７】
ＩｏＴ端末は、ダウンリンクデータフレームを用いることによってＩｏＴプリアンブルをパースし、ＩｏＴ端末により実行されるタイミング同期、周波数同期およびチャネル推定のフィールドを取得し、データフィールドにおける第１のＲＵを用いることによって、ネットワーク側装置により送信されたダウンリンクデータを取得する。
【０２１８】
本願発明のこの実施形態において、ネットワーク側装置はさらに、アップリンク伝送スケジューリング要求をＩｏＴ端末へ送信し、ＩｏＴ端末に対してアップリンクデータを送信するようスケジューリングしてよい。本願発明のこの実施形態において、ネットワーク側装置は、アップリンクデータフレームを用いることによってアップリンクデータを受信し、ここで、アップリンクデータフレームは、レガシープリアンブルと、ＨＥＷプリアンブルと、データフィールドとを含む。レガシープリアンブルおよびＨＥＷプリアンブルは、ネットワーク側装置とステーションＳＴＡとの間の通信のために用いられる。周波数領域においてデータフィールドに対応するサブキャリアリソースは、第３のＲＵを含み、第３のＲＵは、ネットワーク側装置とＩｏＴ端末との間のアップリンクデータを伝送するために用いられる。
【０２１９】
本願発明のこの実施形態において、ネットワーク側装置は、シングルキャリア方式でアップリンクデータフレームを受信してよい。図２５に示されているように、シングルキャリア方式でアップリンクデータフレームを受信する実装過程は、ネットワーク側装置が、周波数領域への変換のために、サンプリングによって取得されたアップリンクベースバンド受信信号に対して、ＣＰ除去およびＦＦＴ処理を実行することであって、２５６ポイントのＦＦＴ、５１２ポイントＦＦＴ、および１０２４ポイントのＦＦＴはそれぞれ、２０ＭＨｚのチャネル帯域幅、４０ＭＨｚのチャネル帯域幅、および８０ＭＨｚのチャネル帯域幅に対して実行される、ことと、サブキャリアマッピング解除動作を実行し、かつ、非ＩｏＴ−ＲＵにおける信号に対して８０２．１１ａｘアップリンク信号受信処理を実行し、８０２．１１ａｘアップリンクデータを取得することと、ＩｏＴ−ＲＵにおける信号に対して周波数領域等化を実行し、次に、時間領域への変換のためにＩＦＦＴを実行し、最後に、復調および復号などのＩｏＴアップリンク信号受信処理を実行し、ＩｏＴアップリンクデータを取得することとを含む。ＧＦＳＫなどの変調方式が用いられる場合、周波数領域等化処理は、実行されなくてよいことが留意されるべきである。
【０２２０】
典型的には、周波数領域等化後に取得されたＩｏＴ信号のサンプリング周波数が２．５ＭＨｚであるとき、ＩｏＴ−ＲＵは、２６個のサブキャリアを含むＲＵであり、３２ポイントのＩＦＦＴは、時間領域への変換のために実行されてよい。周波数領域等化後に取得されたＩｏＴ信号のサンプリング周波数が５ＭＨｚであるとき、ＩｏＴ−ＲＵは、５２個のサブキャリアを含むＲＵであり、６４ポイントＩＦＦＴは、時間領域への変換のために実行されてよい。
【０２２１】
本願発明のこの実施形態において、ＩｏＴ端末は、アップリンクデータフレームおよびダウンリンクデータフレームに含まれるレガシープリアンブルおよびＨＥＷプリアンブルを送信または受信せず、レガシープリアンブルおよびＨＥＷプリアンブルは、ネットワーク側装置とステーションＳＴＡとの間の通信のために用いられることが留意されるべきである。すなわち、ダウンリンクデータフレームにおけるレガシープリアンブルおよびＨＥＷプリアンブルは、ネットワーク側装置により送信され、アップリンクデータフレームにおけるレガシープリアンブルおよびＨＥＷプリアンブルは、ＳＴＡにより送信される。ＩｏＴ装置は、受信チャネルのアナログフィルタを用いることによってＩｏＴ−ＲＵの帯域外信号をフィルタリングして除外し、ＩｏＴ−ＲＵの帯域内信号を受信する。従って、本願発明のこの実施形態において、ダウンリンクデータフレームのデータフィールドに含まれる第１のＲＵ、およびアップリンクデータフレームのデータフィールドに含まれる第３のＲＵの両方は、ダウンリンクデータフレームにおけるレガシープリアンブルおよびＨＥＷプリアンブルと無関係である独立フレーム構造を有する。本願発明のこの実施形態において、独立フレーム構造は、ＩｏＴフレームと称されてよい。
【０２２２】
具体的には、本願発明のこの実施形態において、ＩｏＴプリアンブルは、ダウンリンクＩｏＴフレームまたはアップリンクＩｏＴフレームの物理層制御情報を含み、ＩｏＴデータフィールドは、ネットワーク側装置とＩｏＴ端末との間のダウンリンクデータまたはアップリンクデータを伝送するために用いられる。ダウンリンクＩｏＴフレームの物理層制御情報は、ダウンリンクＩｏＴフレームのタイミング同期および周波数同期を取得するためにＩｏＴ端末により用いられる同期シーケンス、ダウンリンクＩｏＴフレームを復調するために必要とされるチャネル推定を取得するためにＩｏＴ端末により用いられるトレーニングシーケンス、または同様のものを含む。アップリンクＩｏＴフレームの物理層制御情報は、アップリンクＩｏＴフレームのタイミング同期および周波数同期を取得するためにネットワーク側装置により用いられる同期シーケンス、アップリンクＩｏＴフレームを復調するために必要とされるチャネル推定を取得するためにネットワーク側装置により用いられるトレーニングシーケンス、または同様のものを含む。言い換えれば、本願発明のこの実施形態において、ネットワーク側装置は、アップリンクＩｏＴフレームのプリアンブル部分をパースし、ＩｏＴ端末とのタイミング同期、周波数同期、またはチャネル推定に関する情報を取得する。すなわち、ＩｏＴ端末は、狭帯域アップリンクＩｏＴフレームだけを送信する必要があり、２０／４０／８０ＭＨｚの高帯域幅をサポートする必要がない。従って、本願発明において、制限された帯域幅を有する狭帯域ＩｏＴ端末を有効にサポートすることができ、それにより、ＩｏＴ装置の低複雑性、かつ低消費電力の要求が満たされる。
【０２２３】
図２６は、本願発明の実施形態に係るＯＦＤＭベースＩｏＴフレームの実施形態である。ＩｏＴ−ＳＴＦは、ＩｏＴタイミング同期、自動利得制御、および同様のもののために用いられる。ＩｏＴ−ＳＩＧは、ＩｏＴ物理層シグナリングを伝送するために用いられる。ＩｏＴ−ＬＴＦ１は、ＩｏＴ−ＳＩＧを復調するために必要とされるチャネル推定を取得するために用いられる。ＩｏＴ−ＬＴＦ２〜ＩｏＴ−ＬＴＦＮは、多入力多出力伝送においてＩｏＴデータフィールドを復調するために必要とされる多入力多出力（Ｍｕｌｔｉｐｌｅ  Ｉｎｐｕｔ  Ｍｕｌｔｉｐｌｅ  Ｏｕｔｐｕｔ、ＭＩＭＯ）チャネル推定を取得するために用いられる。ＩｏＴデータフィールドは、ＩｏＴアップリンクデータまたはＩｏＴダウンリンクデータを伝送するために用いられる。ＩｏＴ−ＳＴＦにより伝送される同期シーケンスの設計について、従来技術を参考されたい。詳細は本願発明のこの実施形態において説明されない。
【０２２４】
本願発明のこの実施形態において、遠隔ＩｏＴ装置をカバーするために、ＩｏＴ−ＳＴＦは、より長い同期シーケンスを用いる。例えば、ＩｏＴ−ＳＴＦの長さは、ＩｏＴ  ＯＦＤＭシンボルの長さの２倍、すなわち、１２．８×２＝２５．６マイクロ秒であってよい。ＩｏＴ−ＬＴＦ１は、Ｌ−ＬＴＦの構造と同様の構造を用いてよい。図２６に示されているように、ダブルガードインターバル（Ｄｏｕｂｌｅ  Ｇｕａｒｄ  Ｉｎｔｅｒｖａｌ、ＤＧＩ）は、ＩｏＴ  ＯＦＤＭシンボルのＣＰ長さの２倍である。２つのロングトレーニングシーケンス（Ｌｏｎｇ  Ｔｒａｉｎｉｎｇ  Ｓｅｑｕｅｎｃｅ、ＬＴＳ）シンボルが連続して伝送され、各ＬＴＳシンボルの長さが１２．８マイクロ秒である。あるいは、より長いシンボルが用いられ、すなわち、４倍のガードインターバル（４ｘ  Ｇｕａｒｄ  Ｉｎｔｅｒｖａｌ、４ＧＩ）が用いられるか、ＩｏＴ  ＯＦＤＭシンボルのＣＰ長さの４倍がサイクリックプリフィクスとして用いられるか、または、ＤＧＩがサイクリックプリフィクスとして用いられる。ＩｏＴ−ＬＴＦ２〜ＩｏＴ−ＬＴＦＮは、ＨＥ−ＬＴＦの構造と同様の構造を用いてよい。遠隔ＩｏＴ装置をカバーするために、ＩｏＴ−ＬＴＦ２〜ＩｏＴ−ＬＴＦＮのそれぞれのシンボルが、ＩｏＴ−ＬＴＦ１の構造と同じ構造を用いる。すなわち、ＤＧＩまたは４ＧＩは、サイクリックプリフィクスとして用いられ、２つまたは４つの同じトレーニングシンボルが連続して伝送される。信頼性のあるＩｏＴ  ＳＩＧ伝送を確実にするために、二位相シフトキーイング（Ｂｉｎａｒｙ  Ｐｈａｓｅ  Ｓｈｉｆｔ  Ｋｅｙｉｎｇ、ＢＰＳＫ）と、１／２符号化速度のチャネル符号化とが実行されてよい。遠隔ＩｏＴ装置をカバーするために、ＩｏＴ  ＳＩＧは、繰り返し伝送されてよく、すなわち、各ＩｏＴ  ＳＩＧのＯＦＤＭシンボルは、２回またはそれより多い回数で伝送される。
【０２２５】
図２７は、本願発明の実施形態に係るシングルキャリアベースのＩｏＴフレームの実施形態である。ＩｏＴ＿ｓｙｎｃが、同期シーケンスを伝送するために用いられ、ＩｏＴタイミング同期および自動利得制御のために用いられる。ＩｏＴ＿ｓｉｇが、ＩｏＴ物理層シグナリングを伝送するために用いられる。ＩｏＴデータフィールドが、ＩｏＴアップリンクデータまたはＩｏＴダウンリンクデータを伝送するために用いられる。この実施形態において、ＧＦＳＫまたはＤＰＳＫ変調は、ＩｏＴ＿ｓｉｇおよびＩｏＴデータフィールドの両方に対して実行される。この種類の変調はコヒーレント復調に対するチャネル推定を要求しないので、ＩｏＴフレームのプリアンブルは、参照シンボルを送信するためのフィールドを伝送しない。従って、ＩｏＴ信号の受信処理は、この実施形態において比較的単純であり、低コストおよび低消費電力という利点を有する。
【０２２６】
本願発明の実施形態において提供される第１のＩｏＴ通信方法に基づき、本願発明の実施形態は、ネットワーク側装置１００を提供する。図２８に示されているように、ネットワーク側装置１００は、決定ユニット１０１と送信ユニット１０２とを含む。
【０２２７】
決定ユニット１０１は、ダウンリンクデータ伝送を実行する端末装置を決定するよう構成され、ここで、端末装置は、ＩｏＴ端末を含む。
【０２２８】
送信ユニット１０２は、ダウンリンクデータフレームを送信するよう構成される。
【０２２９】
ダウンリンクデータフレームは、レガシープリアンブルと、高効率無線ローカルエリアネットワークＨＥＷプリアンブルと、データフィールドとを含む。
【０２３０】
周波数領域においてデータフィールドに対応するサブキャリアリソースは、少なくとも１つのＲＵを含む。ＲＵは、ダウンリンクＩｏＴフレームをＩｏＴ端末へ送信するために用いられ、ここえｄ、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置１００とＩｏＴ端末との間のダウンリンクデータを伝送するために用いられる。
【０２３１】
実装方式において、端末装置はさらに、ステーションＳＴＡを含む。
【０２３２】
周波数領域においてデータフィールドに対応するサブキャリアリソースはさらに、ＲＵと異なる少なくとも１つの他のＲＵを含む。
【０２３３】
少なくとも１つの他のＲＵは、ネットワーク側装置１００とＳＴＡとの間のダウンリンクデータを伝送するために用いられる。
【０２３４】
送信ユニット１０２は具体的に、以下の方式で、ＲＵを用いることによって、ダウンリンクＩｏＴフレームをＩｏＴ端末へ送信する。ＲＵの２つのエッジ位置における指定された数量のサブキャリアをガードサブキャリアとして用いる方式、ＲＵの中間位置における指定された数量のサブキャリアを直流サブキャリアとして用いる方式、および、ガードサブキャリアおよび直流サブキャリア以外の、ＲＵに含まれるサブキャリアを用いることによって、ダウンリンクＩｏＴフレームをＩｏＴ端末へ送信する方式である。
【０２３５】
さらに、送信ユニット１０２は具体的に、以下の方式で、ダウンリンクデータフレームに含まれるデータフィールドを生成する。ネットワーク側装置１００とＩｏＴ端末との間のダウンリンクデータに対して符号化および変調を実行して、ＩｏＴダウンリンク変調シンボルを取得し、かつ、ＩｏＴダウンリンク変調シンボルを少なくとも１つのＲＵに含まれるサブキャリアへマッピングする方式、ネットワーク側装置１００とＳＴＡとの間のダウンリンクデータに対して符号化および変調を実行して、無線ローカルエリアネットワークＷＬＡＮダウンリンク変調シンボルを取得し、かつ、ＷＬＡＮダウンリンク変調シンボルを少なくとも１つの他のＲＵに含まれるサブキャリアへマッピングする方式、および、少なくとも１つのＲＵに対応するサブキャリアと、少なくとも１つの他のＲＵに対応するサブキャリアとを含む周波数領域信号に対して逆高速フーリエ変換ＩＦＦＴを実行し、サイクリックプリフィクスを付加して、ＩｏＴおよびＷＬＡＮのハイブリッド伝送のためのダウンリンクベースバンド信号を生成する方式である。
【０２３６】
具体的には、送信ユニット１０２はさらに、以下の方式で、ＲＵを用いることによって、ダウンリンクＩｏＴフレームをＩｏＴ端末へ送信してよい。ＲＵの２つのエッジ位置における指定された数量のサブキャリアをガードサブキャリアとして用いる方式、および、ガードサブキャリア以外の、ＲＵに含まれるサブキャリアに対応する周波数帯域においてシングルキャリア方式でダウンリンクＩｏＴフレームをＩｏＴ端末へ送信する方式である。
【０２３７】
さらに、送信ユニット１０２は具体的に、以下の方式で、ダウンリンクデータフレームに含まれるデータフィールドを生成してよい。ネットワーク側装置１００とＳＴＡとの間のダウンリンクデータに対して符号化および変調を実行して、無線ローカルエリアネットワークＷＬＡＮダウンリンク変調シンボルを取得し、かつ、ＷＬＡＮダウンリンク変調シンボルを少なくとも１つの他のＲＵに含まれるサブキャリアへマッピングする方式、少なくとも１つの他のＲＵに対応するサブキャリアを含む周波数領域信号に対して逆高速フーリエ変換ＩＦＦＴを実行し、サイクリックプリフィクスＣＰを付加して、ＷＬＡＮダウンリンクベースバンド信号を生成する方式、ネットワーク側装置１００とＩｏＴ端末との間のダウンリンクデータに対して符号化および変調を実行し、ＣＰを付加して、ＩｏＴダウンリンクシングルキャリアシンボルを生成する方式、ＩｏＴダウンリンクシングルキャリアシンボルに対して波形整形フィルタリングを実行して、ＩｏＴダウンリンクベースバンド信号を取得する方式、ＩｏＴダウンリンクベースバンド信号に対して周波数変換を実行して、ＩｏＴダウンリンク帯域通過信号を取得する方式であって、ＩｏＴダウンリンク帯域通過信号の中心周波数がｆｒであり、ｆｒは、ゼロ周波数と、ダウンリンクＩｏＴフレームを送信するために用いられるＲＵの中心周波数との間の周波数差である、方式、および、ＩｏＴダウンリンク帯域通過信号とＷＬＡＮダウンリンクベースバンド信号とを加算して、ＩｏＴおよびＷＬＡＮのハイブリッド伝送のためのダウンリンクベースバンド信号を取得する方式である。
【０２３８】
本願発明のこの実施形態において、ＩｏＴダウンリンクシングルキャリアシンボルと、ＷＬＡＮダウンリンクベースバンド信号のＯＦＤＭシンボルとは、同じ長さのＣＰを用い、ＩｏＴダウンリンクシングルキャリアシンボルの長さは、ＷＬＡＮダウンリンクベースバンド信号のＯＦＤＭシンボルの長さと同じである。
【０２３９】
任意選択的に、本願発明のこの実施形態において、ＩｏＴダウンリンクシングルキャリアシンボルは、Ｋ個の変調シンボルを含み、各変調シンボルの期間がＴ１＝Ｔ０／Ｋであり、ここで、Ｋは、ダウンリンクＩｏＴフレームを送信するために用いられるＲＵに含まれるサブキャリアの数量を超えない正の整数であり、Ｔ１は、各変調シンボルの期間であり、Ｔ０は、ＷＬＡＮダウンリンクベースバンド信号のＯＦＤＭシンボルの長さである。
【０２４０】
本願発明の別の実装方式において、ダウンリンクＩｏＴフレームを送信するために用いられるＲＵは、少なくとも１つのベーシックＲＵを含む。
【０２４１】
送信ユニット１０２はさらに、ベーシックＲＵにおいてチャネル指示情報を送信するよう構成される。
【０２４２】
チャネル指示情報は、ＩｏＴ端末が、ベーシックＲＵから、ベーシックＲＵ以外の、ダウンリンクＩｏＴフレームを送信するために用いられるＲＵへハンドオーバされることを示すために用いられる。
【０２４３】
本願発明のこの実施形態において、ＩｏＴプリアンブルにより伝送された、ダウンリンクＩｏＴフレームの物理層制御情報は、以下のシーケンスのうちの１つまたは任意の組み合わせを含むことが留意されるべきである。ダウンリンクＩｏＴフレームのタイミング同期および周波数同期を取得するために、ＩｏＴ端末により用いられる同期シーケンス、または、ダウンリンクＩｏＴフレームを復調するために必要とされるチャネル推定を取得するために、ＩｏＴ端末により用いられるトレーニングシーケンスである。
【０２４４】
ＩｏＴデータフィールドは、少なくとも１つのサブフレームを含むことがさらに留意されるべきである。ＩｏＴデータフィールドは、少なくとも２つのＩｏＴ端末のダウンリンクデータを含む。各ＩｏＴ端末のダウンリンクデータは、少なくとも１つのサブフレームを占有する、または、各ＩｏＴ端末のダウンリンクデータは、少なくとも１つのサブフレームの少なくとも１つのタイムスロットを占有する、または、各ＩｏＴ端末のダウンリンクデータは、少なくとも１つのサブフレームと、該少なくとも１つのサブフレームの少なくとも１つのタイムスロットとを占有する。
【０２４５】
本願発明の実施形態において提供される第１のＩｏＴ通信方法に基づき、本願発明のこの実施形態はさらに、ネットワーク側装置１０００を提供する。図２９に示されているように、ネットワーク側装置１０００は、メモリ１００１と、プロセッサ１００２と、トランスミッタ１００３とを含む。
【０２４６】
メモリ１００１は、プロセッサ１００２により実行されるプログラムコードを格納するよう構成される。
【０２４７】
プロセッサ１００２は、メモリ１００１に格納されているプログラムを呼び出して、ＩｏＴ端末を含む、ダウンリンクデータ伝送を実行する端末装置を決定し、かつ、トランスミッタ１００３を用いることによってダウンリンクデータフレームを送信するよう構成される。
【０２４８】
ダウンリンクデータフレームは、レガシープリアンブルと、高効率無線ローカルエリアネットワークＨＥＷプリアンブルと、データフィールドとを含む。
【０２４９】
周波数領域においてデータフィールドに対応するサブキャリアリソースは、少なくとも１つのＲＵを含む。ＲＵは、ダウンリンクＩｏＴフレームをＩｏＴ端末へ送信するために用いられ、ここで、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置１００とＩｏＴ端末との間のダウンリンクデータを伝送するために用いられる。
【０２５０】
本願発明のこの実施形態において、プロセッサ１００２はさらに、メモリ１００１に格納されているプログラムを呼び出すよう構成され、これにより、本願発明のこの実施形態において提供されるネットワーク側装置１００の機能を実行し、かつ、本願発明の実施形態において提供される第１のＩｏＴ通信方法を実行する。プロセッサ１００２により実装される具体的な機能について、本願発明の実施形態の第１のＩｏＴ通信方法およびネットワーク側装置１００に関連する説明を参照されたい。詳細はここでは再び説明されない。
【０２５１】
本願発明のこの実施形態において提供されるネットワーク側装置１００およびネットワーク側装置１０００は、例えば、ＡＰであってよい。このことは、本願発明のこの実施形態に具体的に限定されない。
【０２５２】
本願発明のこの実施形態において提供されるネットワーク側装置１００およびネットワーク側装置１０００によれば、ダウンリンクデータ伝送を実行する端末装置がＩｏＴ端末を含むと決定され、ネットワーク側装置１００またはネットワーク側装置１０００により送信されたダウンリンクデータフレームにおけるダウンリンクＩｏＴフレームを用いることによって、８０２．１１ａｘデータフレームのデータフィールドに対して、周波数分割多重化が実行され、これにより、ネットワーク側装置１００またはネットワーク側装置１０００は、ＩｏＴ端末に対して、スケジューリングおよび調整することができ、それにより、ＩｏＴ伝送における干渉リスクを低減する。ダウンリンクデータフレームを伝送する過程において、ＳＴＡは、レガシープリアンブルおよびＨＥＷプリアンブルをパースし、タイミング同期、周波数同期、およびチャネル推定に関する情報を取得する。ＩｏＴ端末は、ダウンリンクＩｏＴフレームのプリアンブル部分をパースし、８０２．１１ａｘにおけるプリアンブル部分をパースする必要がなく、ＩｏＴ端末により実行されるタイミング同期、周波数同期、およびチャネル推定に関する情報を取得し、これにより、ＩｏＴ端末およびＳＴＡは、８０２．１１ａｘにおけるチャネルリソースに対して周波数分割を実行し、８０２．１１ａｘにおけるチャネルリソースを共有する過程において互いに干渉しない。先述の方式では、ＩｏＴ端末は、２０／４０／８０ＭＨｚの高帯域幅をサポートする必要がなく、制限された帯域幅を有する狭帯域ＩｏＴ端末が有効にサポートされ、それにより、ＩｏＴ装置の低複雑性、かつ低消費電力の要求が満される。
【０２５３】
本願発明の実施形態において提供される第２のＩｏＴ通信方法に基づき、本願発明の実施形態は、ＩｏＴ端末２００を提供する。図３０に示されているように、本願発明のこの実施形態において提供されるＩｏＴ端末２００は、取得ユニット２０１と処理ユニット２０２とを含む。
【０２５４】
取得ユニット２０１は、ダウンリンク受信信号からダウンリンクＩｏＴフレームを取得するよう構成され、ここで、ダウンリンク受信信号は、ネットワーク側装置により送信されたダウンリンクデータフレームを含む。
【０２５５】
ダウンリンクデータフレームは、レガシープリアンブルと、高効率無線ローカルエリアネットワークＨＥＷプリアンブルと、データフィールドとを含み、周波数領域においてデータフィールドに対応するサブキャリアリソースが、少なくとも１つのＲＵを含み、少なくとも１つのＲＵは、ダウンリンクＩｏＴフレームを送信するために用いられ、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置とＩｏＴ端末２００との間のダウンリンクデータを伝送するために用いられる。
【０２５６】
処理ユニット２０２は、取得ユニット２０１により取得されたダウンリンクＩｏＴフレームを処理して、ネットワーク側装置とＩｏＴ端末２００との間のダウンリンクデータを取得するよう構成される。
【０２５７】
本願発明のこの実施形態において、ＩｏＴ端末２００の受信チャネルの帯域幅は、ＲＵの帯域幅を超えない。ＩｏＴ端末２００の受信チャネルにより用いられるキャリア周波数がｆ０＋ｆｒであり、ここで、ｆ０は、ダウンリンクＩｏＴフレームのキャリア周波数であり、ｆｒは、ＲＵの中心周波数とゼロ周波数との間の周波数差である。
【０２５８】
本願発明のこの実施形態の実装方式において、処理ユニット２０２は具体的に、以下の方式で、ダウンリンクＩｏＴフレームを処理して、ネットワーク側装置とＩｏＴ端末２００との間のダウンリンクデータを取得するよう構成される。ダウンリンクＩｏＴフレームの各直交周波数分割多重化ＯＦＤＭシンボルからサイクリックプリフィクスＣＰを除去し、アップサンプリングおよび高速フーリエ変換ＦＦＴを実行して、ＲＵに含まれるサブキャリアへマッピングされたＩｏＴ変調信号を取得する方式、および、ＩｏＴ変調信号に対して復調および復号を実行して、ネットワーク側装置とＩｏＴ端末２００との間のダウンリンクデータを取得する方式である。
【０２５９】
本願発明のこの実施形態の別の実装方式において、処理ユニット２０２は具体的に、以下の方式で、ダウンリンクＩｏＴフレームを処理して、ネットワーク側装置とＩｏＴ端末２００との間のダウンリンクデータを取得するよう構成される。ダウンリンクＩｏＴフレームの各シングルキャリアシンボルからサイクリックプリフィクスＣＰを除去し、周波数領域等化を実行して、ＲＵに対応する周波数帯域へマッピングされたＩｏＴ変調信号を取得する方式、および、ＩｏＴ変調信号に対して復調および復号を実行して、ネットワーク側装置とＩｏＴ端末２００との間のダウンリンクデータを取得する方式である。
【０２６０】
本願発明のこの実施形態において、ＩｏＴプリアンブルにより伝送された、ダウンリンクＩｏＴフレームの物理層制御情報は、以下のシーケンスのうちの１つまたは任意の組み合わせを含んでよいことが留意されるべきである。Ａ．ダウンリンクＩｏＴフレームのタイミング同期および周波数同期を取得するためにＩｏＴ端末２００により用いられる同期シーケンス、または、Ｂ．ダウンリンクＩｏＴフレームを復調するために必要とされるチャネル推定を取得するためにＩｏＴ端末２００により用いられるトレーニングシーケンスである。
【０２６１】
本願発明の実施形態において提供される第２のＩｏＴ通信方法およびＩｏＴ端末２００に基づき、本願発明のこの実施形態はさらに、ＩｏＴ端末２０００を提供する。図３１に示されているように、ＩｏＴ端末２０００は、メモリ２００１と、プロセッサ２００２と、センサ２００３と、通信インターフェース２００４とを含む。
【０２６２】
メモリ２００１は、プロセッサ２００２により実行されるプログラムコードを格納するよう構成される。
【０２６３】
プロセッサ２００２は、通信インターフェース２００４を用いることによって、メモリ２００１に格納されているプログラムを呼び出して、ダウンリンク受信信号からダウンリンクＩｏＴフレームを取得するようセンサ２００３を制御し、かつ、ダウンリンクＩｏＴフレームを処理して、ネットワーク側装置とＩｏＴ端末２０００との間のダウンリンクデータを取得するよう構成される。
【０２６４】
本願発明のこの実施形態において、ダウンリンク受信信号は、ネットワーク側装置により送信されたダウンリンクデータフレームを含む。ダウンリンクデータフレームは、レガシープリアンブルと、ＨＥＷプリアンブルと、データフィールドとを含む。レガシープリアンブルおよびＨＥＷプリアンブルは、ネットワーク側装置とステーションＳＴＡとの間の通信のために用いられ、周波数領域においてデータフィールドにお対応するサブキャリアリソースが、少なくとも１つのＲＵを含む。少なくとも１つのＲＵは、ダウンリンクＩｏＴフレームを送信するために用いられ、ダウンリンクＩｏＴフレームは、ＩｏＴプリアンブルおよびＩｏＴデータフィールドを含む。ＩｏＴプリアンブルは、ダウンリンクＩｏＴフレームの物理層制御情報を伝送するために用いられ、ＩｏＴデータフィールドは、ネットワーク側装置とＩｏＴ端末との間のダウンリンクデータを伝送するために用いられる。
【０２６５】
本願発明のこの実施形態において、プロセッサ２００２はさらに、メモリ２００１に格納されているプログラムを呼び出すよう構成され、これにより、本願発明のこの実施形態において提供されるＩｏＴ端末２００の機能を実行し、本願発明の実施形態において提供される第２のＩｏＴ通信方法を実行する。プロセッサ２００２により実行される具体的な機能について、本願発明の実施形態の第２のＩｏＴ通信方法およびＩｏＴ端末２００に関連する説明を参照されたい。詳細はここでは再び説明されない。
【０２６６】
本願発明のこの実施形態において提供されるＩｏＴ端末２００およびＩｏＴ端末２０００によれば、受信ＩｏＴダウンリンク信号は、ネットワーク側装置により送信されたダウンリンクデータフレームを含み、周波数分割多重化は、８０２．１１ａｘデータフレームのダウンリンクデータフレームおよびデータフィールドにおけるダウンリンクＩｏＴフレームに対して実行され、これにより、ネットワーク側装置は、ＩｏＴ端末に対してスケジューリングおよび調整することができ、それにより、ＩｏＴ伝送における干渉リスクが低減される。ダウンリンクデータフレームを伝送する過程において、ＳＴＡは、レガシープリアンブルおよびＨＥＷプリアンブルをパースし、タイミング同期、周波数同期、およびチャネル推定に関する情報を取得する。ＩｏＴ端末は、ダウンリンクＩｏＴフレームのプリアンブル部分をパースし、８０２．１１ａｘにおけるプリアンブル部分をパースする必要がなく、ＩｏＴ端末により実行されるタイミング同期、周波数同期、およびチャネル推定に関する情報を取得し、これにより、ＩｏＴ端末およびＳＴＡは、８０２．１１ａｘにおけるチャネルリソースに対して周波数分割を実行し、８０２．１１ａｘにおけるチャネルリソースを共有する過程において、互いに干渉しない。先述の方式では、ＩｏＴ端末は、２０／４０／８０ＭＨｚの高帯域幅をサポートする必要がなく、制限された帯域幅を有する狭帯域ＩｏＴ端末が有効にサポートされ、それにより、ＩｏＴ装置の低複雑性、かつ低消費電力の要求が満たされる。
【０２６７】
本願発明の実施形態において提供される第３のＩｏＴ通信方法に基づき、本願発明の実施形態は、ＩｏＴ端末３００を提供する。図３２に示されているように、本願発明のこの実施形態において提供されるＩｏＴ端末３００は、受信ユニット３０１と送信ユニット３０２とを含む。
【０２６８】
受信ユニット３０１は、ネットワーク側装置により送信されたアップリンク伝送スケジューリング要求を受信するよう構成され、ここで、アップリンク伝送スケジューリング要求は、ＩｏＴ端末３００に対して、アップリンクＩｏＴフレームを送信するようスケジューリングするために用いられ、アップリンクＩｏＴフレームは、アップリンクデータフレームのデータフィールドに位置し、周波数領域においてアップリンクデータフレームのデータフィールドに対応するサブキャリアリソースが、少なくとも１つのリソースユニットＲＵを含み、少なくとも１つのＲＵは、アップリンクＩｏＴフレームを送信するために用いられる。
【０２６９】
送信ユニット３０２は、受信ユニット３０１により受信されたアップリンク伝送スケジューリング要求に従って、アップリンクＩｏＴフレームを送信するよう構成される。
【０２７０】
本願発明のこの実施形態において、アップリンクＩｏＴフレームは、ＩｏＴプリアンブルおよびＩｏＴデータフィールドを含み、ＩｏＴプリアンブルは、アップリンクＩｏＴフレームの物理層制御情報を伝送するために用いられ、ＩｏＴデータフィールドは、ネットワーク側装置とＩｏＴ端末３００との間のアップリンクデータを伝送するために用いられる。
【０２７１】
具体的には、本願発明のこの実施形態において、送信ユニット３０２は具体的に、以下の方式で、アップリンクＩｏＴフレームを送信する。ＲＵの２つのエッジ位置における指定された数量のサブキャリアをガードサブキャリアとして用いる方式、ＲＵの中間位置における指定された数量のサブキャリアを直流サブキャリアとして用いる方式、および、ガードサブキャリアおよび直流サブキャリア以外の、ＲＵに含まれるサブキャリアにおいてアップリンクＩｏＴフレームをネットワーク側装置へ送信する方式である。
【０２７２】
本願発明のこの実施形態において提供される実装方式では、送信ユニット３０２は具体的に、以下の方式で、ＲＵを用いることによって、アップリンクＩｏＴフレームを送信する。ネットワーク側装置とＩｏＴ端末３００との間のアップリンクデータに対して符号化および変調を実行して、ＩｏＴアップリンク変調シンボルを取得し、かつ、ＩｏＴアップリンク変調シンボルをＲＵに含まれるサブキャリアへマッピングする方式、ＲＵに対応するサブキャリアを含む周波数領域信号に対して逆高速フーリエ変換ＩＦＦＴおよびダウンサンプリングを実行し、サイクリックプリフィクスを付加して、第１のＩｏＴアップリンクベースバンド信号を取得する方式、および、アップリンク伝送チャネルを用いることによって、第１のＩｏＴアップリンクベースバンド信号を送信する方式であって、アップリンク伝送チャネルのキャリア周波数がｆ０＋ｆｒであり、ｆ０は、ＲＵが位置するアップリンクデータフレームを伝送するためのチャネルのキャリア周波数であり、ｆｒは、第２のＲＵの中心周波数とゼロ周波数との間の周波数差である、方式である。
【０２７３】
本願発明の別の実装方式において、送信ユニット３０２は具体的に、以下の方式で、アップリンクＩｏＴフレームを送信する。ＲＵの２つのエッジ位置における指定された数量のサブキャリアをガードサブキャリアとして用いる方式、および、ガードサブキャリア以外の、第２のＲＵに含まれるサブキャリアに対応する周波数帯域においてシングルキャリア方式で、アップリンクＩｏＴフレームをネットワーク側装置へ送信する方式である。
【０２７４】
具体的には、送信ユニット３０２は具体的に、以下の方式で、アップリンクＩｏＴフレームをシングルキャリア方式で送信する。ネットワーク側装置とＩｏＴ端末３００との間のアップリンクデータに対して符号化および変調を実行し、サイクリックプリフィクスＣＰを付加して、ＩｏＴアップリンクシングルキャリアシンボルを生成する方式、ＩｏＴアップリンクシングルキャリアシンボルに対して波形整形フィルタリングを実行して、第２のＩｏＴアップリンクベースバンド信号を取得する方式、および、アップリンク伝送チャネルを用いることによって第２のＩｏＴアップリンクベースバンド信号を送信する方式であって、アップリンク伝送チャネルのキャリア周波数がｆ０＋ｆｒであり、ここで、ｆ０は、ＲＵが位置するアップリンクデータフレームを伝送するためのチャネルのキャリア周波数であり、ｆｒは、ＲＵの中心周波数とゼロ周波数との間の周波数差である、方式である。
【０２７５】
任意選択的に、本願発明のこの実施形態において、ＩｏＴアップリンクシングルキャリアシンボルと、ＳＴＡにより送信されたＷＬＡＮアップリンクベースバンド信号のＯＦＤＭシンボルとは、同じ長さのＣＰを用い、ＩｏＴアップリンクシングルキャリアシンボルの長さは、ＳＴＡにより送信されたＷＬＡＮアップリンクベースバンド信号のＯＦＤＭシンボルの長さと同じである。
【０２７６】
本願発明のこの実施形態において、ＩｏＴアップリンクシングルキャリアシンボルは、Ｋ個の変調シンボルを含み、各変調シンボルの期間がＴ１＝Ｔ０／Ｋであり、ここで、Ｋは、ＲＵに含まれるサブキャリアの数量を超えない正の整数であり、Ｔ１は、各変調シンボルの期間であり、Ｔ０は、ＳＴＡにより送信されたＷＬＡＮアップリンクベースバンド信号のＯＦＤＭシンボルの長さである、ことが留意されるべきである。
【０２７７】
本願発明のこの実施形態において、ＩｏＴプリアンブルにより伝送された、アップリンクＩｏＴフレームの物理層制御情報は、以下のシーケンスのうちの１つまたは任意の組み合わせを含んでよいことがさらに留意されるべきである。アップリンクＩｏＴフレームのタイミング同期および周波数同期を取得するためにネットワーク側装置により用いられる同期シーケンス、または、アップリンクＩｏＴフレームを復調するために必要とされるチャネル推定を取得するためにネットワーク側装置により用いられるトレーニングシーケンスである。
【０２７８】
任意選択的に、本願発明のこの実施形態において、ＩｏＴデータフィールドは、少なくとも１つのサブフレームを含んでよい。ＩｏＴデータフィールドは、少なくとも２つのＩｏＴ端末３００のアップリンクデータを含む。各ＩｏＴ端末３００のアップリンクデータは、少なくとも１つのサブフレームを占有する、または、各ＩｏＴ端末３００のアップリンクデータは、少なくとも１つのサブフレームの少なくとも１つのタイムスロットを占有する、または、各ＩｏＴ端末３００のアップリンクデータは、少なくとも１つのサブフレームと、該少なくとも１つのサブフレームの少なくとも１つのタイムスロットとを占有する。
【０２７９】
任意選択的に、本願発明のこの実施形態において、アップリンク伝送スケジューリング要求は、ネットワーク側装置により送信されたダウンリンクデータフレームを用いることによって送信されてよい。ダウンリンクデータフレームは、レガシープリアンブルと、高効率無線ローカルエリアネットワークＨＥＷプリアンブルと、データフィールドとを含み、周波数領域においてダウンリンクデータフレームのデータフィールドに対応するサブキャリアリソースが、アップリンク伝送スケジューリング要求を送信するために用いられる少なくとも１つのＲＵを含む。
【０２８０】
本願発明の実施形態において提供される第３のＩｏＴ通信方法およびＩｏＴ端末３００に基づき、本願発明のこの実施形態はさらに、ＩｏＴ端末３０００を提供する。図３３に示されているように、ＩｏＴ端末３０００は、メモリ３００１と、プロセッサ３００２と、受信機３００３と、トランスミッタ３００４とを含む。
【０２８１】
メモリ３００１は、プロセッサ３００２により実行されるプログラムコードを格納するよう構成される。
【０２８２】
プロセッサ３００２は、メモリ３００１に格納されているプログラムを呼び出して、ネットワーク側装置により送信されたアップリンク伝送スケジューリング要求を受信機３００３を用いて受信し、かつ、アップリンク伝送スケジューリング要求に従ってトランスミッタ３００４を用いてアップリンクＩｏＴフレームを送信するよう構成される。
【０２８３】
本願発明のこの実施形態において、アップリンク伝送スケジューリング要求は、ＩｏＴ端末３０００に対して、アップリンクＩｏＴフレームを送信するようスケジューリングするために用いられ、アップリンクＩｏＴフレームは、アップリンクデータフレームのデータフィールドに位置し、周波数領域においてアップリンクデータフレームのデータフィールドに対応するサブキャリアリソースが、少なくとも１つのＲＵを含み、少なくとも１つのＲＵは、アップリンクＩｏＴフレームを送信するために用いられる。
【０２８４】
本願発明のこの実施形態において、ＩｏＴ端末３０００により送信されたアップリンクＩｏＴフレームは、ＩｏＴプリアンブルおよびＩｏＴデータフィールドを含む。アップリンクＩｏＴフレームは、ＩｏＴプリアンブルおよびＩｏＴデータフィールドを含む。ＩｏＴプリアンブルは、アップリンクＩｏＴフレームの物理層制御情報を伝送するために用いられ、ＩｏＴデータフィールドは、ネットワーク側装置とＩｏＴ端末３０００との間のアップリンクデータを伝送するために用いられる。
【０２８５】
本願発明のこの実施形態において、プロセッサ３００２はさらに、メモリ３００１に格納されているプログラムを呼び出すよう構成され、これにより、本願発明のこの実施形態において提供されるＩｏＴ端末３００の機能を実行し、本願発明の実施形態において提供される第３のＩｏＴ通信方法を実行する。プロセッサ３００２により実装された具体的な機能について、本願発明の実施形態における第３のＩｏＴ通信方法およびＩｏＴ端末３００に関連する説明を参照されたい。詳細はここでは再び説明されない。
【０２８６】
本願発明のこの実施形態において提供されるＩｏＴ端末３００およびＩｏＴ端末３０００によれば、送信されたアップリンクＩｏＴフレームは、アップリンクデータフレームのデータフィールドに位置し、周波数領域においてアップリンクデータフレームのデータフィールドに対応するサブキャリアリソースが、少なくとも１つのＲＵを含み、少なくとも１つのＲＵは、アップリンクＩｏＴフレームを送信するために用いられる。本願発明のこの実施形態において、アップリンクデータフレームにおいて、ＩｏＴ端末およびＳＴＡは、８０２．１１ａｘデータフレームのデータフィールドに対して周波数分割多重化を実行し、これにより、ネットワーク側装置は、ＩｏＴ端末に対して、スケジューリングおよび調整することができ、それにより、ＩｏＴ伝送における干渉リスクが低減される。アップリンクデータフレームを伝送する過程において、ＩｏＴ端末は、狭帯域アップリンクＩｏＴフレームだけを送信する必要がある。ＩｏＴ端末およびＳＴＡは、８０２．１１ａｘにおけるチャネルリソースに対して周波数分割多重化を実行し、互いに干渉しない。先述の方式では、ＩｏＴ端末は、２０／４０／８０ＭＨｚの高帯域幅をサポートする必要がなく、制限された帯域幅を有する狭帯域ＩｏＴ端末が有効にサポートされ、それにより、ＩｏＴ装置の低複雑性、かつ低消費電力の要求が満たされる。
【０２８７】
本願発明の実施形態において提供される第４のＩｏＴ通信方法に基づき、本願発明の実施形態は、ネットワーク側装置４００を提供する。図３４に示されているように、本願発明のこの実施形態に提供されているネットワーク側装置４００は、送信ユニット４０１と取得ユニット４０２とを含む。
【０２８８】
送信ユニット４０１は、アップリンク伝送スケジューリング要求をＩｏＴ端末へ送信するよう構成され、ここで、アップリンク伝送スケジューリング要求は、ＩｏＴ端末に対して、アップリンクＩｏＴフレームを送信するようスケジューリングするために用いられる。
【０２８９】
取得ユニット４０２は、ＩｏＴ端末が送信ユニット４０１により送信されたアップリンク伝送スケジューリング要求に従って送信したアップリンクＩｏＴフレームを取得するよう構成される。
【０２９０】
アップリンクＩｏＴフレームは、アップリンクデータフレームのデータフィールドに位置し、周波数領域においてアップリンクデータフレームのデータフィールドに対応するサブキャリアリソースが、少なくとも１つのリソースユニットＲＵを含み、少なくとも１つのＲＵは、アップリンクＩｏＴフレームを送信するために用いられる。アップリンクＩｏＴフレームは、ＩｏＴプリアンブルおよびＩｏＴデータフィールドを含み、ＩｏＴプリアンブルは、アップリンクＩｏＴフレームの物理層制御情報を伝送するために用いられ、ＩｏＴデータフィールドは、ネットワーク側装置４００とＩｏＴ端末との間のアップリンクデータを伝送するために用いられる。
【０２９１】
本願発明のこの実施形態の実装方式において、取得ユニット４０２は具体的に、以下の方式で、ＩｏＴ端末によりアップリンク伝送スケジューリング要求に従って送信されたアップリンクＩｏＴフレームを取得する。アップリンク受信信号を取得する方式であって、アップリンク受信信号は、ＩｏＴ端末により送信されたアップリンクＩｏＴフレームを含む、方式、アップリンク受信信号からサイクリックプリフィクスＣＰを除去し、高速フーリエ変換ＦＦＴを実行して、周波数領域受信信号を取得する方式、周波数領域受信信号から、ＲＵに対応するサブキャリアにおける信号を取得して、ＩｏＴ周波数領域信号を取得する方式、および、ＩｏＴ周波数領域信号に対して周波数領域等化と、逆高速フーリエ変換ＩＦＦＴと、復調および復号とを実行して、ネットワーク側装置とＩｏＴ端末との間のアップリンクデータを取得する方式である。
【０２９２】
本願発明のこの実施形態において、送信ユニット４０１は具体的に、ダウンリンクデータフレームを用いることによってアップリンク伝送スケジューリング要求を送信する方式で、アップリンク伝送スケジューリング要求をＩｏＴ端末へ送信する。ダウンリンクデータフレームは、レガシープリアンブルと、高効率無線ローカルエリアネットワークＨＥＷプリアンブルと、データフィールドとを含み、周波数領域においてダウンリンクデータフレームのデータフィールドに対応するサブキャリアリソースが、アップリンク伝送スケジューリング要求を送信するために用いられる少なくとも１つのＲＵを含む。
【０２９３】
本願発明のこの実施形態において、ＩｏＴプリアンブルにより伝送された、アップリンクＩｏＴフレームの物理層制御情報は、以下のシーケンスのうちの１つまたは任意の組み合わせを含んでよいことが留意されるべきである。アップリンクＩｏＴフレームのタイミング同期および周波数同期を取得するためにネットワーク側装置により用いられる同期シーケンス、または、アップリンクＩｏＴフレームを復調するために必要とされるチャネル推定を取得するためにネットワーク側装置により用いられるトレーニングシーケンスである。
【０２９４】
本願発明の実施形態において提供される第４のＩｏＴ通信方法およびネットワーク側装置４００に基づき、本願発明のこの実施形態はさらに、ネットワーク側装置４００を提供する。図３５に示されているように、ネットワーク側装置４０００は、メモリ４００１と、プロセッサ４００２と、トランシーバ４００３とを含む。
【０２９５】
メモリ４００１は、プロセッサ４００２により実行されるプログラムコードを格納するよう構成される。
【０２９６】
プロセッサ４００２は、メモリ４００１において格納されているプログラムを呼び出して、トランシーバ４００３を用いてアップリンク伝送スケジューリング要求をＩｏＴ端末へ送信し、かつ、ＩｏＴ端末によりアップリンク伝送スケジューリング要求に従って送信されたアップリンクＩｏＴフレームを取得するよう構成される。
【０２９７】
本願発明のこの実施形態において、アップリンク伝送スケジューリング要求は、ダウンリンクデータフレームを用いることによって送信されてよい。ダウンリンクデータフレームは、レガシープリアンブルと、ＨＥＷプリアンブルと、データフィールドとを含む。レガシープリアンブルおよびＨＥＷプリアンブルは、ネットワーク側装置とステーションＳＴＡとの間の通信のために用いられ、周波数領域においてデータフィールドに対応するサブキャリアリソースが、アップリンク伝送スケジューリング要求を送信するために用いられる少なくとも１つのＲＵを含む。
【０２９８】
本願発明のこの実施形態において、アップリンクＩｏＴフレームは、アップリンクデータフレームのデータフィールドに位置し、周波数領域においてアップリンクデータフレームのデータフィールドに対応するサブキャリアリソースが、少なくとも１つのＲＵを含み、少なくとも１つのＲＵは、アップリンクＩｏＴフレームを送信するために用いられる。
【０２９９】
本願発明のこの実施形態において、プロセッサ４００２はさらに、メモリ４００１に格納されているプログラムを呼び出すよう構成され、これにより、本願発明のこの実施形態において提供されるネットワーク側装置４００の機能を実行し、本願発明の実施形態において提供される第４のＩｏＴ通信方法を実行する。プロセッサ４００２により実装された具体的な機能について、本願発明の実施形態における第４のＩｏＴ通信方法およびネットワーク側装置４００に関連する説明を参照されたい。詳細はここでは再び説明されない。
【０３００】
本願発明のこの実施形態において提供されるネットワーク側装置４００およびネットワーク側装置４０００によれば、アップリンクスケジューリング要求は、ダウンリンクデータフレームを用いることによってＩｏＴ端末へ送信され、周波数分割多重化は、８０２．１１ａｘデータフレームのダウンリンクデータフレームおよびデータフィールドにおいてダウンリンクＩｏＴフレームに対して実行され、これにより、ネットワーク側装置４００またはネットワーク側装置４０００は、ＩｏＴ端末に対してスケジューリングおよび調整することができ、それにより、ＩｏＴ伝送における干渉リスクを低減する。ネットワーク側装置４００またはネットワーク側装置４０００は、ＩｏＴ端末によりアップリンク伝送スケジューリング要求に従って送信されたアップリンクデータフレームを受信する。アップリンクデータフレームは、レガシープリアンブルと、ＨＥＷプリアンブルと、データフィールドとを含み、データフィールドは、ＩｏＴ端末とネットワーク側装置との間のアップリンクデータを伝送するために用いられるＲＵを含む。従って、本願発明のこの実施形態において、ＩｏＴ端末は、狭帯域アップリンクＩｏＴフレームだけを送信する必要がある。ＩｏＴ端末およびＳＴＡは、８０２．１１ａｘにおけるチャネルリソースに対して周波数分割多重化を実行し、互いに干渉しない。先述の方式では、ＩｏＴ端末は、２０／４０／８０ＭＨｚの高帯域幅をサポートする必要がなく、制限された帯域幅を有する狭帯域ＩｏＴ端末が有効にサポートされ、それにより、ＩｏＴ装置の低複雑性、かつ低消費電力の要求が満たされる。
【０３０１】
本願発明の実施形態はさらに、通信システム５００を提供する。図３６に示されているように、通信システム５００は、ネットワーク側装置５０１と、ＳＴＡ５０２と、ＩｏＴ端末５０３とを含む。
【０３０２】
本願発明のこの実施形態において、ネットワーク側装置５０１は、ダウンリンクデータフレームを送信し、ダウンリンクデータフレームは、レガシープリアンブルと、ＨＥＷプリアンブルと、データフィールドとを含む。レガシープリアンブルおよびＨＥＷプリアンブルは、ネットワーク側装置５０１とＳＴＡ５０２との間の通信のために用いられる。周波数領域においてデータフィールドに対応するサブキャリアリソースは、第１のＲＵおよび第２のＲＵを含む。第１のＲＵは、ダウンリンクＩｏＴフレームをＩｏＴ端末５０３へ送信するために用いられ、ここで、ダウンリンクＩｏＴフレームは、ＩｏＴプリアンブルおよびＩｏＴデータフィールドを含み、ＩｏＴプリアンブルは、ダウンリンクＩｏＴフレームの物理層制御情報を伝送するために用いられ、ＩｏＴデータフィールドは、ネットワーク側装置５０１とＩｏＴ端末５０３との間のダウンリンクデータを伝送するために用いられる。第２のＲＵは、ネットワーク側装置５０１とＳＴＡ５０２との間のダウンリンクデータをＳＴＡ５０２へ送信するために用いられる。
【０３０３】
ＳＴＡ５０２は、ダウンリンクデータフレームを用いることによってレガシープリアンブルおよびＨＥＷプリアンブルをパースし、ＳＴＡ５０２により実行されるタイミング同期、周波数同期、チャネル推定、または同様のものに関する情報を取得し、データフィールドにおける第２のＲＵを用いることによってネットワーク側装置５０１とＳＴＡ５０２との間のダウンリンクデータを取得する。
【０３０４】
ＩｏＴ端末５０３は、ダウンリンクデータフレームを用いることによってＩｏＴプリアンブルをパースし、ＩｏＴ端末５０３により実行されるタイミング同期、周波数同期およびチャネル推定のフィールドを取得し、ネットワーク側装置５０１により送信されたダウンリンクデータを、データフィールドにおける第１のＲＵを用いることによって取得する。
【０３０５】
本願発明のこの実施形態において、ネットワーク側装置５０１はさらに、アップリンク伝送スケジューリング要求をＩｏＴ端末５０３へ送信し、ＩｏＴ端末５０３に対して、アップリンクデータを送信するようスケジューリングしてよい。本願発明のこの実施形態において、ネットワーク側装置５０１は、アップリンクデータフレームを用いることによってアップリンクデータを受信し、ここで、アップリンクデータフレームは、レガシープリアンブルと、ＨＥＷプリアンブルとデータフィールドとを含む。レガシープリアンブルおよびＨＥＷプリアンブルは、ネットワーク側装置５０１とステーションＳＴＡ５０２との間の通信のために用いられる。周波数領域においてデータフィールドに対応するサブキャリアリソースは、第３のＲＵを含み、第３のＲＵは、ネットワーク側装置５０１とＩｏＴ端末５０３との間のアップリンクデータを伝送するために用いられる。
【０３０６】
本願発明の実施形態に関するメモリは、リードオンリメモリ（ＲＯＭ）もしくはランダムアクセスメモリ（ＲＡＭ）であってよく、または、電気的消去可能プログラマブルリードオンリメモリ（ＥＥＰＲＯＭ）、ディスク記憶媒体もしくは他のディスク記憶装置、もしくは、コマンドもしくはデータの構造形態における予期プログラムコードを保持もしくは格納するために用いられることができ、コンピュータによりアクセスされることができる任意の他の媒体であってよいことが留意されるべきである。しかしながら、メモリはそれらに限定されない。例えば、メモリは、先述のメモリの組み合わせであってよい。
【０３０７】
本願発明の実施形態に関するプロセッサは、汎用中央処理装置であってよい。プロセッサは、様々なインターフェースおよび回線を用いて装置全体の全ての部分を接続し、メモリにおいて格納されている命令を動作させるまたは実行すること、およびメモリにおいて格納されているデータを呼び出すことによって、対応する装置の様々な機能を実行し、データを処理する。これにより、対応する装置に対して全体的監視を実行する。任意選択的に、プロセッサは、１つまたは複数の処理ユニットを含んでよい。好ましくは、プロセッサは、アプリケーションプロセッサおよびモデムプロセッサと集積されてよい。アプリケーションプロセッサは主に、オペレーティングシステム、ユーザインターフェース、アプリケーションプログラム、および同様のものを処理し、モデムプロセッサは主に、無線通信を処理する。モデムプロセッサは、プロセッサに集積されなくてよいことが理解され得る。
【０３０８】
本願発明のいくつかの実施形態において、プロセッサおよびメモリは、単一チップに実装されてよい。
【０３０９】
本願発明のこの実施形態において提供される通信システム５００に含まれるネットワーク側装置５０１は、先述の実施形態におけるネットワーク側装置１００、ネットワーク側装置１０００、ネットワーク側装置４００、またはネットワーク側装置４０００であってよく、対応する機能を実行することができる。詳細は本願発明のこの実施形態において再び説明されない。
【０３１０】
本願発明のこの実施形態において提供される通信システム５００に含まれるＩｏＴ端末は、先述の実施形態におけるＩｏＴ端末２００、ＩｏＴ端末２０００、ＩｏＴ端末３００、またはＩｏＴ端末３０００であってよく、対応する機能を実行することができる。詳細は本願発明のこの実施形態において再び説明されない。
【０３１１】
本願発明のこの実施形態において提供される通信システムによれば、周波数領域においてＷＬＡＮデータフレームのデータフィールドに対応するサブキャリアリソースは、ネットワーク側装置とＩｏＴ端末との間のダウンリンクデータまたはアップリンクデータを伝送するために用いられるＲＵと、ネットワーク側装置とＳＴＡとの間のダウンリンクデータまたはアップリンクデータを伝送するために用いられるＲＵとを含み、これにより、ＩｏＴ端末およびＳＴＡは、データ送信または受信のためのＷＬＡＮネットワークにおいてデータフレームを共有することができ、さらに、ＷＬＡＮにおけるネットワーク側装置がＩｏＴ端末に対してスケジューリングすることができ、それにより、ＩｏＴ通信過程における衝突のリスクが低減される。
【０３１２】
明らかに、当業者は、本願発明の範囲から逸脱することなく、本願発明に対して様々な変更例および変形例をなし得る。本願発明は、これらの変更例および変形例が以下の特許請求の範囲およびそれらの均等な技術により定義される保護範囲内に含まれるならば、これらを包含するものとして意図される。
【０３１３】
当業者は、先述の実施形態方法のそれぞれにおける段階の全てまたは一部が、プロセッサを命令するプログラムにより実装され得ることを理解し得る。先述のプログラムは、コンピュータ可読記憶媒体において格納されてよい。記憶媒体は、ランダムアクセスメモリ、リードオンリメモリ、フラッシュメモリ、ハードディスク、ソリッドステートドライブ、磁気テープ（英語表記：ｍａｇｎｅｔｉｃ  ｔａｐｅ）、フロッピー（登録商標）ディスク（英語表記：ｆｌｏｐｐｙ（登録商標）  ｄｉｓｋ）、光ディスク（英語表記：ｏｐｔｉｃａｌ  ｄｉｓｃ）、またはそれらの任意の組み合わせなどの非一時的（英語表記：ｎｏｎ−ｔｒａｎｓｉｔｏｒｙ）媒体であってよい。
【０３１４】
本願発明は、本願発明の実施形態に係る方法および装置のフローチャートおよび／またはブロック図を参照して説明されている。コンピュータプログラム命令は、フローチャートおよびブロック図における各プロセスまたは各ブロックと、フローチャートおよびブロック図におけるプロセスおよびブロックの組み合わせとを実行するために用いられ得ることが理解されるべきである。これらのコンピュータプログラム命令は、機械を生成すべく、汎用コンピュータ、専用コンピュータ、組み込みプロセッサ、または任意の他のプログラマブルデータ処理装置のプロセッサのために提供されてよく、これにより、任意の他のプログラマブルデータ処理装置のコンピュータまたはプロセッサにより実行される命令は、フローチャートおよびブロック図の１つまたは複数のブロックにおける１つまたは複数のプロセスに指定の機能を実装するための装置を生成する。
【０３１５】
先述の説明は、本願発明の例示的な実装方式に過ぎず、本願発明の保護範囲を限定することを意図しない。本願発明において開示される技術範囲内で当業者により容易に想到されるあらゆる変形または置換は、本願発明の保護範囲内に含まれるものとする。従って、本願発明の保護範囲は、特許請求の範囲の保護範囲に従うものとする。
【図１】
0006556336.tif 000003
【図２】
0006556336.tif 000004
【図３】
0006556336.tif 000005
【図４】
0006556336.tif 000006
【図５】
0006556336.tif 000007
【図６】
0006556336.tif 000008
【図７】
0006556336.tif 000009
【図８】
0006556336.tif 000010
【図９】
0006556336.tif 000011
【図１０】
0006556336.tif 000012
【図１１】
0006556336.tif 000013
【図１２】
0006556336.tif 000014
【図１３】
0006556336.tif 000015
【図１４】
0006556336.tif 000016
【図１５】
0006556336.tif 000017
【図１６】
0006556336.tif 000018
【図１７】
0006556336.tif 000019
【図１８】
0006556336.tif 000020
【図１９】
0006556336.tif 000021
【図２０】
0006556336.tif 000022
【図２１】
0006556336.tif 000023
【図２２】
0006556336.tif 000024
【図２３】
0006556336.tif 000025
【図２４】
0006556336.tif 000026
【図２５】
0006556336.tif 000027
【図２６】
0006556336.tif 000028
【図２７】
0006556336.tif 000029
【図２８】
0006556336.tif 000030
【図２９】
0006556336.tif 000031
【図３０】
0006556336.tif 000032
【図３１】
0006556336.tif 000033
【図３２】
0006556336.tif 000034
【図３３】
0006556336.tif 000035
【図３４】
0006556336.tif 000036
【図３５】
0006556336.tif 000037
【図３６】
0006556336.tif 000038